(57)【要約】  カメラモジュール、その一体ベース部品、およびその製造方法。カメラモジュールは、少なくとも１つのレンズと、少なくとも１つの感光チップと、少なくとも１つのフィルタと、少なくとも１つの一体ベース部品とを備える。一体ベース部品は、ベース部と、回路基板部とを備える。ベース部は、回路基板部に一体的にパッケージングされる。感光チップは、回路基板部上に取り付けられる。ベース部は、感光チップに光路を提供するために、少なくとも１つの貫通孔を形成する。レンズは、感光チップの光路上に配置される。【選択図】図２１
2019509512.tif 000002
【特許請求の範囲】
【請求項１】
少なくとも１つのレンズと、
少なくとも１つの感光チップと、
少なくとも１つのフィルタと、
少なくとも１つの一体ベース部品と、
少なくとも１つの支持体と
を備えるカメラモジュールであって、
前記一体ベース部品は、ベース部と回路基板部とを備え、前記ベース部は、前記回路基板部内に一体的にパッケージングされ、前記感光チップは、前記回路基板部上に取り付けられ、前記ベース部は、前記感光チップ用の光路を形成するために前記ベース部上に形成された少なくとも１つの貫通孔を有し、前記レンズは、前記感光チップの光路に沿って配置され、前記支持体は、前記ベース部上に取り付けられ、前記フィルタは、前記支持体上に前記感光チップの光路に沿って取り付けられる、カメラモジュール。
【請求項２】
前記支持体は、前記支持体の上面に配置された第１の支持溝を有し、前記第１の支持溝は、前記貫通孔と連通され、前記フィルタは、前記第１の支持溝に取り付けられる、請求項１に記載のカメラモジュール。
【請求項３】
前記支持体は、前記ベース部の頂部と結合するために、前記支持体の底面に配置された第２の支持溝を有する、請求項２に記載のカメラモジュール。
【請求項４】
前記ベース部は、前記ベース部上に配置された取付溝を有し、前記取付溝は、前記貫通孔と連通され、前記支持体は、前記取付溝に取り付けられる、請求項２に記載のカメラモジュール。
【請求項５】
前記ベース部は、前記ベース部上に配置された取付溝を有し、前記取付溝は、前記貫通孔と連通される、請求項３に記載のカメラモジュール。
【請求項６】
前記ベース部は、プラットフォームを形成し、前記支持体は、前記プラットフォーム上に取り付けられる、請求項３に記載のカメラモジュール。
【請求項７】
前記取付溝は、前記貫通孔および外側と連通された少なくとも１つの隙間を有し、前記支持体は、前記隙間の上に重なるように適合された少なくとも１つの延長リムを備える、請求項４に記載のカメラモジュール。
【請求項８】
前記取付溝は、Ｕ字形構造を形成する少なくとも１つの隙間を有し、前記支持体は、前記Ｕ字形構造の開口部を埋める少なくとも１つの延長リムを備える、請求項４に記載のカメラモジュール。
【請求項９】
前記一体ベース部品は、前記ベース部によって包覆された少なくとも１つの回路要素を備える、請求項１〜請求項８のいずれかに記載のカメラモジュール。
【請求項１０】
前記レンズは、少なくとも部分的に、前記支持体上に取り付けられる、請求項１〜請求項８のいずれかに記載のカメラモジュール。
【請求項１１】
少なくとも１つのモータをさらに備え、前記レンズは前記モータ上に取り付けられ、前記モータは少なくとも部分的に前記支持体上に取り付けられる、請求項１〜請求項８のいずれかに記載のカメラモジュール。
【請求項１２】
前記レンズは、前記ベース部上に取り付けられる、請求項１〜請求項６のいずれかに記載のカメラモジュール。
【請求項１３】
少なくとも１つのモータをさらに備え、前記レンズは前記モータ上に取り付けられ、前記モータは前記ベース部または前記支持体上に設置される、請求項１〜請求項６のいずれかに記載のカメラモジュール。
【請求項１４】
前記一体的にパッケージングする方法は、成形によって一体的にパッケージングする方法である、請求項１〜請求項８のいずれかに記載のカメラモジュール。
【請求項１５】
前記一体ベース部品は、前記回路基板部上に配置されたリング状障壁部品を備え、前記障壁部品は、少なくとも部分的に、前記ベース部によって一体的にパッケージングされる、請求項１〜請求項８のいずれかに記載のカメラモジュール。
【請求項１６】
前記ベース部は、前記回路基板部から一体的に延長されて前記貫通孔の少なくとも一部を取り囲む形で形成する少なくとも１つの第１の内側面を有し、前記第１の内側面は、傾斜して上方に延在する、請求項１〜請求項８のいずれかに記載のカメラモジュール。
【請求項１７】
前記第１の内側面と前記カメラモジュールの光軸とは、傾斜角αを成し、前記傾斜角αの範囲は、３°〜８５°である、請求項１６に記載のカメラモジュール。
【請求項１８】
前記第１の内側面は、前記貫通孔の下端部を取り囲む形で形成し、前記貫通孔の前記下端部の内径は、下から上に向かって次第に増加する、請求項１６に記載のカメラモジュール。
【請求項１９】
前記ベース部は、前記第１の内側面から屈曲して延長されるように前記ベース部に形成された第２の内側面を有し、前記第２の内側面は、前記貫通孔の上端部を取り囲む形で形成し、前記第２の内側面は、傾斜して上方に延在する、請求項１６に記載のカメラモジュール。
【請求項２０】
前記第２の内側面と前記カメラモジュールの光軸とは、傾斜角βを成し、前記傾斜角βの範囲は、３°〜４５°である、請求項１９に記載のカメラモジュール。
【請求項２１】
前記ベース部は、前記回路基板部を一体的に上方に延長する傾斜によって形成された外側面を有し、前記外側面と前記カメラモジュールの前記光軸とは、傾斜角γを成し、前記傾斜角γの範囲は、３°〜４５°である、請求項１６に記載のカメラモジュール。
【請求項２２】
少なくとも１つのレンズと、
少なくとも１つの感光チップと、
少なくとも１つの一体ベース部品と
を備えるカメラモジュールであって、
前記一体ベース部品は、ベース部と回路基板部とを備え、前記ベース部は、前記回路基板部と一体的に接続され、前記感光チップは、前記回路基板部上に取り付けられ、前記ベース部は、前記感光チップ用の光路を形成するために前記ベース部上に少なくとも１つの貫通孔を有し、前記レンズは、前記感光チップの光路に沿って配置され、前記ベース部は、前記貫通孔の少なくとも一部を取り囲む形で形成する少なくとも１つの第１の内側面を有し、前記第１の内側面は、傾斜して上方に延在する、カメラモジュール。
【請求項２３】
前記第１の内側面と前記カメラモジュールの光軸とは、傾斜角αを成し、前記傾斜角αの範囲は、３°〜８５°である、請求項２２に記載のカメラモジュール。
【請求項２４】
前記傾斜角αの値は、３°〜３０°、３０°〜４５°、４５°〜６０°、または６０°〜８５°である、請求項２３に記載のカメラモジュール。
【請求項２５】
前記第１の内側面は、前記貫通孔の下端部を取り囲む形で形成し、前記貫通孔の前記下端部の内径は、下から上に向かって次第に増加する、請求項２２に記載のカメラモジュール。
【請求項２６】
前記ベース部は、前記第１の内側面から屈曲して延長されるように前記ベース部に形成された第２の内側面を有し、前記第２の内側面は、前記貫通孔の上端部を取り囲む形で形成し、前記第２の内側面は、傾斜して上方に延在する、請求項２２に記載のカメラモジュール。
【請求項２７】
前記ベース部は、前記ベース部上に配置され、前記貫通孔と連通された取付溝を有し、前記第１の内側面は、前記取付溝を形成するために前記第２の内側面まで屈曲して延長される、請求項２６に記載のカメラモジュール。
【請求項２８】
前記第２の内側面と前記カメラモジュールの光軸とは、傾斜角βを成し、前記傾斜角βの範囲は、３°〜４５°である、請求項２３に記載のカメラモジュール。
【請求項２９】
前記傾斜角βの値は、３°〜１５°、１５°〜２０°、２０°〜３０°、または３０°〜４５°である、請求項２８に記載のカメラモジュール。
【請求項３０】
前記第１の内側面と前記カメラモジュールの光軸とは、傾斜角αを成し、前記傾斜角αの範囲は、３°〜８５°である、請求項２８に記載のカメラモジュール。
【請求項３１】
前記第１の内側面は、前記貫通孔の下端部を取り囲む形で形成し、前記貫通孔の前記下端部の内径は、下から上に向かって次第に増加する、請求項２８に記載のカメラモジュール。
【請求項３２】
前記ベース部は、前記回路基板部を上方に延長する傾斜によって形成された外側面を有し、前記外側面と前記カメラモジュールの前記光軸とは、傾斜角γを成し、前記傾斜角γの範囲は、３°〜４５°である、請求項２３に記載のカメラモジュール。
【請求項３３】
前記傾斜角γの値は、３°〜１５°、１５°〜３０°、または３０°〜４５°である、請求項３２に記載のカメラモジュール。
【請求項３４】
前記一体ベース部品は、前記ベース部によって包覆された少なくとも１つの回路要素を備える、請求項２２〜請求項３２のいずれかに記載のカメラモジュール。
【請求項３５】
少なくとも１つのレンズと、
少なくとも１つの感光チップと、
少なくとも１つの一体ベース部品と
を備えるカメラモジュールであって、
前記一体ベース部品は、ベース部と回路基板部とを備え、前記ベース部は、前記回路基板部上で成形され、前記ベース部は、前記感光チップおよび前記レンズ用の光路を形成するために前記ベース部に形成された少なくとも１つの貫通孔を備える、カメラモジュール。
【請求項３６】
前記ベース部は、平坦に延長された上面を有する、請求項３５に記載のカメラモジュール。
【請求項３７】
前記ベース部は、前記ベース部上に配置された取付溝を有し、前記取付溝は、前記貫通孔と連通され、前記ベース部は、前記取付溝を形成する少なくとも１つの突出段差部を備える、請求項３５に記載のカメラモジュール。
【請求項３８】
前記回路基板部は、少なくとも１つの側面を備え、前記ベース部は、前記回路基板部の前記少なくとも１つの側面を包覆する、請求項３５に記載のカメラモジュール。
【請求項３９】
前記ベース部はさらに、前記回路基板部の底部を包覆する、請求項３５に記載のカメラモジュール。
【請求項４０】
前記ベース部は、前記カメラモジュールの光軸の方向に沿って前記ベース部上に配置された２つの取付溝を有し、前記取付溝の各々は、前記ベース部の内側の段差構造を形成するように前記貫通孔と連通される、請求項３５に記載のカメラモジュール。
【請求項４１】
前記上面に配置された少なくとも１つのフィルタをさらに備え、前記フィルタは平坦に取り付けられる、請求項３６に記載のカメラモジュール。
【請求項４２】
前記レンズは、前記上面に取り付けられる、請求項４１に記載のカメラモジュール。
【請求項４３】
少なくとも１つのモータをさらに備え、前記レンズは、前記モータ上に取り付けられ、前記モータは、前記ベース部の前記上面に設置される、請求項４１に記載のカメラモジュール。
【請求項４４】
前記取付溝に配置された少なくとも１つのフィルタをさらに備える、請求項３７に記載のカメラモジュール。
【請求項４５】
前記レンズは、前記突出段差部に取り付けられる、請求項４４に記載のカメラモジュール。
【請求項４６】
少なくとも１つのモータをさらに備え、前記レンズは、前記モータ上に取り付けられ、前記モータは、前記突出段差部に設置される、請求項４４に記載のカメラモジュール。
【請求項４７】
低い方の前記取付溝に配置されたフィルタをさらに備える、請求項３８に記載のカメラモジュール。
【請求項４８】
前記レンズは、高い方の前記取付溝に取り付けられる、請求項４７に記載のカメラモジュール。
【請求項４９】
前記ベース部はさらに、高い方の位置の前記取付溝から上方に一体的に延在するように前記ベース部上に形成されたレンズ内壁を備える、請求項４８に記載のカメラモジュール。
【請求項５０】
前記レンズの内壁の表面は、滑らかであり、ねじ山の無いレンズを取り付けるように適合される、請求項４９に記載のカメラモジュール。
【請求項５１】
前記ベース部上に取り付けられた少なくとも１つのレンズフレームをさらに備え、前記レンズフレームは、前記レンズを取り付けるように適合される、請求項３５に記載のカメラモジュール。
【請求項５２】
少なくとも１つの支持体と少なくとも１つのフィルタとをさらに備え、前記支持体は、前記取付溝に取り付けられ、前記フィルタは、前記支持体上に取り付けられる、請求項３７に記載のカメラモジュール。
【請求項５３】
前記レンズは、少なくとも部分的に前記ベース部上に取り付けられる、請求項５２に記載のカメラモジュール。
【請求項５４】
前記レンズは、少なくとも部分的に前記支持体上に取り付けられる、請求項５２に記載のカメラモジュール。
【請求項５５】
モータをさらに備え、前記レンズは、前記モータ上に設置され、前記モータは、少なくとも部分的に前記ベース部に設置される、請求項５２に記載のカメラモジュール。
【請求項５６】
モータをさらに備え、前記レンズは、前記モータ上に設置され、前記モータは、少なくとも部分的に前記支持体上に設置される、請求項５２に記載のカメラモジュール。
【請求項５７】
モータをさらに備え、前記レンズは、前記モータ上に設置され、前記モータは、少なくとも部分的に前記支持体上に設置される、請求項５２に記載のカメラモジュール。
【請求項５８】
前記レンズは、レンズコーンと、前記レンズコーン内に取り付けられた少なくとも１つの光学系とを備え、前記フィルタは、前記レンズコーン内の前記光学系の下に取り付けられる、請求項３５〜請求項４０のいずれかに記載のカメラモジュール。
【請求項５９】
少なくとも１つのモータと、前記モータに取り付けられた少なくとも１つのフィルタとをさらに備え、前記レンズは、前記フィルタの上で前記モータ内に取り付けられる、請求項３５〜請求項４０のいずれかに記載のカメラモジュール。
【請求項６０】
前記一体ベース部品は、前記ベース部によって包覆された少なくとも１つの回路要素を備える、請求項３５〜請求項４０のいずれかに記載のカメラモジュール。
【請求項６１】
前記回路要素は、抵抗器、コンデンサ、ダイオード、三極管、ポテンショメータ、継電器、ドライバ、プロセッサ、およびメモリから成る群から選択される、請求項６０に記載のカメラモジュール。
【請求項６２】
前記回路基板部は、前記回路基板部の両側を連通する少なくとも１つの通路を有し、前記感光チップは、前記通路上に取り付けられる、請求項３５〜請求項４０のいずれかに記載のカメラモジュール。
【請求項６３】
前記回路基板部は、補強保持部を有し、前記ベース部は、前記補強保持部まで延在する、請求項３５〜請求項４０のいずれかに記載のカメラモジュール。
【請求項６４】
前記回路基板部は、前記回路基板部の底部に重なる形で配置された補強層を備える、請求項３５〜請求項４０のいずれかに記載のカメラモジュール。
【請求項６５】
前記回路基板部は、前記カメラモジュールの外側を包覆する遮蔽層を備える、請求項３５〜請求項４０のいずれかに記載のカメラモジュール。
【請求項６６】
前記回路基板部は、前記ベース部の内側面を取り囲む形で設けられた遮蔽層を備える、請求項３５〜請求項４０のいずれかに記載のカメラモジュール。
【請求項６７】
前記回路基板部は、主回路基板を備え、前記主回路基板の材料は、リジッドフレキシブル基板、セラミック基板、およびリジッドＰＣＢから成る群から選択される、請求項３５〜請求項４０のいずれかに記載のカメラモジュール。
【請求項６８】
前記ベース部の材料は、ナイロン、ＬＣＰ、ＰＰ、および樹脂から成る群から選択される、請求項３５〜請求項４０のいずれかに記載のカメラモジュール。
【請求項６９】
前記成形部分の成形技術は、インサート成形またはプレス成形プロセスである、請求項３５〜請求項４０のいずれかに記載のカメラモジュール。
【請求項７０】
前記感光チップは、少なくとも１つの接続線を介して前記回路基板部と電気的に接続される、請求項３５〜請求項４０のいずれかに記載のカメラモジュール。
【請求項７１】
少なくとも１つのレンズと、
少なくとも１つの感光チップと、
少なくとも１つの一体ベース部品と、
少なくとも１つのモータと
を備えるカメラモジュールであって、
前記一体ベース部品は、ベース部と回路基板部とを備え、前記ベース部は、前記回路基板部内に一体的にパッケージングされ、前記感光チップは、前記回路基板部上に取り付けられ、前記レンズは、前記感光チップの受光路に沿って配置され、前記ベース部は、前記感光チップ用の光路を形成するために前記ベース部上に形成された貫通孔を備え、
前記一体ベース部品は、前記モータを前記回路基板部と電気的に接続することができるように前記ベース部に事前に設置された少なくとも１つのモータ接続部材を備え、前記レンズは、前記レンズを前記モータによって調整することができるように前記モータ上に取り付けられる、カメラモジュール。
【請求項７２】
前記回路基板部は、主回路基板を備え、前記ベース部は、前記主回路基板上に成形によって一体的に形成される、請求項７０に記載のカメラモジュール。
【請求項７３】
前記モータ接続部材は、少なくとも１つのリード線と少なくとも１つのピンスロットとを備え、前記リード線は、前記ベース部上に設けられ、前記主回路基板と電気的に接続され、前記ピンスロットは、前記ベース部の上端部に設けられ、前記リード線は、溝底壁上に露出したモータ接続端部を有し、前記モータの少なくとも１つのモータピンが前記ピンスロットに差し込まれたときに前記モータ接続端部と電気的に接続されるようにする、請求項７１に記載のカメラモジュール。
【請求項７４】
前記モータ接続部材は、少なくとも１つのピンスロットと、前記主回路基板と電気的に接続された少なくとも１つの回路接合部とを備え、前記ピンスロットは、前記ベース部上に設けられ、前記主回路基板は、前記ベース部の頂部まで延長され、前記回路接合部は、前記モータの少なくとも１つのモータピンが前記ピンスロットに差し込まれたときに前記回路接合部と電気的に接続されるように前記ピンスロット内で露出している、請求項７１に記載のカメラモジュール。
【請求項７５】
前記モータ接続部材は、前記ベース部上に配置され、前記モータピンと電気的に接続されるように前記主回路基板と電気的に接続される少なくとも１つのエッチング回路を備える、請求項７１に記載のカメラモジュール。
【請求項７６】
前記ベース部の厚さの範囲は、０．３ｍｍ〜１．２ｍｍである、請求項７１〜請求項７４のいずれかに記載のカメラモジュール。
【請求項７７】
前記カメラモジュールの断面のサイズの範囲は、５ｍｍ〜２０ｍｍである、請求項７１〜請求項７４のいずれかに記載のカメラモジュール。
【請求項７８】
前記カメラモジュールの高さの範囲は、３ｍｍ〜６ｍｍである、請求項７１〜請求項７４のいずれかに記載のカメラモジュール。
【請求項７９】
前記回路基板部の厚さの範囲は、０．１５ｍｍ〜０．５ｍｍである、請求項７１〜請求項７４のいずれかに記載のカメラモジュール。
【請求項８０】
前記ベース部は、前記ベース部の厚さを増加させて、前記ベース部と前記回路基板部との間の接続の信頼性を高めるように、前記感光チップの外側面の周囲を隣接して取り囲む、請求項７１〜請求項７４のいずれかに記載のカメラモジュール。
【請求項８１】
前記ベース部は、成形によって前記主回路基板上に一体的に形成される、請求項７１〜請求項７４のいずれかに記載のカメラモジュール。
【請求項８２】
前記一体ベース部品は、前記ベース部によって包覆された少なくとも１つの回路要素を備える、請求項７１〜請求項７４のいずれかに記載のカメラモジュール。
【請求項８３】
ベース部と、
回路基板部と
を備える一体ベース部品であって、
前記ベース部は、前記回路基板部内に一体的にパッケージングされ、前記カメラモジュールの感光チップは、前記回路基板部上に取り付けられるように適合され、前記ベース部は、前記感光チップ用の光路を形成するために前記ベース部上に形成された少なくとも１つの貫通孔を有し、前記レンズは、前記感光チップの光路に沿って配置される、一体ベース部品。
【請求項８４】
前記ベース部は、平坦に延長された上面を有する、請求項８３に記載の一体ベース部品。
【請求項８５】
前記ベース部は、前記ベース部上に配置された取付溝を有し、前記取付溝は、前記貫通孔と連通され、前記ベース部は、前記取付溝を形成する少なくとも１つの突出段差部を備える、請求項８３に記載の一体ベース部品。
【請求項８６】
前記ベース部は、前記ベース部上に配置され、前記ベース部の内側の段差構造を形成するために前記貫通孔と連通される２つの取付溝を有する、請求項８３に記載の一体ベース部品。
【請求項８７】
前記レンズ内壁は、高い方の位置の前記取付溝から上方に一体的に延在するように形成される、請求項８６に記載の一体ベース部品。
【請求項８８】
前記レンズの内壁の表面は、滑らかであり、ねじ山の無いレンズを取り付けるように適合される、請求項８７に記載の一体ベース部品。
【請求項８９】
前記回路基板部は、少なくとも１つの側面を備え、前記ベース部は、前記回路基板部の前記少なくとも１つの側面を包覆する、請求項８３に記載の一体ベース部品。
【請求項９０】
前記ベース部はさらに、前記回路基板部の底部を包覆する、請求項８３に記載の一体ベース部品。
【請求項９１】
前記一体ベース部品は、前記ベース部によって包覆された少なくとも１つの回路要素を備える、請求項８３〜請求項９０のいずれかに記載の一体ベース部品。
【請求項９２】
前記回路要素は、抵抗器、コンデンサ、ダイオード、三極管、ポテンショメータ、継電器、ドライバ、プロセッサ、およびメモリから成る群から選択される、請求項９１に記載の一体ベース部品。
【請求項９３】
前記ベース部は、前記貫通孔の少なくとも一部を取り囲む形で形成するように前記ベース部上に設けられた少なくとも１つの第１の内側面を有し、前記第１の内側面は、傾斜して前記回路基板部から上方に延在する、請求項８３〜請求項９０のいずれかに記載の一体ベース部品。
【請求項９４】
前記第１の内側面と前記カメラモジュールの光軸とは、傾斜角αを成し、前記傾斜角αの範囲は、３°〜８５°である、請求項９３に記載の一体ベース部品。
【請求項９５】
前記ベース部は、前記第１の内側面から屈曲して延長されるように前記ベース部に設けられた第２の内側面を有し、前記第２の内側面は、前記貫通孔の上端部を取り囲む形で形成し、前記第２の内側面は、傾斜して上方に延在する、請求項９４に記載の一体ベース部品。
【請求項９６】
前記第２の内側面と前記カメラモジュールの光軸とは、傾斜角βを成し、前記傾斜角βの範囲は、３°〜４５°である、請求項９５に記載の一体ベース部品。
【請求項９７】
前記ベース部は、前記回路基板部を上方に延長する傾斜によって形成された外側面を有し、前記外側面と前記カメラモジュールの前記光軸とは、傾斜角γを成し、前記傾斜角γの範囲は、３°〜４５°である、請求項９９に記載の一体ベース部品。
【請求項９８】
前記モータを前記回路基板部と電気的に接続することができるように前記ベース部に事前に設置されたモータ接続部材を備え、前記カメラモジュールのモータは、前記モータ接続部材を介して前記回路基板部と電気的に接続されるように適合される、請求項８３に記載の一体ベース部品。
【請求項９９】
前記モータ接続部材は、少なくとも１つのリード線と少なくとも１つのピンスロットとを備え、前記リード線は、前記ベース部上に設けられ、前記主回路基板と電気的に接続され、前記ピンスロットは、前記ベース部の上端部に設けられ、前記リード線は、溝底壁上に露出したモータ接続端部を有し、前記モータの少なくとも１つのモータピンが前記ピンスロットに差し込まれたときに前記モータ接続端部と電気的に接続されるようにする、請求項９８に記載の一体ベース部品。
【請求項１００】
前記モータ接続部材は、少なくとも１つのピンスロットと、前記主回路基板と電気的に接続された少なくとも１つの回路接合部とを備え、前記ピンスロットは、前記ベース部上に設けられ、前記回路基板部は、前記ベース部の頂部まで延長され、前記回路接合部は、前記モータの少なくとも１つのモータピンが前記ピンスロットに差し込まれたときに前記回路接合部と電気的に接続されるように前記ピンスロット内で露出している、請求項９８に記載の一体ベース部品。
【請求項１０１】
前記モータ接続部材は、前記ベース部上に配置され、前記モータのモータピンと電気的に接続されるように前記回路基板部と電気的に接続される少なくとも１つのエッチング回路を備える、請求項９８に記載の一体ベース部品。
【請求項１０２】
前記一体ベース部品は、前記ベース部によって包覆された少なくとも１つの回路要素を備える、請求項８３〜請求項９０のいずれかに記載の一体ベース部品。
【請求項１０３】
前記一体ベース部品は、前記ベース部の内側面に配置された少なくとも１つの回路要素を備え、前記回路要素は、前記ベース部によって覆われない、請求項８３〜請求項９０のいずれかに記載の一体ベース部品。
【発明の詳細な説明】
【技術分野】
【０００１】
本発明は、カメラモジュールの分野に関し、特に、一体パッケージングプロセスベースのカメラモジュール、その一体ベース部品、およびその製造方法に関する。
【背景技術】
【０００２】
チップ・オン・ボード（ＣＯＢ）技術は、カメラモジュールの組み立ておよび製造プロセスにおいて非常に重要な技術プロセスである。従来のＣＯＢ技術プロセスに基づくカメラモジュールの構造は、回路基板、感光チップ、レンズホルダ、モータドライブ、およびレンズを含む部品から成る。
【０００３】
図１を参照すると、図１は、従来のＣＯＢ技術プロセスによって製造されたカメラモジュールの斜視図である。カメラモジュールは、回路基板１Ｐ、感光チップ２Ｐ、フレーム３Ｐ、フィルタ４Ｐ、モータ５Ｐ、およびレンズ６Ｐを含む。感光チップ２Ｐは、回路基板１Ｐ上に取り付けられる。フィルタ４Ｐは、フレーム３Ｐ上に取り付けられる。レンズ６Ｐは、モータ５Ｐ上に取り付けられる。モータ５Ｐは、フレーム３Ｐ上に取り付けられる。したがって、レンズ６Ｐは、感光チップ２Ｐの上に取り付けられる。
【０００４】
通常は、回路基板１Ｐ内に設けられた様々な回路部品１１Ｐ、例えば、抵抗器やコンデンサが存在するということに留意されたい。これらの回路部品１１Ｐは、回路基板１Ｐの表面に突出しているが、これらの回路部品１１Ｐが突出した状態でフレーム３Ｐも回路基板１Ｐの表面に取り付けなければならない。したがって、従来のＣＯＢ技術では、回路基板１Ｐ、回路部品１１Ｐ、およびフレーム３Ｐ間の組み立ておよび協調動作において不利点があり、さらに、カメラモジュールをより軽量でより薄いカメラモジュールを開発することがある程度制限される。
【０００５】
具体的には、第一に、回路部品１１Ｐは、回路基板１Ｐの表面に直接露出しているので、フレーム３Ｐの固定プロセスおよびモータ５Ｐのはんだ付けプロセスのような以降の組み立てプロセスからの影響を避けることができる。はんだ付けの際のソルダレジスト、塵埃などが、回路部品１１Ｐ上に付着しやすい。さらに、回路部品１１Ｐおよび感光チップ２Ｐは、相互接続空間にあるので、塵埃や汚染物質が感光チップ２Ｐに影響を及ぼしやすい。このような影響により、組み立てられたカメラモジュールは黒い点のような望ましくない外観を有することがあり、製品歩留まり率が低くなり得る。
【０００６】
第二に、フレーム３Ｐは、回路部品１１Ｐの外側にあるので、レンズホルダおよび回路基板１Ｐを設置するときに、フレーム３Ｐと回路部品１１Ｐとの間に一定の安全距離を確保する必要があり、安全距離は、水平方向かつ上方向の両方で確保されなければならず、このことがカメラモジュールの厚さ要件をある程度増加させる。
【０００７】
第三に、ＣＯＢ組み立てプロセスにおいて、フレーム３Ｐは、接着剤のような貼付材料を用いて回路基板１Ｐ上に固定される。固定する際に、通常は、フレーム３Ｐの中央軸線と回路基板１Ｐの中央軸線とモータ５Ｐの中央軸線とが水平方向かつ垂直方向の両方に存在するように調整するために、ＡＡ（アクティブアレンジメント：Ａｃｔｉｖｅ  Ａｒｒａｎｇｅｍｅｎｔ）技術を適用する必要がある。したがって、ＡＡ技術の条件を満たすためには、フレーム３Ｐと回路基板１Ｐとの間およびレンズホルダとモータ５Ｐとの間で調整空間を確保するように、より多くの接着剤が予め使用される必要がある。しかしながら、この要件により、カメラモジュールの厚さ要求がある程度さらに増大し、厚さの低減が難しくなるだけでなく、さらに固定および組み立ての多数のプロセスの間に傾斜による組み立てのズレが極めて生じやすくなる。また、この要件は、レンズホルダ３Ｐ、回路基板１Ｐ、およびモータ５Ｐのより高い平坦性を必要とする。
【０００８】
さらに、従来のＣＯＢ技術では、回路基板１Ｐは、最も基本的な固定支持媒体となるので、回路基板１Ｐ自体の構造的強度の一定の要件が存在する。この要件から、回路基板１Ｐはより厚くなり、別の側面から見ると、カメラモジュールの厚さ要求は維持され、増大する。
【０００９】
様々な電子製品や高性能デバイスの開発に伴って、カメラモジュールは、ますます高性能で、軽く、そして薄くなる形へと進化する。しかしながら、高解像度および高画質を含む高性能の側面において、あらゆる開発要求に直面したときに、回路内の電子部品の数はますます増加し、チップのサイズはますます大きくなり、抵抗器およびコンデンサを駆動するようなパッシブな部品は比較的増加する。その結果、電子デバイスのスケールはますます大きくなり、組み立てはさらに難しくなり、カメラモジュール全体のサイズもますます大きくなる。要するに、レンズホルダ、回路基板、および回路要素の従来の組み立て方法は、カメラモジュールのサイズおよび重量を低減するという開発目標にとって、ある程度大きな壁となる。
【発明の概要】
【発明が解決しようとする課題】
【００１０】
本発明の目的は、成形プロセスベースのカメラモジュールならびに成形回路ユニット、およびその製造方法を提供することであり、回路ユニットは、成形部分と回路基板部とを含み、成形部分は、回路基板部上に成形によって形成される。
【００１１】
本発明の目的は、成形プロセスベースのカメラモジュールならびに成形回路ユニット、およびその製造方法を提供することであり、成形回路ユニットは、少なくとも１つの回路要素を含み、回路要素は、外部環境に直接晒されることなく、回路ユニット内に包み込まれる。
【００１２】
本発明の目的は、成形プロセスベースのカメラモジュールならびに成形回路ユニット、およびその製造方法を提供することであり、回路要素は、成形によって、成形回路ユニット内に一体的に包み込まれる。
【００１３】
本発明の目的は、成形プロセスベースのカメラモジュールならびに成形回路ユニット、およびその製造方法を提供することであり、成形回路ユニットは、成形部分と回路基板部とを含み、成形部分は、回路基板部上に成形されて、回路基板部上に設置された回路要素を成形によって包み込む。
【００１４】
本発明の目的は、成形プロセスベースのカメラモジュールならびに成形回路ユニット、およびその製造方法を提供することであり、回路基板部は、主回路基板と感光チップとを含み、感光チップは、回路基板の内表面に配置され、成形部分は、感光チップの外側面を取り囲む。
【００１５】
本発明の目的は、成形プロセスベースのカメラモジュールならびに成形回路ユニット、およびその製造方法を提供することであり、主回路基板は、内側リング溝を有し、感光チップは、成形部分の必要な高さを低くするために、内側リング溝内に設置される。
【００１６】
本発明の目的は、成形プロセスベースのカメラモジュールならびに成形回路ユニット、およびその製造方法を提供することであり、主回路基板は、感光チップの感光領域が前面を向く形で主回路基板の裏から感光チップを設置するように適合されたチップチャネルを有し、感光チップを裏返しで設置することによってより簡単な設置方法を提供する。
【００１７】
本発明の目的は、成形プロセスベースのカメラモジュールならびに成形回路ユニット、およびその製造方法を提供することであり、フィルタは、主回路基板のチップチャネルの内側開口部に設置されるので、フィルタを設置するための追加の場所を設ける必要がない。
【００１８】
本発明の目的は、成形プロセスベースのカメラモジュールならびに成形回路ユニット、およびその製造方法を提供することであり、主回路基板は、少なくとも１つの補強保持部を有し、成形部分は、成形部分と回路基板部との間の結合を強化するために、さらに成形部分によって主回路基板の構造的強度を増すために、補強保持部まで延長される。
【００１９】
本発明の目的は、成形プロセスベースのカメラモジュールならびに成形回路ユニット、およびその製造方法を提供することであり、成形部分は、フィルタ用の設置場所を形成するために、フィルタを支持するように適合されたサセプタを含む。
【００２０】
本発明の目的は、成形プロセスベースのカメラモジュールならびに成形回路ユニット、およびその製造方法を提供することであり、成形部分の１つは、モータユニットまたはレンズが設置されるように適合され、これは、モータユニットまたはレンズ用の固定位置を支持するための従来のフレームになり得る。
【００２１】
本発明の目的は、成形プロセスベースのカメラモジュールならびに成形回路ユニット、およびその製造方法を提供することであり、成形部分は、従来のフレームの代わりに使用されるので、フレームおよび回路基板の固定および組み立てプロセスは、組み立て時に必要でなくなり、その結果、技術の精度が向上する。
【００２２】
本発明の目的は、成形プロセスベースのカメラモジュールならびに成形回路ユニット、およびその製造方法を提供することであり、カメラモジュールは、成形回路ユニットを組み立てたものであるので、より優れた性能を有し、より薄い厚さのカメラモジュールを実現することができる。
【００２３】
本発明の目的は、成形プロセスベースのカメラモジュールならびに成形回路ユニット、およびその製造方法を提供することであり、カメラモジュールは、従来のカメラモジュールのＣＯＢ技術を変更するために、成形によって組み立てられて製造される。
【００２４】
本発明の目的は、成形プロセスベースのカメラモジュールならびに成形回路ユニット、およびその製造方法を提供することであり、カメラモジュールは、成形部分上に取り付けられる支持体を含み、フィルタは、支持体上に取り付けられる。
【００２５】
本発明の目的は、成形プロセスベースのカメラモジュールならびに成形回路ユニット、およびその製造方法を提供することであり、レンズは、レンズコーンを備え、フィルタは、レンズコーン上に設置されるので、フィルタ設置用の追加の部品を設ける必要がない。
【００２６】
本発明の目的は、成形プロセスベースのカメラモジュールならびに成形回路ユニット、およびその製造方法を提供することであり、フィルタは、カメラモジュールの背面焦点距離を短くするために、チップ通路の上端部に設置される。
【００２７】
本発明の目的は、成形プロセスベースのカメラモジュールならびに成形回路ユニット、およびその製造方法を提供することであり、成型部分は、より薄い厚さで構造的強度要件を達成することができ、そのためカメラモジュールの長手方向サイズを低減することができる。
【００２８】
本発明の目的は、成形プロセスベースのカメラモジュールならびに成形回路ユニット、およびその製造方法を提供することであり、複数のカメラモジュールは、カメラモジュールのプレートアライメントプロセスを実現するために、およびカメラモジュールの生産効率を高めるために、製造と同時に完全なプレートアライメントで一体的にパッケージングされる。
【００２９】
本発明の目的は、成形プロセスベースのカメラモジュールならびに成形回路ユニット、およびその製造方法を提供することであり、主回路基板は、主回路基板の構造的強度および放熱を高めるために、主回路基板の底部に重なる形で配置された補強層を含む。
【００３０】
本発明の目的は、成形プロセスベースのカメラモジュールならびに成形回路ユニット、およびその製造方法を提供することであり、成形部分は、レンズ用の安定的な設置場所を形成するために、カメラモジュールのレンズを取り付けるように適合されたレンズ取付セクションを含む。
【００３１】
本発明の目的は、成形プロセスベースのカメラモジュールならびに成形回路ユニット、およびその製造方法を提供することであり、成型部分は、カメラモジュールの構造的強度を高めるために、主回路基板の側面および底面を成形する。
【００３２】
本発明の目的は、成形プロセスベースのカメラモジュールおよびその成形回路ユニットを提供することである。
【課題を解決するための手段】
【００３３】
本発明は、一態様では、
少なくとも１つのレンズと、
少なくとも１つの感光チップと、
少なくとも１つのフィルタと、
少なくとも１つの一体ベース部品と、
少なくとも１つの支持体と
を備えるカメラモジュールであって、
一体ベース部品は、ベース部と回路基板部とを備え、ベース部は、回路基板部内に一体的にパッケージングされ、感光チップは、回路基板部上に取り付けられ、ベース部は、感光チップ用の光路を形成するためにベース部上に少なくとも１つの貫通孔を有し、レンズは、感光チップの光路に沿って配置され、支持体は、ベース部上に取り付けられ、フィルタは、支持体上に感光チップの光路に沿って取り付けられる、カメラモジュールを提供する。
【００３４】
一実施形態によれば、支持体は、支持体の上面に配置された第１の支持溝を有し、第１の支持溝は、貫通孔と連通され、フィルタは、第１の支持溝に取り付けられる。
【００３５】
一実施形態によれば、支持体は、ベース部の頂部と結合するために、支持体の底面に配置された第２の支持溝を有する。
【００３６】
一実施形態によれば、ベース部は、ベース部上に配置された取付溝を有し、取付溝は、貫通孔と連通され、支持体は、取付溝に取り付けられる。
【００３７】
一実施形態によれば、ベース部は、ベース部上に配置された取付溝を有し、取付溝は、貫通孔と連通される。
【００３８】
一実施形態によれば、ベース部は、プラットフォームを形成し、支持体は、プラットフォーム上に取り付けられる。
【００３９】
一実施形態によれば、取付溝は、貫通孔および外側と連通された少なくとも１つの隙間を有し、支持体は、隙間の上に重なるように適合された少なくとも１つの延長リムを備える。
【００４０】
一実施形態によれば、取付溝は、Ｕ字形構造を形成する少なくとも１つの隙間を有し、支持体は、Ｕ字形構造の開口部を埋める少なくとも１つの延長リムを備える。
【００４１】
一実施形態によれば、一体ベース部品は、ベース部によって包覆された少なくとも１つの回路要素を備える。
【００４２】
一実施形態によれば、レンズは、少なくとも部分的に、支持体上に取り付けられる。
【００４３】
一実施形態によれば、カメラモジュールは、少なくとも１つのモータを含み、レンズは、モータ上に設置され、モータは、少なくとも部分的に、支持体上に設置される。
【００４４】
一実施形態によれば、レンズは、ベース部上に取り付けられる。
【００４５】
一実施形態によれば、カメラモジュールは、少なくとも１つのモータを含み、レンズは、モータ上に設置され、モータは、ベース部または支持体上に設置される。
【００４６】
一実施形態によれば、一体的にパッケージングする方法は、成形によって一体的にパッケージングする方法である。
【００４７】
一実施形態によれば、一体ベース部品は、回路基板部に配置されたリング状障壁部品を備え、リング状障壁部品は、少なくとも部分的に、ベース部によって一体的にパッケージングされる。
【００４８】
一実施形態によれば、ベース部は、回路基板部から一体的に延長されて貫通孔の少なくとも一部を取り囲む形で形成する少なくとも１つの第１の内側面を有し、第１の内側面は、傾斜して上方に延在する。
【００４９】
一実施形態によれば、第１の内側面とカメラモジュールの光軸とは傾斜角αを成し、傾斜角αの範囲は３°〜８５°である。
【００５０】
一実施形態によれば、第１の内側面は、貫通孔の下端部を取り囲む形で形成し、貫通孔の下端部の内径は、下から上に向かって次第に増加する。
【００５１】
一実施形態によれば、ベース部は、第１の内側面から屈曲して延長されるようにベース部に形成された第２の内側面を有し、第２の内側面は、貫通孔の上端部を取り囲む形で形成し、第２の内側面は、傾斜して上方に延在する。
【００５２】
一実施形態によれば、第２の内側面とカメラモジュールの光軸とは傾斜角βを成し、傾斜角βの範囲は３°〜４５°である。
【００５３】
一実施形態によれば、ベース部は、回路基板部を一体的に上方に延長する傾斜によって形成された外側面を有し、外側面とカメラモジュールの光軸とは傾斜角γを成し、傾斜角γの範囲は３°〜４５°である。
【００５４】
本発明の別の態様によれば、本発明は、
少なくとも１つのレンズと、
少なくとも１つの感光チップと、
少なくとも１つの一体ベース部品と
を備えるカメラモジュールであって、
一体ベース部品は、ベース部と回路基板部とを備え、ベース部は、回路基板部と一体的に接続され、感光チップは、回路基板部上に取り付けられ、ベース部は、感光チップ用の光路を形成するためにベース部上に形成された少なくとも１つの貫通孔を有し、レンズは、感光チップの光路に沿って配置され、ベース部は、貫通孔の少なくとも一部を取り囲む形で形成する少なくとも１つの第１の内側面を有し、第１の内側面は、傾斜して上方に延在する、カメラモジュールを提供する。
【００５５】
本発明の別の態様によれば、本発明は、
少なくとも１つのレンズと、
少なくとも１つの感光チップと、
少なくとも１つの一体ベース部品と
を備えるカメラモジュールであって、
一体ベース部品は、ベース部と回路基板部とを備え、ベース部は、回路基板部上に成形され、ベース部は、感光チップおよびレンズ用の光路を形成するためにベース部上に形成された少なくとも１つの貫通孔を備える、カメラモジュールを提供する。
【００５６】
一実施形態によれば、ベース部は、平坦に延長された上面を有する。
【００５７】
一実施形態によれば、ベース部は、ベース部上に配置された取付溝を有し、取付溝は、貫通孔と連通され、ベース部は、取付溝を形成する少なくとも１つの突出段差部を備える。
【００５８】
一実施形態によれば、回路基板部は、少なくとも１つの側面を備え、ベース部は、回路基板部の少なくとも１つの側面を包覆する。
【００５９】
一実施形態によれば、ベース部はさらに、回路基板部の底部を包覆する。
【００６０】
一実施形態によれば、ベース部は、カメラモジュールの光軸の方向に沿ってベース部上に配置された２つの取付溝を有し、取付溝の各々はベース部の内側の段差構造を形成するように貫通孔と連通される。
【００６１】
一実施形態によれば、カメラモジュールはさらに、上面に配置された少なくとも１つのフィルタを備え、フィルタは平坦に取り付けられる。
【００６２】
一実施形態によれば、レンズは、上面に取り付けられる。
【００６３】
一実施形態によれば、カメラモジュールは、少なくとも１つのモータを含み、レンズは、モータ上に設置され、モータは、ベース部の上面に設置される。
【００６４】
一実施形態によれば、カメラモジュールはさらに、取付溝に配置された少なくとも１つのフィルタを備える。
【００６５】
一実施形態によれば、レンズは、突出段差部上に取り付けられる。
【００６６】
一実施形態によれば、カメラモジュールは、少なくとも１つのモータを含み、レンズは、モータ上に設置され、モータは、突出段差部上に設置される。
【００６７】
一実施形態によれば、カメラモジュールはさらに、低い方の取付溝に配置されたフィルタを備える。
【００６８】
一実施形態によれば、レンズは、高い方の取付溝に取り付けられる。
【００６９】
一実施形態によれば、ベース部はさらに、高い方の位置の取付溝から上方に一体的に延在してベース部上に形成されたレンズ内壁を備える。
【００７０】
一実施形態によれば、レンズ内壁の表面は、滑らかであり、ねじ山の無いレンズを取り付けるように適合される。
【００７１】
一実施形態によれば、カメラモジュールはさらに、ベース部上に取り付けられた少なくとも１つのレンズフレームを備え、レンズフレームは、レンズを取り付けるように適合される。
【００７２】
一実施形態によれば、カメラモジュールはさらに、少なくとも１つの支持体と少なくとも１つのフィルタとを備え、支持体は、取付溝上に取り付けられ、フィルタは、支持体上に取り付けられる。
【００７３】
一実施形態によれば、回路基板部は、回路基板部上に配置され、貫通孔と連通する内側溝を有し、感光チップは、内側溝内に収容される。
【００７４】
一実施形態によれば、レンズは、レンズコーンと、レンズコーン内に取り付けられた少なくとも１つの光学系とを備え、フィルタは、レンズコーン内の光学系の下に取り付けられる。
【００７５】
一実施形態によれば、カメラモジュールはさらに、少なくとも１つのモータと、モータ内に取り付けられた少なくとも１つのフィルタとを備え、レンズは、フィルタの上でモータ内に取り付けられる。
【００７６】
一実施形態によれば、一体ベース部品は、ベース部によって包覆された少なくとも１つの回路要素を備える。
【００７７】
一実施形態によれば、回路要素は、抵抗器、コンデンサ、ダイオード、三極管、ポテンショメータ、継電器、ドライバ、プロセッサ、およびメモリから成る群から選択される。
【００７８】
一実施形態によれば、回路基板部は、回路基板部の両側を連通する少なくとも１つの通路を有し、感光チップは、通路上に取り付けられる。
【００７９】
一実施形態によれば、回路基板部は、補強保持部を有し、ベース部は、補強保持部まで延在する。
【００８０】
一実施形態によれば、回路基板部は、回路基板部の底部に重なる形で配置された補強層を備える。
【００８１】
一実施形態によれば、回路基板部は、カメラモジュールの外面を包覆する遮蔽層を備える。
【００８２】
一実施形態によれば、回路基板部は、ベース部の内側面を取り囲む形で設けられた遮蔽層を備える。
【００８３】
一実施形態によれば、回路基板部は、主回路基板を備え、主回路基板の材料は、リジッドフレキシブル基板、セラミック基板、およびリジッドＰＣＢから成る群から選択される。
【００８４】
一実施形態によれば、ベース部の材料は、ナイロン、ＬＣＰ、ＰＰ、および樹脂から成る群から選択される。
【００８５】
一実施形態によれば、成形部分の成形技術は、インサート成形またはプレス成形である。
【００８６】
一実施形態によれば、感光チップは、少なくとも１つの接続線を介して回路基板部と電気的に接続される。
【００８７】
本発明の別の態様によれば、本発明は、カメラモジュールであって、
少なくとも１つのレンズと、
少なくとも１つの感光チップと、
少なくとも１つの一体ベース部品と、
少なくとも１つのモータとを備え、
一体ベース部品は、ベース部と回路基板部とを備え、ベース部は、回路基板部内に一体的にパッケージングされ、感光チップは、回路基板部上に取り付けられ、レンズは、感光チップの受光路に沿って配置され、ベース部は、感光チップの光路を形成するためにベース部に形成された貫通孔を備え、
一体ベース部品は、モータを回路基板部と電気的に接続することができるようにベース部に事前に設置された少なくとも１つのモータ接続部材を備え、レンズは、レンズをモータによって調整することができるようにモータ上に取り付けられる、カメラモジュールを提供する。
【００８８】
一実施形態によれば、回路基板部は、主回路基板を備え、ベース部は、主回路基板上に成形によって一体的に形成される。
【００８９】
一実施形態によれば、モータ接続部材は、少なくとも１つのリード線と少なくとも１つのピンスロットとを備え、リード線は、ベース部上に設けられ、主回路基板と電気的に接続され、ピンスロットは、ベース部の上端部に設けられ、リード線は、溝底壁上に露出したモータ接続端部を有し、モータの少なくとも１つのモータピンがピンスロットに差し込まれたときにモータ接続端部と電気的に接続されるようにする。
【００９０】
一実施形態によれば、モータ接続部材は、少なくとも１つのピンスロットと、主回路基板と電気的に接続された少なくとも１つの回路接合部とを備え、ピンスロットは、ベース部上に設けられ、主回路基板は、ベース部の頂部まで延長され、回路接合部は、モータの少なくとも１つのモータピンがピンスロットに差し込まれたときに回路接合部と電気的に接続されるように、ピンスロット内で露出している。
【００９１】
一実施形態によれば、モータ接続部材は、ベース部上に配置され、モータピンと電気的に接続されるように主回路基板と電気的に接続される少なくとも１つのエッチング回路を備える。
【００９２】
一実施形態によれば、ベース部の厚さの範囲は、０．３ｍｍ〜１．２ｍｍである。
【００９３】
一実施形態によれば、カメラモジュールの断面サイズの範囲は、５ｍｍ〜２０ｍｍである。
【００９４】
一実施形態によれば、カメラモジュールの高さの範囲は、３ｍｍ〜６ｍｍである。
【００９５】
一実施形態によれば、回路基板部の厚さの範囲は、０．１５ｍｍ〜０．５ｍｍである。
【００９６】
一実施形態によれば、ベース部は、ベース部の厚さを増加させて、ベース部と回路基板部との間の接続の信頼性を高めるように、感光チップの外側面の周囲を隣接して取り囲む。
【００９７】
本発明の別の態様によれば、本発明はカメラモジュール用の一体ベース部品であって、
ベース部と、
回路基板部とを備え、
ベース部は、回路基板部内に一体的にパッケージングされ、カメラモジュールの感光チップは、回路基板部上に取り付けられるように適合され、ベース部は、感光チップ用の光路を形成するためにベース部上に形成された少なくとも１つの貫通孔を有し、レンズは、感光チップの光路に沿って配置される、一体ベース部品を提供する。
【００９８】
一実施形態によれば、一体ベース部品は、ベース部によって包覆された少なくとも１つの回路要素を備える。
【００９９】
一実施形態によれば、一体ベース部品は、ベース部の内側面上に配置された少なくとも１つの回路要素を備え、回路要素は、ベース部によって覆われない。
【０１００】
さらなる目的および利点は、以下の説明および図面を考察すれば明らかになるであろう。
【０１０１】
本発明の上記および他の目的、特徴、および利点は、以下の詳細な説明、添付図面、および添付の請求項から明らかになるであろう。
【図面の簡単な説明】
【０１０２】
【図１】従来のＣＯＢパッケージングのカメラモジュールの断面図である。
【図２】本発明の上記の第１の好適な実施形態に従うカメラモジュールの断面斜視図である。
【図３】本発明の上記の第１の好適な実施形態に従うカメラモジュールの分解斜視図である。
【図４】本発明の上記の第１の好適な実施形態に従うカメラモジュールの部分拡大斜視図である。
【図５】本発明の第１の好適な実施形態に従うカメラモジュールの成形回路ユニットの形成プロセスの斜視図である。
【図５】本発明の第１の好適な実施形態に従うカメラモジュールの成形回路ユニットの形成プロセスの斜視図である。
【図６Ａ】本発明の第１の好適な実施形態に従うカメラモジュールの成形回路ユニットの第１の代替形態の断面斜視図である。
【図６Ｂ】本発明の上記の第１の好適な実施形態に従うカメラモジュールの成形回路ユニットの第１の代替形態の部分拡大斜視図である。
【図７Ａ】本発明の上記の第１の好適な実施形態に従うカメラモジュールの成形回路ユニットの第２の代替形態の断面斜視図である。
【図７Ｂ】本発明の上記の第１の好適な実施形態に従うカメラモジュールの回路ユニットの第２の代替形態の部分拡大斜視図である。
【図８Ａ】本発明の上記の第１の好適な実施形態に従うカメラモジュールの回路ユニットの第３の代替形態の断面斜視図である。
【図８Ｂ】本発明の上記の第１の好適な実施形態に従うカメラモジュールの回路ユニットの第３の代替形態の部分拡大斜視図である。
【図９】本発明の第２の好適な実施形態に従うカメラモジュールの断面斜視図である。
【図１０】本発明の上記の第２の好適な実施形態に従うカメラモジュールの分解斜視図である。
【図１１】本発明の上記の第２の好適な実施形態に従うカメラモジュールの部分拡大斜視図である。
【図１２】本発明の第３の好適な実施形態に従うカメラモジュールの断面斜視図である。
【図１３】本発明の第３の好適な実施形態に従うカメラモジュールの成形回路ユニットの形成プロセスの斜視図である。
【図１４】本発明の第４の好適な実施形態に従うカメラモジュールの断面斜視図である。
【図１５】本発明の上記の第４の好適な実施形態に従うカメラモジュールの分解図である。
【図１６】本発明の第５の好適な実施形態に従う、成形プロセスベースのカメラモジュールの断面斜視図である。
【図１７】本発明の第５の好適な実施形態に従う、成形プロセスベースのカメラモジュールの分解図である。
【図１８Ａ】本発明の上記の第５の好適な実施形態の別の実施例に従う、成形プロセスベースのカメラモジュールを示す図である。
【図１８Ｂ】本発明の上記の第５の好適な実施形態の別の実施例に従う、成形プロセスベースのカメラモジュールを示す図である。
【図１８Ｃ】本発明の上記の第５の好適な実施形態の別の実施例に従う、成形プロセスベースのカメラモジュールを示す図である。
【図１９】本発明の第６の好適な実施形態に従う、成形プロセスベースのカメラモジュールの断面斜視図である。
【図２０】本発明の第７の好適な実施形態に従う、成形プロセスベースのカメラモジュールの断面斜視図である。
【図２１】本発明の第８の好適な実施形態に従う、成形プロセスベースのカメラモジュールの断面斜視図である。
【図２２】本発明の第９の好適な実施形態に従う、成形プロセスベースのカメラモジュールの断面斜視図である。
【図２３】本発明の第１０の好適な実施形態に従う、成形プロセスベースのカメラモジュールの断面斜視図である。
【図２４】本発明の第１１の好適な実施形態に従う、成形プロセスベースのカメラモジュールの断面斜視図である。
【図２５Ａ】本発明の第１２の好適な実施形態に従う、成形プロセスベースのカメラモジュールを異なる角度で示した断面図である。
【図２５Ｂ】本発明の第１２の好適な実施形態に従う、成形プロセスベースのカメラモジュールを異なる角度で示した断面図である。
【図２６】本発明の第１２の好適な実施形態に従う、成形プロセスベースのカメラモジュールの斜視図である。
【図２７】本発明の第１３の好適な実施形態に従う、一体パッケージングプロセスベースのカメラモジュールの断面斜視図である。
【図２８】本発明の第１３の好適な実施形態に従う一体ベース部品の製造プロセスを示す斜視図である。
【図２９】本発明の第１３の好適な実施形態に従う一体ベース部品の製造方法を示すブロック図である。
【図３０】本発明の上記の第１３の好適な実施形態の別の実施例に従う、一体パッケージングプロセスベースのカメラモジュールを示す図である。
【図３１Ａ】本発明の第１４の好適な実施形態に従う、一体パッケージングプロセスベースのカメラモジュールおよびそのモータ接続部材の異なる実施例を示す図である。
【図３１Ｂ】本発明の第１４の好適な実施形態に従う、一体パッケージングプロセスベースのカメラモジュールおよびそのモータ接続部材の異なる実施例を示す図である。
【図３１Ｃ】本発明の第１４の好適な実施形態に従う、一体パッケージングプロセスベースのカメラモジュールおよびそのモータ接続部材の異なる実施例を示す図である。
【図３１Ｄ】本発明の第１４の好適な実施形態に従う、一体パッケージングプロセスベースのカメラモジュールおよびそのモータ接続部材の異なる実施例を示す図である。
【図３２】本発明の第１５の好適な実施形態に従う、一体パッケージングプロセスベースのカメラモジュールおよびその一体ベース部品の断面図である。
【図３３】本発明の第１６の好適な実施形態に従う、一体パッケージングプロセスベースのカメラモジュールおよびその一体ベース部品の断面図である。
【図３４】本発明の第１７の好適な実施形態に従う、一体パッケージングプロセスベースのカメラモジュールおよびその一体ベース部品の断面図である。
【図３５】本発明の第１８の好適な実施形態に従う、一体パッケージングプロセスベースのカメラモジュールおよびその一体ベース部品の断面図である。
【図３６】本発明の第１９の好適な実施形態に従う、一体パッケージングプロセスベースのカメラモジュールおよびその一体ベース部品の断面図である。
【図３７】本発明の第２０の好適な実施形態に従う、一体パッケージングプロセスベースのカメラモジュールおよびその一体ベース部品の断面図である。
【図３８】本発明の第２１の好適な実施形態に従う、一体パッケージングプロセスベースのカメラモジュールおよびその一体ベース部品の断面図である。
【図３９】本発明の第２２の好適な実施形態に従う、一体パッケージングプロセスベースのカメラモジュールおよびその一体ベース部品の断面図である。
【図４０】本発明の上記の第２２の好適な実施形態の別の実施例に従う、一体パッケージングプロセスベースのカメラモジュールを示す図である。
【図４１】従来のカメラモジュールの構造的強度と本発明の上記の好適な実施形態に従う一体パッケージングプロセスベースのカメラモジュールの構造的強度との比較を示す斜視図である。
【図４２】従来のカメラモジュールの横寸法と本発明の上記の好適な実施形態に従う一体パッケージングプロセスベースのカメラモジュールの横寸法との比較を示す斜視図である。
【図４３】従来のカメラモジュールの高さと本発明の上記の好適な実施形態に従う一体パッケージングプロセスベースのカメラモジュールの高さとの比較を示す斜視図である。
【図４４】本発明の上記の好適な実施形態の別の実施例に従う、一体パッケージングプロセスベースのカメラモジュールの平滑性を示す図である。
【図４５】従来のカメラモジュールの撮像と本発明の上記の好適な実施形態に従う一体パッケージングプロセスベースのカメラモジュールの撮像との比較を示す斜視図である。
【図４６Ａ】従来のカメラモジュールの製造プロセスと本発明の上記の好適な実施形態に従う一体パッケージングプロセスベースのカメラモジュールの製造プロセスとの比較を示す斜視図である。
【図４６Ｂ】従来のカメラモジュールの製造プロセスと本発明の上記の好適な実施形態に従う一体パッケージングプロセスベースのカメラモジュールの製造プロセスとの比較を示す斜視図である。
【図４７】本発明の第２３の好適な実施形態に従う、一体パッケージングプロセスベースのカメラモジュールの垂直断面斜視図である。
【図４８】本発明の第２４の好適な実施形態に従う、一体パッケージングプロセスベースのカメラモジュールの垂直断面斜視図である。
【図４９Ａ】先行技術に従う成形によって形成されたカメラモジュールを示す斜視図である。
【図４９Ｂ】先行技術に従う従来の成形によって形成されたカメラモジュールを示す斜視図である。
【図４９Ｃ】先行技術に従う従来の成形によって形成されたカメラモジュールを示す斜視図である。
【図４９Ｄ】先行技術に従う従来の成形によって形成されたカメラモジュールを示す斜視図である。
【図４９Ｅ】先行技術に従う従来の成形によって形成されたカメラモジュールを示す斜視図である。
【図５０】本発明の第２５の好適な実施形態に従うカメラモジュールの断面斜視図である。
【図５１】本発明の第２５の好適な実施形態に従うカメラモジュールの成形回路ユニットの斜視図である。
【図５２】本発明の第２５の好適な実施形態に従うカメラモジュールの成形回路ユニットの傾斜を示す図である。
【図５３】本発明の上記の第２５の好適な実施形態に従うカメラモジュールの斜視図である。
【図５４Ａ】本発明の上記の第２５の好適な実施形態に従う成形回路ユニットの製造プロセスを示す斜視図である。
【図５４Ｂ】本発明の上記の第２５の好適な実施形態に従う成形回路ユニットの製造プロセスを示す斜視図である。
【図５５】本発明の上記の第２５の好適な実施形態に従う成形回路ユニットの離型プロセスを示す斜視図である。
【図５６】本発明の上記の第２５の好適な実施形態に従う成形回路ユニットの代替形態を示す図である。
【図５７】本発明の上記の第２５の好適な実施形態に従う成形回路ユニットの別の代替形態を示す図である。
【図５８】本発明の上記の第２５の好適な実施形態に従うカメラモジュールの適用例を示した図である。
【図５９】本発明の上記の第２１の好適な実施形態に従うカメラモジュールの代替形態を示す図である。
【発明を実施するための形態】
【０１０３】
以下の説明は、当業者が本発明を実施することができるように開示されている。以下の説明における好適な実施形態は、単なる例に過ぎない。当業者であれば、他の明らかな変更形態を考え付くことができる。以下の説明の中で定義される本発明の基本概念は、本発明の範囲または精神から逸脱しない、他の実施形態、修正形態、改良形態、等価物、および他の技術的解決法にも適用可能である。
【０１０４】
当業者であれば、本発明の開示内容において、「長手方向」、「横方向」、「上」、「前面」、「裏」、「左」、「右」、「垂直方向」、「水平方向」、「頂部」、「底部」、「内側」、「外側」、および向きまたは位置の関係を示すそれ以外の用語は、添付図面に示されている向きまたは位置の関係に基づいており、単に本発明を説明しやすくして、説明を簡単にするために使用されているのであって、言及されたデバイスまたは要素が特定の向きを適用しなければならない、または特定の向きに操作され、または構成されなければならないことを示す、または意味するものではないことを理解されたい。したがって、上記の用語は、本発明を制限するものとして解釈されるべきではない。
【０１０５】
以下の説明における用語「１つの」、「一」、および「一つ」は、実施形態において「少なくとも１つの」または「１つ以上の」を指すことを理解されたい。特に、「一」は、ある実施形態では「１つの」を指すが、別の実施形態では「１つよりも多い」を指す場合がある。したがって、上記用語は、本発明の要素の実際の数値を限定するものであってはならない。
【０１０６】
図２〜図５は、本発明の第１の好適な実施形態に従う成形プロセスベースのカメラモジュールを示す。カメラモジュールは、写真撮影の作業を支援するのに、様々な電子デバイスで利用され得る。例えば、カメラモジュールは、物体または人物の写真またはビデオを撮影するのに利用され得る。好ましくは、カメラモジュールは、例えば、これらに限定されないが、携帯電話、タブレット、ＴＶ、高性能車両、高性能監視装置などの様々な電子デバイスで利用され得る。
【０１０７】
図２〜図５は、本発明の第１の好適な実施形態に従うカメラモジュールを示す。カメラモジュールは成形回路ユニット１０１０と、レンズ１０５０と、モータ１０６０と、感光チップ１０３０とを含むズームレンズカメラモジュールであり得る。当然、カメラモジュールは、この実施形態のモータを含まない固定焦点カメラモジュールおよびドライバ（モータ）を含む以下の実施形態の代替形態として代替的に具現化され得ることは理解できる。レンズは、レンズフレーム上に取り付けられ、その後、成形回路ユニット上に取り付けられる。
【０１０８】
モータ１０６０は、成形回路ユニット１０１０上に設置され、レンズ１０５０は、レンズ１０５０が成形回路ユニット１０１０の上で支持されるように、モータ１０６０上に設置される。
【０１０９】
さらに、成形回路ユニット１０１０は、成形部分１０１１と回路基板部１０１２とを含み、成形部分１０１１は、成形によって回路基板部１０１２に接続される。
【０１１０】
回路基板部１０１２は、主回路基板１０１２１を含み、感光チップ１０３０は、主回路基板１０１２１上かつ成形部分１０１１の内側面に設置される。
【０１１１】
具体的には、モータ１０６０は、成形回路ユニット１０１０の成形部分１０１１上に設置され、回路基板部１０１２に電気的に接続され、レンズ１０５０は、モータ１０６０上に設置され、レンズ１０５０は、モータ１０６０によってオートフォーカスするように適合される。レンズ１０５０は、感光チップ１０３０の受光路に沿って配置されるので、カメラモジュールが物体の画像を取り込むときに、物体から反射された光は、最初にレンズ１０５０によって処理され、その後、光電変換に適応できるように感光チップ１０３０によって受光され得る。
【０１１２】
さらに、回路基板部１０１２は、感光回路と、少なくとも１つの回路要素１０１２２とを含む。感光回路は、主回路基板１０１２１内に事前に設置され、回路要素１０１２２は、感光チップ１０３０の感光動作のプロセスを提供するために感光回路および感光チップ１０３０に電気的に接続される。回路要素１０１２２は、例えば、抵抗器、コンデンサ、ダイオード、三極管、ポテンショメータ、継電器、ドライバ、プロセッサ、メモリなどであり得るが、これらに限定されない。
【０１１３】
特に、本発明の一実施形態では、カメラモジュールが組み立てられているときに、モータ１０６０は、少なくとも１つのモータピン１０６１を介して感光回路に電気的に接続され、モータピン１０６１は、主回路基板１０１２１にはんだ付けされる。
【０１１４】
成形部分１０１１は回路要素１０１２２を内部に包み込むことができるので、回路要素１０１２２は空間内で直接露出しておらず、特に、感光チップ１０３０と連通する閉鎖環境において露出していないことも理解しておきたい。この回路要素の形態は、塵埃および雑物が回路要素に付着し、感光チップを汚染するのを防止するために、抵抗器ーコンデンサ部品のような従来のカメラモジュールの回路要素の示す形とは異なる。成形部分１０１１は、成形部分１０１１で感光チップ１０３０の外側面を取り囲んで、レンズ１０５０および感光チップ１０３０用の光路を形成するために、貫通孔１０１１００を形成する。すなわち、成形部分は、感光チップ用の光学窓を形成する。レンズ１０５０を通過する光はさらに、光学窓を通過してカメラモジュール内の感光チップに到達し得る。
【０１１５】
成形部分１０１１が回路要素１０１２２を包み込む形は、回路要素１０１２２を保護する利点を有するが、当業者は、成形部分１０１１が回路要素１０１２２を包み込む形に制限されないことを理解すべきであることに留意されたい。すなわち、本発明の他の実施形態では、成形部分１０１１は、回路要素１０１２２が突出していない回路基板上に直接成形され得る、または回路要素１０１２２の外側面および外周を含む様々な位置で成形され得る、または主回路基板１０１２１の内部に組み込まれ得る。
【０１１６】
本発明の一実施形態では、成形部分１０１１は感光チップ１０３０の外側面を突出する形で取り囲むことも理解されたい。特に、成形部分１０１１は、十分な封止品質を有するように一体的に閉鎖する形で接続されるので、モータ１０６０が成形部分１０１１上に設置されたときに、感光チップ１０３０は内部で封止されて、封止内部空間が形成される。
【０１１７】
具体的には、成形回路ユニットを製造するときに、従来の回路基板は、主回路基板１０１２１として使用され得、成形は主回路基板１０１２１の表面で行われる。例えば、表面実装技術（ＳＭＴ）によって処理された回路基板は、射出成形機を用いたインサート成形技術によって成形部分１０１１を形成するために、または半導体パッケージングで一般に使用されるプレス成形によって成形部分１０１１を形成するために成形され得る。主回路基板１０１２１は、代替形態として、例えば、リジッドフレキシブル基板、セラミック基板（フレキシブル基板を含まない）、またはリジッドＰＣＢ（フレキシブル基板を含まない）であり得るが、これらに限定されない。成形部分１０１１を形成する方法は、場合により、例えば、射出成形技術またはプレス成形技術であり得るが、これらに限定されない。成形部分１０１１の可能な材料は、例えば、射出成形用のナイロン、ＬＣＰ（液晶ポリマー）、またはＰＰ（ポリプロピレン）、およびプレス成形用の樹脂であるが、これらに限定されない。当業者は、上記の可能な製造方法および任意の材料は、本発明の実施例を説明するための例に過ぎず、本発明を制限するものではないことを理解すべきである。
【０１１８】
さらに、モータ１０６０は回路ユニット１０１０の成形部分１０１１上に設置されるので、成形部分１０１１はモータ１０６０を支持して固定するための従来のカメラモジュールのフレームの機能を果たすが、従来のＣＯＢ技術のプロセスとは異なる組み立て方法を使用することにも留意されたい。従来のＣＯＢ技術のカメラモジュールのフレームは、貼付方法を使用して、回路基板上に固定される。しかしながら、成形部分１０１１は、貼付および固定のプロセスの必要がない成形技術によって主回路基板１０１２１上に取り付けられる。成形方法は、貼付および固定プロセスに比べて技術プロセスの十分な接続安定性および可制御性を有する。さらに、成形部分１０１１と主回路基板１０１２１との間のＡＡ調整用に確保される接着空間は必要なく、従来のカメラモジュールのＡＡ調整用の前方の余分な空間が低減され、その結果、カメラモジュールの厚さが低減され得る。一方、成形部分１０１１は、従来のカメラモジュールのように回路部品の周囲の安全距離を確保するのではなく、従来のフレーム機能と回路要素とが空間的に重なって設置されるように、回路要素１０１２２を包み込む。したがって、フレーム機能を有する成形部分１０１１の高さは、さらにカメラモジュールの厚さを低減することができるように、より小さな範囲に設定され得る。さらに、成形部分１０１１は、従来のフレームの代わりに使用され、その結果、フレームの固定および組み立てで生じる傾斜誤差が防止され、カメラモジュールの組み立ての累積公差が低減される。
【０１１９】
また、成形部分１０１１は、サセプタ１０１１１を含み、サセプタ１０１１１は、フィルタ１０４０を設置するように適合されるので、フィルタ１０４０が感光チップ１０３０の上に配置される。すなわち、レンズ１０５０に入射した光は、光学フィルタ１０３０によって処理された後に感光チップ１０４０に到達する。フィルタ１０４０は、例えば、ＩＲカットフィルタ（ＩＲＣＦ）として実施され得るが、これに限定されない。
【０１２０】
成形部分１０１１のサセプタ１０１１１は、フィルタ１０４０に十分な設置空間を付与するために、内側リング溝１０１１３を形成する。成形部分１０１１、フィルタ１０４０、および回路要素１０１２２を合理的に配置するために、成形部分１０１１は、モータ１０６０をフィルタ１０４０に接続し、フィルタ１０４０用の設置場所を形成するための従来のフレームの代わりに使用され、このことにより感光チップ１０３０の感光領域の外側の自由空間が十分に活用されてカメラモジュールが最小化されることに留意されたい。その一方で、成形技術の利点により、成形部分１０１１は水平で滑らかな形でサセプタ１０１１１を形成することができるので、フィルタ１０４０を平坦に設置することができ、このことにより光の方向の一貫性が保証される。
【０１２１】
より具体的には、内側リング溝１０１１３の垂直断面は、Ｌリング形状であり、成形部分１０１１の貫通孔１０１１００と連通されるので、フィルタ１０４０は、感光チップ１０３０の受光路に沿って支持され設置される。
【０１２２】
本発明のこの実施形態によれば、感光チップ１０３０は、一連のリード線１０３１によって主回路基板１０１２１に接続され、感光回路に電気的に接続される。リード線１０３１は、例えば、金線、銅線、アルミニウム線、または銀線として実施され得るが、これに限定されない。特に、感光チップ１０３０および一連のリード線１０３１は、従来のＣＯＢ方法（例えば、これに限定されないが、溶接）によって、主回路基板１０１２１に接続され得る。すなわち、感光チップ１０３０と主回路基板１０１２１との間の接続は、完全に既存の熟練した接続技術を使用することで、技術改良のコストを低減し、従来の技術および設備を十分に活用して、資源の浪費を回避することができる。当然、当業者は、感光チップ１０３０と主回路基板１０１２１との間の接続は、本発明の目的を達成することができる任意の他の接続方法を使用して実施されてもよく、本発明はこの点に関して制限されないことを理解できるはずである。
【０１２３】
本発明のこの実施形態では、感光チップ１０３０は主回路基板１０１２１の上面に配置され（例えば、取り付けられ）、成形部分１０１１は感光チップ１０３０の外側面を取り囲むことも理解されたい。成形回路ユニット１０１０を製造する際に、様々な可能な製造順序がある。例えば、これに限定されないが、一実施例では、最初に、感光チップ１０３０が主回路基板１０１２１上に設置され、その後、成形部分１０１１が感光チップ１０３０の外側面および主回路基板１０１２１の辺縁部に形成されて、主回路基板１０１２１の内部で主回路基板１０１２１から突出した回路要素１０１２２を包み込む。さらに、本発明の別の実施例では、最初に、成形部分１０１１を形成して主回路基板１０１２１の内部で主回路基板１０１２１から突出した回路要素１０１２２を包み込むように、主回路基板１０１２１の辺縁部が成形され得る。次に、感光チップ１０３０が、成形部分１０１１の内側面に配置されるように、主回路基板１０１２１上に設置され得る。
【０１２４】
図６Ａおよび図６Ｂは、本発明の第１の好適な実施形態に従うカメラモジュールの成形回路ユニットの第１の代替形態を示す。成形回路ユニット１０１０Ａは、成形部分１０１１Ａと回路基板部１０１２Ａとを含み、成形部分１０１１Ａは、回路基板部１０１２Ａに成形によって接続される。
【０１２５】
回路基板部１０１２Ａは、主回路基板１０１２１Ａを含み、感光チップ１０３０は、主回路基板１０１２１Ａ上かつ成形部分１０１１Ａの内側面に設置される。
【０１２６】
具体的には、モータ１０６０は、回路ユニット１０Ａの成形部分１０１１Ａ上に設置され、回路基板部１０１２Ａに電気的に接続され、レンズ１０５０は、モータ１０６０上に設置され、レンズ１０５０は、モータ１０６０によってオートフォーカスするように適合される。レンズ１０５０は、感光チップ１０３０の受光路に沿って配置されるので、カメラモジュールが物体の画像を取り込むときに、物体から反射された光は、最初にレンズ１０５０によって処理され、その後、光電変換に適応できるように感光チップ１０３０によって受光され得る。
【０１２７】
さらに、回路基板部１０１２Ａは、感光回路と、少なくとも１つの回路要素１０１２２Ａとを含む。感光回路は、主回路基板１０１２１Ａ内に事前に設置され、回路要素１０１２２Ａは、感光チップ１０３０の感光動作のプロセスを提供するために感光回路および感光チップ１０３０に電気的に接続される。回路要素１０１２２Ａは、具体的には、抵抗器、コンデンサ、ダイオード、三極管、ポテンショメータ、継電器、ドライバ、プロセッサ、メモリなどであり得るが、これらに限定されない。
【０１２８】
特に、本発明の一実施形態では、カメラモジュールが組み立てられているときに、モータ１０６０は、少なくとも１つのモータピン１０６１を介して感光回路に電気的に接続され、モータピン１０６１は、主回路基板１０１２１にはんだ付けされる。
【０１２９】
成形部分１０１１Ａは回路要素１０１２２Ａを内部に包み込むので、回路要素１０１２２Ａは空間内で直接露出しておらず、特に、感光チップ１０３０と連通する閉鎖環境において露出していないことも理解しておきたい。この回路要素の形態は、塵埃および雑物が回路要素に付着し、感光チップを汚染するのを防止するために、抵抗器ーコンデンサ部品のような従来のカメラモジュールの回路要素の示す形とは異なる。成形部分１０１１Ａは、成形部分１０１１Ａで感光チップ１０３０の外側面を取り囲んで、レンズ１０５０および感光チップ１０３０用の光路を提供するために貫通孔１０１１００Ａを形成する。
【０１３０】
さらに、主回路基板１０１２１Ａは、内側溝１０１２１１Ａを含み、感光チップ１０３０は、内側溝１０１２１１Ａの内側に設置される。上記の実施形態の成形回路ユニットとは異なり、主回路基板１０１２１Ａは、その内側に設置され、感光チップ１０３０を内部に収容する内側溝１０１２１１Ａを有するので、感光チップ１０３０は、主回路基板１０１２１Ａの上面から大きく突出せず、そのことにより感光チップ１０３０の高さが成形部分１０１１Ａに対して低くなり得、その結果、感光チップ１０３０からの成形部分１０１１Ａの高さ限界が低減され、さらに高さを低くする可能性が得られる。
【０１３１】
具体的には、成形回路ユニット１０１０を製造するときに、従来の回路基板は、主回路基板１０１２１Ａとして使用され得、成形は主回路基板１０１２１Ａの表面で行われる。例えば、表面実装技術（ＳＭＴ）によって処理された回路基板は、射出成形機を用いたインサート成形技術によって成形部分１０１１Ａを形成するために、または半導体パッケージングで一般に使用されるプレス成形によって成形部分１０１１Ａを形成するために成形され得る。特に、一実施形態では、最初に、内側溝１２１１０Ａが主回路基板１０１２１Ａ上に形成されなければならない。すなわち、内側溝１０１２１１Ａは、感光チップ１０３０の収容および設置に適応できるように、従来の主回路基板上に形成される。主回路基板１０１２１Ａは、代替形態として、例えば、リジッドフレキシブル基板、セラミック基板（フレキシブル基板を含まない）、またはリジッドＰＣＢ（フレキシブル基板を含まない）であり得るが、これらに限定されない。成形部分１０１１Ａを形成する方法は、場合により、例えば、射出成形技術またはプレス成形技術であり得るが、これらに限定されない。成形部分１０１１Ａの可能な材料は、例えば、射出成形用のナイロン、ＬＣＰ（液晶ポリマー）、またはＰＰ（ポリプロピレン）、およびプレス成形用の樹脂であるが、これらに限定されない。当業者は、上記の可能な製造方法および任意の材料は、本発明の実施例を説明するための例に過ぎず、本発明を制限するものではないことを理解すべきである。
【０１３２】
さらに、モータ１０６０は回路ユニット１０１０Ａの成形部分１０１１Ａ上に設置されるので、成形部分１０１１Ａはモータ１０６０を支持して固定するための従来のカメラモジュールのフレームの機能を果たすが、従来のＣＯＢ技術のプロセスとは異なる組み立て方法を使用することにも留意されたい。従来のＣＯＢ技術のカメラモジュールのフレームは、貼付方法を使用して、回路基板上に固定される。しかしながら、成形部分１０１１Ａは、貼付および固定のプロセスの必要がない成形技術によって主回路基板１０１２１Ａ上に取り付けられる。成形方法は、貼付および固定プロセスに比べて技術プロセスの十分な接続安定性および可制御性を有する。さらに、成形部分１０１１Ａと主回路基板との間のＡＡ調整用に確保される接着空間は必要なく、従来のカメラモジュールのＡＡ調整用の前方の余分な空間が低減され、その結果、カメラモジュールの厚さが低減され得る。一方、成形部分１０１１Ａは、従来のカメラモジュールのように回路部品の周囲の安全距離を確保するのではなく、従来のフレーム機能と回路要素とが空間的に重なって設置されるように、回路要素１０１２２Ａを包み込む。したがって、フレーム機能を有する成形部分１０１１Ａの高さは、さらにカメラモジュールの厚さを低減することができるように、より小さな範囲に設定され得る。さらに、成形部分１０１１Ａは、従来のフレームの代わりに使用され、その結果、フレームの固定および組み立てで生じる傾斜誤差が防止され、カメラモジュールの組み立ての累積公差が低減される。
【０１３３】
また、成形部分１０１１Ａは、サセプタ１０１１１Ａを含み、サセプタ１０１１１Ａは、フィルタ１０４０を設置するように適合可能であり、フィルタ１０４０が感光チップ１０３０の上に配置される。すなわち、レンズ１０５０に入射した光は、光学フィルタ１０３０によって処理された後に感光チップ１０４０に到達する。フィルタ１０４０は、例えば、ＩＲカットフィルタ（ＩＲＣＦ）として実施され得るが、これに限定されない。
【０１３４】
成形部分１０１１Ａのサセプタ１０１１１Ａは、フィルタ１０４０に十分な設置空間を付与するために、内側リング溝１０１１３Ａを形成する。成形部分１０１１Ａ、フィルタ１０４０、および回路要素１０１２２Ａを合理的に配置するために、成形部分１０１１は、モータ１０６０をフィルタ１０４０に接続し、フィルタ１０４０用の設置場所を形成するための従来のフレームの代わりに使用され、このことにより感光チップ１０３０の感光領域の外側の自由空間が十分に活用されてカメラモジュールが最小化されることに留意されたい。その一方で、成形技術の利点により、成形部分１０１１Ａは水平で滑らかな形でサセプタ１０１１１Ａを形成することができるので、フィルタ１０４０を平坦に設置することができ、このことにより光の方向の一貫性が保証される。
【０１３５】
より具体的には、内側リング溝１０１１３Ａの垂直断面は、Ｌリング形状であり、成形部分１０１１Ａの貫通孔１０１１００Ａと連通されるので、フィルタ１０４０は、感光チップ１０３０の受光路に沿って支持され設置され得る。
【０１３６】
本発明のこの実施形態によれば、感光チップ１０３０は、一連のリード線１０３１Ａを介して主回路基板１０１２１Ａに接続され、感光回路に電気的に接続される。リード線５１Ａは、例えば、金線、銅線、アルミニウム線、または銀線として実施され得るが、これに限定されない。特に、感光チップ１０３０および一連のリード線１０３１Ａは、従来のＣＯＢ方法（例えば、これに限定されないが、溶接）によって、主回路基板１０１２１Ａに接続され得る。すなわち、感光チップ１０３０と主回路基板１０１２１Ａとの間の接続は、完全に既存の熟練した接続技術を使用することで、技術改良のコストを低減し、従来の技術および設備を十分に活用して、資源の浪費を回避することができる。当然、当業者は、感光チップ１０３０と主回路基板１０１２１Ａとの間の接続は、本発明の目的を達成することができる任意の他の接続方法を使用して実施されてもよく、本発明はこの点に関して制限されないことを理解できるはずである。
【０１３７】
本発明のこの実施形態では、感光チップ１０３０は主回路基板１０１２１Ａの内側溝１０１２１１Ａに設置され、成形部分１０１１Ａは感光チップ１０３０の外側面を取り囲むことも理解されたい。成形回路ユニットを製造する際に、様々な可能な製造順序がある。例えば、これに限定されないが、一実施例では、最初に、感光チップ１０３０が主回路基板１０１２１Ａの内側溝１２１１０Ａ内に設置され得るように内側溝１０１２１１Ａが主回路基板１０１２１Ａ上に形成され、その後、成形部分１０１１Ａが感光チップ１０３０の外側面および主回路基板１０１２１Ａの辺縁部に形成されて、主回路基板１０１２１Ａの内部で主回路基板１０１２１Ａから突出した回路要素１０１２２Ａを包み込む。さらに、本発明の別の実施形態では、最初に、内側溝１０１２１１Ａが主回路基板１０１２１Ａ上に形成され得、その後、成形部分１０１１Ａを形成して主回路基板１０１２１Ａの内部で主回路基板１０１２１Ａから突出した回路要素１０１２２Ａを包み込むように、主回路基板１０１２１Ａの辺縁部が成形され得る。次に、感光チップ１０３０が、成形部分１０１１Ａの内側面に配置されるように、主回路基板１０１２１Ａの内側溝１０１２１１Ａに設置され得る。
【０１３８】
図７Ａおよび図７Ｂは、本発明の上記の第１の好適な実施形態に従うカメラモジュールの成形回路ユニットの第２の代替形態を示す。成形回路ユニット１０１０Ｂは、成形部分１０１１Ｂと回路基板部１０１２Ｂとを含み、成形部分１０１１Ｂは、成形によって回路基板部１０１２Ｂに接続される。
【０１３９】
回路基板部１０１２Ｂは、主回路基板１０１２１Ｂを含み、感光チップ１０３０は、主回路基板１０１２１Ｂ上かつ成形部分１０１１Ｂの内側面に設置される。
【０１４０】
具体的には、モータ１０６０は、回路ユニット１０Ｂの成形部分１０１１Ｂ上に設置され、回路基板部１０１２Ｂに電気的に接続され、レンズ１０５０は、モータ１０６０上に設置され、レンズ１０５０は、モータ１０６０によってオートフォーカスするように適合される。レンズ１０５０は、感光チップ１０３０の受光路に沿って配置されるので、カメラモジュールが物体の画像を取り込むときに、物体から反射された光は、最初にレンズ１０５０によって処理され、その後、光電変換に適応できるように感光チップ１０３０によって受光され得る。
【０１４１】
さらに、回路基板部１０１２Ｂは、感光回路（図示せず）と、少なくとも１つの回路要素１０１２２Ｂとを含む。感光回路は、主回路基板１０１２１Ｂ内に事前に設置され、回路要素１０１２２Ｂは、感光チップ１０３０の感光動作のプロセスを提供するために感光回路および感光チップ１０３０に電気的に接続される。回路要素１０１２２Ｂは、例えば、抵抗器、コンデンサ、ダイオード、三極管、ポテンショメータ、継電器、ドライバ、プロセッサ、メモリなどであり得るが、これらに限定されない。
【０１４２】
特に、本発明の一実施形態では、カメラモジュールが組み立てられているときに、モータ１０６０は、少なくとも１つのモータピン１０６１を介して感光回路に電気的に接続され、線は、主回路基板１０１２１にはんだ付けされる。
【０１４３】
成形部分１０１１Ｂは回路要素１０１２２Ｂを内部に包み込むので、回路要素１０１２２Ｂは空間内で直接露出しておらず、特に、感光チップ１０３０と連通する閉鎖環境において露出していないことも理解しておきたい。この回路要素の形態は、塵埃および雑物が回路要素に付着し、感光チップを汚染するのを防止するために、抵抗器ーコンデンサ部品のような従来のカメラモジュールの回路要素の示す形とは異なる。成形部分１０１１Ｂは、成形部分１０１１Ｂで感光チップ１０３０の外側面を取り囲んで、レンズ１０５０および感光チップ１０３０用の光路を提供するために貫通孔１０１１００Ｂを形成する。
【０１４４】
さらに、主回路基板１０１２１Ｂは、通路１０１２１２Ｂを有し、通路１０１２１２Ｂの下部は、感光チップ１０３０の設置に適合される。通路１０１２１２Ｂは、主回路基板１０１２１Ｂの上側面と下側面とを連通させるので、感光チップ１０３０が主回路基板１０１２１Ｂの裏面から、感光領域が対向する形で主回路基板１０１２１Ｂ上に設置されたときでも、感光チップ１０３０の感光領域はレンズ１０５０からの入射光を受光する状態であり得る。
【０１４５】
さらに、通路１０１２１２Ｂは、感光チップ１０３０用の設置場所を設けるために、通路１０１２１２Ｂの底側に外側リング溝１０１２１３Ｂを有する。特に、感光チップ１０３０が底側の外側リング溝１０１２１３に設置されたときに、感光チップ１０３０の底面は、主回路基板１０１２１Ｂの表面と一致し、感光チップ１０３０の底面と主回路基板１０１２１Ｂの表面は同一平面になる。代替形態として、感光チップ１０３０の底面は、主回路基板１０１２１Ｂの表面に対して沈んだ状態であり得る。すなわち、感光チップ１０３０の底面は、成形回路ユニット１０１０Ｂの表面の平坦性を保証するように、主回路基板１０１２１Ｂの表面から突出しない状態であり得る。
【０１４６】
本発明のこの実施形態では、通路１０１２１２Ｂは段差形状であるため、感光チップ１０３０が設置しやすくなり、感光チップ１０３０用の安定的な設置場所が提供され、その結果、さらに感光チップ１０３０の感光領域は内側空間に存在するようになる。
【０１４７】
本発明のこの実施形態は、従来の方法とは異なる、ある種のチップ設置方法を提供し、これはフリップチップ（ＦＣ）方法であることに留意されたい。感光チップ１０３０は、主回路基板１０１２１Ｂの背面方向から主回路基板１０１２１Ｂに設置され、これは、主回路基板１０１２１の前面から、すなわち、感光チップ１０３０の感光領域が上方を向いた状態で主回路基板１０１２１の上側から主回路基板１０１２１上に設置する必要がある上記実施形態とは異なる。この種の構造および設置方法は、感光チップ１０３０と成形部分１０１１Ｂとを比較的独立した状態にすることができる。感光チップ１０３０の設置は、成形部分１０１１Ｂによって影響を受けなくなる。さらに成形部分１０１１Ｂの成形は、感光チップ１０３０にほとんど影響を与えない。さらに、感光チップ１０３０は、主回路基板１０１２１Ｂの内側により大きな空間を残すように、主回路基板１０１２１Ｂの内側へ突出せずに主回路基板１０１２１Ｂの外側に組み込まれるので、成形部分１０１１Ｂの高さは感光チップ１０３０の高さによって制限されることはなくなり、その結果、成形部分１０１１Ｂの高さを低くすることができる。
【０１４８】
具体的には、成形回路ユニットを製造するときに、従来の回路基板は、主回路基板１０１２１Ｂとして使用され得、成形は主回路基板１０１２１Ｂの表面で行われる。例えば、表面実装技術（ＳＭＴ）によって処理された回路基板は、射出成形機を用いたインサート成形技術によって成形部分１０１１Ｂを形成するために、または半導体パッケージングで一般に使用されるプレス成形によって成形部分１０１１Ｂを形成するために、さらに主回路基板１０１２１Ｂ上に通路１０１２１２Ｂを形成するために、成形され得る。主回路基板１０１２１Ｂは、代替形態として、例えば、リジッドフレキシブル基板、セラミック基板（フレキシブル基板を含まない）、またはリジッドＰＣＢ（フレキシブル基板を含まない）であり得るが、これらに限定されない。成形部分１０１１Ｂを形成する方法は、場合により、例えば、射出成形技術またはプレス成形技術であり得るが、これらに限定されない。成形部分１０１１Ｂの可能な材料は、例えば、射出成形用のナイロン、ＬＣＰ（液晶ポリマー）、またはＰＰ（ポリプロピレン）、およびプレス成形用の樹脂であるが、これらに限定されない。当業者は、上記の可能な製造方法および任意の材料は、本発明の実施例を説明するための例に過ぎず、本発明を制限するものではないことを理解すべきである。
【０１４９】
さらに、モータ１０６０は回路ユニット１０１０Ｂの成形部分１０１１Ｂ上に設置されるので、成形部分１０１１Ｂはモータ１０６０を支持して固定するための従来のカメラモジュールのフレームの機能を果たすが、従来のＣＯＢ技術のプロセスとは異なる組み立て方法を使用することにも留意されたい。従来のＣＯＢ技術のカメラモジュールのフレームは、貼付方法を使用して、回路基板上に固定される。しかしながら、成形部分１０１１は、貼付および固定のプロセスの必要がない成形技術によって主回路基板１０１２１Ｂ上に取り付けられる。成形方法は、貼付および固定プロセスに比べて技術プロセスの十分な接続安定性および可制御性を有する。さらに、成形部分１０１１と主回路基板との間のＡＡ調整用に確保される接着空間は必要なく、従来のカメラモジュールのＡＡ調整用の前方の余分な空間が低減され、その結果、カメラモジュールの厚さが低減され得る。一方、成形部分１０１１Ｂは、従来のカメラモジュールのように回路部品の周囲の安全距離を確保するのではなく、従来のフレーム機能と回路要素とが空間的に重なって設置されるように、回路要素１０１２２Ｂを包み込む。したがって、フレーム機能を有する成形部分１０１１Ｂの高さは、さらにカメラモジュールの厚さを低減することができるように、より小さな範囲に設定され得る。さらに、成形部分１０１１Ｂは、従来のフレームの代わりに使用され、その結果、フレームの固定および組み立てで生じる傾斜誤差が防止され、カメラモジュールの組み立ての累積公差が低減される。
【０１５０】
また、成形部分１０１１Ｂは、サセプタ１０１１１Ｂを含み、サセプタ１０１１１Ｂは、フィルタ１０４０を設置するように適合可能であるので、フィルタ１０４０が感光チップ１０３０の上に配置される。すなわち、レンズ１０５０に入射した光は、光学フィルタ４０によって処理された後に感光チップ１０４０に到達する。フィルタ１０４０は、例えば、ＩＲカットフィルタ（ＩＲＣＦ）として実施され得るが、これに限定されない。
【０１５１】
成形部分１０１１Ｂのサセプタ１０１１１Ｂは、フィルタ１０４０に十分な設置空間を付与するために、内側リング溝１０１１３Ｂを形成する。成形部分１０１１Ｂ、フィルタ１０４０、および回路要素１０１２２Ｂを合理的に配置するために、成形部分１０１１Ｂは、モータ１０６０をフィルタ１０４０に接続し、フィルタ１０４０用の設置場所を形成するための従来のフレームの代わりに使用され、このことにより感光チップ１０３０の感光領域の外側の自由空間が十分に活用されてカメラモジュールが最小化されることに留意されたい。その一方で、成形技術の利点により、成形部分１０１１Ｂは水平で滑らかな形でサセプタ１０１１１Ｂを形成することができるので、フィルタ１０４０を平坦に設置することができ、このことにより光の方向の一貫性が保証される。
【０１５２】
より具体的には、内側リング溝１０１１３Ｂの垂直断面は、Ｌリング形状であり、成形部分１０１１Ｂの貫通孔１０１１００ＢＡと連通されるので、フィルタ１０４０は、感光チップ１０３０の受光路に沿って支持され設置される。
【０１５３】
本発明のこの実施形態では、感光チップ１０３０は主回路基板１０１２１Ｂの下面に設置され、成形部分１０１１Ｂは主回路基板１０１２１Ｂの外側リムを取り囲むことも理解されたい。成形回路ユニット１０１０Ｂを製造する際に、様々な可能な製造順序がある。例えば、これに限定されないが、一実施例では、最初に、感光チップ１０３０が背面側から主回路基板１０１２１の通路１０１２１２Ｂに設置され得るように通路１０１２１２Ｂが主回路基板１０１２１Ｂ上に形成され得、その後、成形部分１０１１Ｂが感光チップ１０３０の外側面および主回路基板１０１２１Ｂの辺縁部に形成されて、主回路基板１０１２１Ｂの内部で主回路基板１０１２１Ｂから突出した回路要素１０１２２Ｂを包み込む。さらに、本発明の別の実施形態では、最初に、通路１０１２１２Ｂが主回路基板１０１２１Ｂ上に形成され得、その後、成形部分１０１１Ｂを形成して主回路基板１０１２１Ｂの内部で主回路基板１０１２１Ｂから突出した回路要素１０１２２Ｂを包み込むように、主回路基板１０１２１の辺縁部が成形され得る。次に、感光チップ１０３０が、成形部分１０１２１Ｂの外側リング溝１０１２１３Ｂに配置されるように、主回路基板１０１２１Ｂ上に設置され得る。本発明の別の実施例では、最初に、成形部分１０１１Ｂを形成して主回路基板１０１２１Ｂの内部で主回路基板１０１２１Ｂから突出した回路要素１０１２２Ｂを包み込むように、主回路基板１０１２１Ｂの辺縁部が成形され得る。次に、感光チップ１０３０が背面側から主回路基板１０１２１Ｂの通路１０１２１２Ｂに設置され得るように、通路１０１２１２Ｂが主回路基板１０１２１Ｂ上に形成され得る。
【０１５４】
図８Ａおよび図８Ｂは、本発明の上記の第１の好適な実施形態に従うカメラモジュールの成形回路ユニットの第３の代替形態を示す。成形回路ユニット１０１０Ｃは、成形部分１０１１Ｃと回路基板部１０１２Ｃとを含み、成形部分１０１１Ｃは、成形によって回路基板部１０１２Ｃに接続される。
【０１５５】
回路基板部１０１２Ｃは、主回路基板１０１２１Ｃを含み、感光チップ１０３０は、主回路基板１０１２１Ｃ上かつ成形部分１０１１Ｃの内側面に設置される。
【０１５６】
具体的には、モータ１０６０は、回路ユニット１０Ｃの成形部分１０１１Ｃ上に設置され、回路基板部１０１２Ｃに電気的に接続され、レンズ１０５０は、モータ１０６０上に設置され、レンズ１０５０は、モータ５０によってオートフォーカスするように適合される。レンズ１０５０は、感光チップ１０３０の受光路に沿って配置されるので、カメラモジュールが物体の画像を取り込むときに、物体から反射された光は、最初にレンズ１０５０によって処理され、その後、光電変換に適応できるように感光チップ１０３０によって受光され得る。
【０１５７】
さらに、回路基板部１０１２Ｃは、感光回路（図示せず）と、少なくとも１つの回路要素１０１２２Ｃとを含む。感光回路は、主回路基板１０１２１Ｃ内に事前に設置され、回路要素１０１２２Ｃは、感光チップ１０３０の感光動作のプロセスを提供するために感光回路および感光チップ１０３０に電気的に接続される。回路要素１０１２２Ｃは、例えば、抵抗器、コンデンサ、ダイオード、三極管、ポテンショメータ、継電器、ドライバ、プロセッサ、メモリなどであり得るが、これらに限定されない。
【０１５８】
特に、本発明の一実施形態では、カメラモジュールが組み立てられているときに、モータ１０６０は、モータピン１０６１を介して感光回路に電気的に接続され、モータピン１０６１は、主回路基板１０１２１Ｃにはんだ付けされる。
【０１５９】
成形部分１０１１Ｃは回路要素１０１２２Ｃを内部に包み込むので、回路要素１０１２２Ｃは空間内で直接露出しておらず、特に、感光チップ１０３０と連通する閉鎖環境において露出していないことも理解しておきたい。この回路要素の形態は、塵埃および雑物が回路要素に付着し、感光チップを汚染するのを防止するために、抵抗器ーコンデンサ部品のような従来のカメラモジュールの回路要素の示す形とは異なる。成形部分１０１１Ｃは、成形部分１０１１Ｃで感光チップ１０３０の外側面を取り囲んで、レンズ１０５０および感光チップ１０３０用の光路を提供するために、貫通孔１０１１００Ｃを形成する。
【０１６０】
さらに、主回路基板１０１２１Ｃは、少なくとも１つのビア１０１２１４Ｃを有し、成形部分１１Ｃは、ビア１０１２１４Ｃ内に入り込む。各々のビア１０１２１４Ｃは、主回路基板の成形領域内に設置され、回路要素１０１２２Ｃと協調する形で配置される。ビア１０１２１４Ｃの設置により、成形部分１０１１Ｃは、成形によって形成するときに、主回路基板１０１２１Ｃへと入り込み、そのことが成形部分１０１１Ｃと主回路基板１０１２１Ｃとの結合を強化するので、成形部分１１Ｃは主回路基板から容易に外れなくなり、主回路基板１０１２１Ｃの構造的強度も向上し、その結果、主回路基板１０１２１Ｃの厚さは薄くなり得ることに留意されたい。ビア１０１２１４Ｃの位置および数は、要求に基づいて調整され得る。したがって、当業者は、ビア１０１２１４Ｃの位置および数が本発明を制限しないことを理解すべきである。
【０１６１】
本発明の他の実施形態では、成形回路ユニット１０１０Ｃがより薄い厚さおよびより高い構造的強度を含む様々な利点を有することができるように、主回路基板１０１２１Ｃに、内側溝１０１２１１Ａまたは通路１０１２１２Ｂがさらに設置されることに留意されたい。
【０１６２】
この実施形態の主回路基板１０１２１Ｃ上のビア１０１２１４Ｃの設置は、主回路基板１０１２１Ｃと成形部分１０１１Ｃとの成形結合の強化および主回路基板１０１２１Ｃの構造的強度の向上を含む、いくつかの利益をもたらし得ることに留意されたい。当業者は、回路基板１０１２１Ｃ上のビア１０１２１４Ｃの設置が本発明を制限しないことを十分に理解すべきである。すなわち、本発明の他の実施形態は、要求に基づいて、ビア１０１２１４Ｃを設置しない場合もあれば、異なる配置もしくは異なる量のビア１２１３０Ｃを設置する場合もある。
【０１６３】
具体的には、成形回路ユニットを製造するときに、従来の回路基板は、主回路基板１０１２１Ｃとして使用され得、成形は主回路基板１０１２１Ｃの表面で行われる。例えば、表面実装技術（ＳＭＴ）によって処理された回路基板は、射出成形機を用いたインサート成形技術によって成形部分１０１１Ｃを形成するために、または半導体パッケージングで一般に使用されるプレス成形によって成形部分１０１１Ｃを形成するために成形され得る。主回路基板１０１２１Ｃは、代替形態として、例えば、リジッドフレキシブル基板、セラミック基板（フレキシブル基板を含まない）、またはリジッドＰＣＢ（フレキシブル基板を含まない）であり得るが、これらに限定されない。成形部分１０１１Ｃを形成する方法は、場合により、例えば、射出成形技術またはプレス成形技術であり得るが、これらに限定されない。成形部分１０１１Ｃの可能な材料は、例えば、射出成形用のナイロン、ＬＣＰ（液晶ポリマー）、またはＰＰ（ポリプロピレン）、およびプレス成形用の樹脂であるが、これらに限定されない。当業者は、上記の可能な製造方法および任意の材料は、本発明の実施例を説明するための例に過ぎず、本発明を制限するものではないことを理解すべきである。
【０１６４】
さらに、モータ１０６０は回路ユニット１０１０Ｃの成形部分１０１１Ｃ上に設置されるので、成形部分１０１１Ｃはモータ１０６０を支持して固定するための従来のカメラモジュールのフレームの機能を果たすが、従来のＣＯＢ技術のプロセスとは異なる組み立て方法を使用することにも留意されたい。従来のＣＯＢ技術のカメラモジュールのフレームは、貼付方法を使用して、回路基板上に固定される。しかしながら、成形部分１０１１Ｃは、貼付および固定のプロセスの必要がない成形技術によって主回路基板１０１２１Ｃ上に取り付けられる。成形方法は、貼付および固定プロセスに比べて技術プロセスの十分な接続安定性および可制御性を有する。さらに、成形部分１０１１Ｃと主回路基板との間のＡＡ調整用に確保される接着空間は必要なく、従来のカメラモジュールのＡＡ調整用の前方の余分な空間が低減され、その結果、カメラモジュールの厚さが低減され得る。一方、成形部分１０１１Ｃは、従来のカメラモジュールのように回路部品の周囲の安全距離を確保するのではなく、従来のフレーム機能と回路要素とが空間的に重なって設置されるように、回路要素１０１２２Ｃを包み込む。したがって、フレーム機能を有する成形部分１０１１Ｃの高さは、さらにカメラモジュールの厚さを低減することができるように、より小さな範囲に設定され得る。さらに、成形部分１０１１Ｃは、従来のフレームの代わりに使用され、その結果、フレームの固定および組み立てで生じる傾斜誤差が防止され、カメラモジュールの組み立ての累積公差が低減される。
【０１６５】
また、成形部分１０１１Ｃは、サセプタ１０１１１Ｃを含み、サセプタ１０１１１Ｃは、フィルタ１０４０を設置するように適合可能であるので、フィルタ１０４０が感光チップ１０３０の上に配置される。すなわち、レンズ１０５０に入射した光は、光学フィルタ４０によって処理された後に感光チップ１０４０に到達する。フィルタ１０４０は、例えば、ＩＲカットフィルタ（ＩＲＣＦ）として実施され得るが、これに限定されない。
【０１６６】
成形部分１０１１Ｃのサセプタ１０１１１Ｃは、フィルタ１０４０に十分な設置空間を付与するために、内側リング溝１０１１３Ｃを形成する。成形部分１０１１Ｃ、フィルタ１０４０、および回路要素１０１２２Ｃを合理的に配置するために、成形部分１０１１Ｃは、モータ１０６０をフィルタ１０４０に接続し、フィルタ１０４０用の設置場所を形成するための従来のフレームの代わりに使用され、このことにより感光チップ１０３０の感光領域の外側の自由空間が十分に活用されてカメラモジュールが最小化されることに留意されたい。その一方で、成形技術の利点により、成形部分１０１１Ｃは水平で滑らかな形でサセプタ１０１１１Ｃを形成することができるので、フィルタ１０４０を平坦に設置することができ、このことにより光の方向の一貫性が保証される。
【０１６７】
より具体的には、内側リング溝１０１１３Ｃの垂直断面は、Ｌリング形状であり、成形部分１０１１Ｃの貫通孔１０１１００Ｃと連通されるので、フィルタ１０４０は、感光チップ１０３０の受光路に沿って支持され設置される。
【０１６８】
本発明のこの実施形態によれば、感光チップ１０３０は、一連のリード線１０３１を介して主回路基板１０１２１Ｃに接続され、感光回路に電気的に接続される。リード線１０３１は、例えば、金線、銅線、アルミニウム線、または銀線として実施され得るが、これに限定されない。特に、感光チップ１０３０および一連のリード線１０３１は、従来のＣＯＢ方法（例えば、これに限定されないが、溶接）によって、主回路基板１０１２１Ｃに接続され得る。すなわち、感光チップ１０３０と主回路基板１０１２１Ｃとの間の接続は、完全に既存の熟練した接続技術を使用することで、技術改良のコストを低減し、従来の技術および設備を十分に活用して、資源の浪費を回避することができる。当然、当業者は、感光チップ１０３０と主回路基板１０１２１Ｃとの間の接続は、本発明の目的を達成することができる任意の他の接続方法を使用して実施されてもよく、本発明はこの点に関して制限されないことを理解できるはずである。
【０１６９】
本発明のこの実施形態では、感光チップ１０３０は主回路基板１０１２１Ｃの上面に設置され、成形部分１０１１Ｃは感光チップ１０３０の外側面を取り囲むことも理解されたい。成形回路ユニットを製造する際に、様々な可能な製造順序がある。例えば、これに限定されないが、一実施例では、最初に、感光チップ１０３０が主回路基板１０１２１Ｃ上に設置され、その後、成形部分１０１１Ｃが感光チップ１０３０の外側面および主回路基板１０１２１Ｃの辺縁部に形成されて、主回路基板１０１２１Ｃの内部で主回路基板１０１２１Ｃから突出した回路要素１０１２２Ｃを包み込む。さらに、本発明の別の実施形態では、最初に、成形部分１０１１Ｃを形成して主回路基板１０１２１Ｃの内部で主回路基板１０１２１Ｃから突出した回路要素１０１２２Ｃを包み込むように、主回路基板１０１２１Ｃの辺縁部が成形され得る。次に、感光チップ１０３０が、成形部分１０１１Ｃの内側面に配置されるように、主回路基板１０１２１上に設置され得る。
【０１７０】
図９〜図１１は、本発明の第２の好適な実施形態に従うカメラモジュールを示す。カメラモジュールは、固定焦点カメラモジュールである。カメラモジュールは、成形回路ユニット１０１０Ｄ、レンズ１０５０Ｄ、および感光チップ１０３０Ｄを含む。
【０１７１】
レンズ１０５０Ｄは、成形回路ユニット１０１０Ｄの上に設置される。さらに、成形回路ユニット１０１０Ｄは、成形部分１０１１Ｄと回路基板部１０１２Ｄとを含み、成形部分１０１１Ｄは、成形によって回路基板部１０１２Ｄに接続される。
【０１７２】
回路基板部１０１２Ｄは、主回路基板１０１２１Ｄを含み、感光チップ１０３０Ｄは、主回路基板１０１２１Ｄ上かつ成形部分１０１１ＤＣの内側面に設置される。
【０１７３】
レンズ１０５０Ｄは、感光チップ１０３０の受光路に沿って配置されるので、カメラモジュールが物体の画像を取り込むときに、物体から反射された光は、最初にレンズ１０５０Ｄによって処理され、その後、光電変換に適応できるように感光チップ１０３０Ｄによって受光され得る。
【０１７４】
さらに、回路基板部１０１２Ｄは、感光回路と、少なくとも１つの回路要素１０１２２とを含む。感光回路は、主回路基板１０１２１Ｄ内に事前に設置され、回路要素１０１２２Ｄは、感光チップ１０３０Ｄの感光動作のプロセスを提供するために感光回路および感光チップ１０３０Ｄに電気的に接続される。回路要素１０１２２Ｄは、例えば、抵抗器、コンデンサ、ダイオード、三極管、ポテンショメータ、継電器、ドライバ、プロセッサ、メモリなどであり得るが、これらに限定されない。
【０１７５】
成形部分１０１１Ｄは回路要素１０１２２Ｄを内部に包み込むので、回路要素１０１２２Ｄは空間内で直接露出しておらず、特に、感光チップ１０３０Ｄと連通する閉鎖環境において露出していないことも理解しておきたい。この回路要素の形態は、塵埃および雑物が回路要素１０１２２Ｄに付着し、感光チップ１０３０Ｄを汚染するのを防止するために、抵抗器ーコンデンサ部品のような従来のカメラモジュールの回路要素の示す形とは異なる。成形部分１０１１Ｄは、成形部分１０１１Ｄで感光チップ１０３０Ｄの外側面を取り囲んで、レンズ１０５０Ｄおよび感光チップ１０３０Ｄ用の光路を提供するために、貫通孔１０１１００Ｄを形成する。
【０１７６】
具体的には、成形回路ユニットを製造するときに、従来の回路基板は、主回路基板１０１２１Ｄとして使用され得、成形は主回路基板１０１２１Ｄの表面で行われる。例えば、表面実装技術（ＳＭＴ）によって処理された回路基板は、射出成形機を用いたインサート成形技術によって成形部分１０１１Ｄを形成するために、または半導体パッケージングで一般に使用されるプレス成形によって成形部分１０１１Ｄを形成するために成形され得る。主回路基板１０１２１Ｄは、代替形態として、例えば、リジッドフレキシブル基板、セラミック基板（フレキシブル基板を含まない）、またはリジッドＰＣＢ（フレキシブル基板を含まない）であり得るが、これらに限定されない。成形部分１０１１Ｄを形成する方法は、場合により、例えば、射出成形技術またはプレス成形技術であり得るが、これらに限定されない。成形部分１０１１Ｄの可能な材料は、例えば、射出成形用のナイロン、ＬＣＰ（液晶ポリマー）、またはＰＰ（ポリプロピレン）、およびプレス成形用の樹脂であるが、これらに限定されない。当業者は、上記の可能な製造方法および任意の材料は、本発明の実施例を説明するための例に過ぎず、本発明を制限するものではないことを理解すべきである。
【０１７７】
さらに、レンズ１０５０Ｄは回路ユニット１０１０Ｄの成形部分１０１１Ｄ上に設置されるので、成形部分１０１１Ｄはレンズ１０５０Ｄを支持して固定するための従来のカメラモジュールのフレームの機能を果たすが、従来のＣＯＢ技術のプロセスとは異なる組み立て方法を使用することにも留意されたい。従来のＣＯＢ技術のカメラモジュールのフレームは、貼付方法を使用して、回路基板上に固定される。しかしながら、成形部分１０１１Ｄは、貼付および固定のプロセスの必要がない成形技術によって主回路基板１０１２１Ｄ上に取り付けられる。成形方法は、貼付および固定プロセスに比べて技術プロセスの十分な接続安定性および可制御性を有する。さらに、成形部分１０１１Ｄと主回路基板との間のＡＡ調整用に確保される接着空間は必要なく、従来のカメラモジュールのＡＡ調整用の前方の余分な空間が低減され、その結果、カメラモジュールの厚さが低減され得る。一方、成形部分１０１１Ｄは、従来のカメラモジュールのように回路部品の周囲の安全距離を確保するのではなく、従来のフレーム機能と回路要素とが空間的に重なって設置されるように、回路要素１０１２２Ｄを包み込む。したがって、フレーム機能を有する成形部分１０１１Ｄの高さは、より薄い厚さの固定焦点カメラモジュールを製造するためにカメラモジュールの厚さを低減することができるように、より小さな範囲に設定され得る。さらに、成形部分１０１１Ｄは、従来のフレームの代わりに使用され、その結果、フレームの固定および組み立てで生じる傾斜誤差が防止され、カメラモジュールの組み立ての累積公差が低減される。
【０１７８】
また、成形部分１０１１Ｄは、サセプタ１０１１１Ｄを含み、サセプタ１０１１１Ｄは、フィルタ１０４０Ｄを設置するように適合可能であるので、フィルタ１０４０が感光チップ１０３０Ｄの上に配置される。すなわち、レンズ１０５０Ｄに入射した光は、フィルタ４０Ｄによって処理された後に感光チップ１０４０Ｄに到達する。フィルタ１０４０Ｄは、例えば、ＩＲカットフィルタ（ＩＲＣＦ）として実施され得るが、これに限定されない。
【０１７９】
成形部分１０１１Ｄのサセプタ１０１１１Ｄは、フィルタ１０４０Ｄに十分な設置空間を付与するために、内側リング溝１０１１３Ｄを形成する。成形部分１０１１Ｄ、フィルタ１０４０Ｄ、および回路要素１０１２２Ｄを合理的に配置するために、成形部分１０１１Ｄは、レンズ１０５０Ｄを回路基板１０１２Ｄに接続し、フィルタ１０４０Ｄ用の設置場所を形成するための従来のフレームの代わりに使用され、このことにより感光チップ１０３０Ｄの感光領域の外側の自由空間が十分に活用されてカメラモジュールが最小化されることに留意されたい。その一方で、成形技術の利点により、成形部分１０１１Ｄは水平で滑らかな形でサセプタ１０１１１Ｄを形成することができるので、フィルタ１０４０Ｄを平坦に設置することができ、このことにより光の方向の一貫性が保証される。
【０１８０】
より具体的には、内側リング溝１０１１３Ｄは、Ｌリング形状であり、成形部分１０１１Ｄの貫通孔１０１１００Ｄと連通されるので、フィルタ１０４０Ｄは、感光チップ１０３０Ｄの受光路に沿って支持され設置される。
【０１８１】
本発明のこの実施形態によれば、感光チップ１０３０Ｄは、一連のリード線１０３１Ｄを介して主回路基板１０１２１Ｄに接続され、感光回路に電気的に接続される。リード線５１Ｄは、例えば、金線、銅線、アルミニウム線、または銀線として実施され得るが、これに限定されない。特に、感光チップ１０３０Ｄおよび一連のリード線１０３１Ｄは、従来のＣＯＢ方法（例えば、これに限定されないが、溶接）によって、主回路基板１０１２１Ｄに接続され得る。すなわち、感光チップ１０３０Ｄと主回路基板１０１２１Ｄとの間の接続は、完全に既存の熟練した接続技術を使用することで、技術改良のコストを低減し、従来の技術および設備を十分に活用して、資源の浪費を回避することができる。当然、当業者は、感光チップ１０３０Ｄと主回路基板１０１２１Ｄとの間の接続は、本発明の目的を達成することができる任意の他の接続方法を使用して実施されてもよく、本発明はこの点に関して制限されないことを理解できるはずである。
【０１８２】
従来の製造プロセスでは、最初に、ＳＭＴによって抵抗器ーコンデンサ部品が回路基板上に取り付けられ、その後、回路基板に従来のＣＯＢパッケージングが施され、次に、その上にチップが取り付けられ、金線が配置されて、最後に、プラスチックフレームまたはモータが接着剤によってその上に固定されることに留意されたい。しかしながら、本発明の製造方法では、ＳＭＴの後に、成形技術によって成形部分１０１１Ｄが回路基板の表面に形成され、その後、チップ取り付けおよび金線配置のプロセスが行われる。
【０１８３】
本発明のこの実施形態では、感光チップ１２１Ｄは主回路基板１０１２１Ｄの上面に設置され、成形部分１０１１Ｄは感光チップの外側面を取り囲むことも理解されたい。成形回路ユニットを製造する際に、様々な可能な製造順序がある。例えば、これに限定されないが、一実施例では、最初に、感光チップ１０３０Ｄが主回路基板１０１２１Ｄ上に設置され、その後、成形部分１０１１Ｄが感光チップ１０３０Ｄの外側面および主回路基板１０１２１Ｄの辺縁部に形成されて、主回路基板１０１２１Ｄの内部で主回路基板１０１２１Ｄから突出した回路要素１０１２２Ｄを包み込む。本発明の別の実施例では、最初に、成形部分１０１１Ｄを形成して主回路基板１０１２１Ｄの内部で主回路基板１０１２１Ｄから突出した回路要素１０１２２Ｄを包み込むように、主回路基板１０１２１Ｄの辺縁部が成形され得る。次に、感光チップ１０３０Ｄが、成形部分１０１１Ｄの内側面に配置されるように、主回路基板１０１２１Ｄ上に設置され得る。
【０１８４】
レンズ１０５０Ｄはさらに、上記の好適な実施形態の様々な実施形態の成形回路ユニットに組み立てられ得、そのことにより様々な構造を有する固定焦点カメラモジュールが形成され得ることに留意されたい。すなわち、レンズ１０５０Ｄは、様々な固定焦点カメラモジュールを構成するために、成形回路ユニット１０１０Ａ、成形回路ユニット１０１０Ｂ、および成形回路ユニット１０１０Ｃにそれぞれ組み立てられ得る。成形回路ユニットの構造については、上記の好適な実施形態で触れたが、ここでも繰り返し説明する。
【０１８５】
図１２および図１３は、本発明の第３の好適な実施形態に従うカメラモジュールを示す。カメラモジュールは、成形回路ユニット１０１０Ｅ、レンズ１０５０Ｅ、およびモータ１０６０Ｅを含む、ズームレンズカメラモジュールである。
【０１８６】
モータ１０６０Ｅは、成形回路ユニット１０１０Ｅ上に設置され、レンズ１０５０Ｅは、レンズ１０５０Ｅが成形回路ユニット１０１０Ｅの上で支持されるように、モータ１０６０Ｅ上に設置される。
【０１８７】
成形回路ユニット１０１０Ｅは、成形部分１０１１Ｅと回路基板部１０１２Ｅとを含み、成形部分１０１１Ｅは、成形によって回路基板部１０１２Ｅに接続される。
【０１８８】
回路基板部１０１２Ｅは、主回路基板１０１２１Ｅと感光チップ１０３０Ｅとを含み、感光チップ１０３０Ｅは、主回路基板１０１２１Ｅ上かつ成形部分１０１１Ｅの内側面に設置される。
【０１８９】
具体的には、モータ１０６０Ｅは、回路ユニット１０Ｅの成形部分１０１１Ｅ上に設置され、回路基板部１０１２Ｅに電気的に接続され、レンズ１０５０Ｅは、モータ１０６０Ｅ上に設置され、レンズ１０５０は、モータ１０６０Ｅによってオートフォーカスするように適合される。レンズ１０５０は、感光チップ１０３０Ｅの受光路に沿って配置されるので、カメラモジュールが物体の画像を取り込むときに、物体から反射された光は、最初にレンズ１０５０Ｅによって処理され、その後、光電変換に適応できるように感光チップ１０３０Ｅによって受光され得る。
【０１９０】
さらに、回路基板部１０１２Ｅは、感光回路と、少なくとも１つの回路要素１０１２２Ｅとを含む。感光回路は、主回路基板１０１２１Ｅ内に事前に設置され、回路要素１０１２２Ｅは、感光チップ１０３０Ｅの感光動作のプロセスを提供するために感光回路および感光チップ１０３０Ｅに電気的に接続される。回路要素１０１２２Ｅは、例えば、抵抗器、コンデンサ、ダイオード、三極管、ポテンショメータ、継電器、ドライバ、プロセッサ、メモリなどであり得るが、これらに限定されない。
【０１９１】
特に、本発明の一実施形態では、カメラモジュールが組み立てられているときに、モータ１０６０Ｅは、モータピン１０６１Ｅを介して感光回路に電気的に接続され、線は、主回路基板１０１２１Ｅにはんだ付けされる。
【０１９２】
成形部分１０１１Ｅは回路要素１０１２２Ｅを内部に包み込むので、回路要素１０１２２Ｅは空間内で直接露出しておらず、特に、感光チップ１０３０Ｅと連通する閉鎖環境において露出していないことも理解しておきたい。この回路要素の形態は、塵埃および雑物が回路要素に付着し、感光チップを汚染するのを防止するために、抵抗器ーコンデンサ部品のような従来のカメラモジュールの回路要素の示す形とは異なる。成形部分１０１１Ｅは、成形部分１０１１Ｅで感光チップ１０３０Ｅの外側面を取り囲んで、レンズ１０５０Ｅおよび感光チップ１０３０Ｅ用の光路を提供するために、貫通孔１０１１００Ｅを形成する。
【０１９３】
さらに、主回路基板１０１２１Ｅは、通路１０１２１２Ｅを有し、通路１０１２１２Ｅの下部は、感光チップ１０３０Ｅの設置に適合される。通路１０１２１２Ｅは、主回路基板１０１２１Ｅの上側面と下側面とを連通させるので、感光チップ１０３０Ｅが主回路基板１０１２１Ｅの裏面から、感光領域が対向する形で主回路基板１０１２１Ｅ上に設置されたときでも、感光チップ１０３０Ｅの感光領域はレンズ１０５０Ｅからの入射光を受光する状態であり得る。
【０１９４】
さらに、通路１０１２１２Ｅは、感光チップ１０３０Ｅ用の設置場所を設けるために、外側リング溝１０１２１３Ｅを有する。特に、感光チップ１０３０Ｅが外側リング溝１０１２１３に設置されているとき、感光チップ１０３０Ｅの外面は、主回路基板１０１２１Ｅの表面と一致し、感光チップ１０３０Ｅの外面と主回路基板１０１２１Ｅの表面は、成形回路ユニット１０１０Ｅの表面の平坦性を保証するように同一平面上にある。
【０１９５】
本発明のこの実施形態では、通路１０１２１２Ｅは段差形状であるため、感光チップ１０３０Ｅが設置しやすくなり、感光チップ１０３０Ｅ用の安定的な設置場所が提供され、その結果、さらに、感光チップ１０３０Ｅの感光領域は内側空間に存在するようになる。
【０１９６】
本発明のこの実施形態は、従来の方法とは異なる、ある種のチップ設置方法を提供し、これはフリップチップ方法であることに留意されたい。感光チップ１０３０Ｅは、主回路基板１０１２１Ｅの背面方向から主回路基板１０１２１Ｅに設置され、これは、主回路基板１０１２１の前面から、すなわち、感光チップ１０３０の感光領域が上方を向いた状態で主回路基板１０１２１の上側から主回路基板１０１２１上に設置する必要がある上記実施形態とは異なる。この種の構造および設置方法は、感光チップ１０３０Ｅと成形部分１０１１Ｂとを比較的独立した状態にすることができる。感光チップ１０３０Ｅの設置は、成形部分１０１１Ｅによって影響を受けなくなる。さらに成形部分１０１１Ｅの成形は、感光チップ１０３０Ｅにほとんど影響を与えない。さらに、感光チップ１０３０Ｅは、主回路基板１０１２１Ｅの内側により大きな空間を残すように、主回路基板１０１２１Ｅの内側へ突出せずに主回路基板１０１２１Ｅの外側に組み込まれるので、成形部分１０１１Ｅの高さは感光チップ１０３０Ｅの高さによって制限されることはなくなり、その結果、成形部分１０１１Ｅの高さを低くすることができる。
【０１９７】
具体的には、成形回路ユニットを製造するときに、従来の回路基板は、主回路基板１０１２１Ｅとして使用され得、成形は主回路基板１０１２１Ｅの表面で行われる。例えば、表面実装技術（ＳＭＴ）によって処理された回路基板は、射出成形機を用いたインサート成形技術によって成形部分１０１１Ｅを形成するために、または半導体パッケージングで一般に使用されるプレス成形によって成形部分１０１１Ｅを形成するために、さらに主回路基板１０１２１Ｅ上に通路１０１２１２Ｅを形成するために、成形され得る。主回路基板１０１２１Ｅは、代替形態として、例えば、リジッドフレキシブル基板、セラミック基板（フレキシブル基板を含まない）、またはリジッドＰＣＢ（フレキシブル基板を含まない）であり得るが、これらに限定されない。成形部分１０１１Ｅを形成する方法は、場合により、例えば、射出成形技術またはプレス成形技術であり得るが、これらに限定されない。成形部分１０１１Ｅの可能な材料は、例えば、射出成形用のナイロン、ＬＣＰ（液晶ポリマー）、またはＰＰ（ポリプロピレン）、およびプレス成形用の樹脂であるが、これらに限定されない。当業者は、上記の可能な製造方法および任意の材料は、本発明の実施例を説明するための例に過ぎず、本発明を制限するものではないことを理解すべきである。
【０１９８】
さらに、モータ１０６０Ｅは回路ユニット１０Ｅの成形部分１０１１Ｅ上に設置されるので、成形部分１０１１Ｅはモータ１０６０Ｅを支持して固定するための従来のカメラモジュールのフレームの機能を果たすが、従来のＣＯＢ技術のプロセスとは異なる組み立て方法を使用することにも留意されたい。従来のＣＯＢ技術のカメラモジュールのフレームは、貼付方法を使用して、回路基板上に固定される。しかしながら、成形部分１０１１Ｅは、貼付および固定のプロセスの必要がない成形技術によって主回路基板１０１２１Ｅ上に取り付けられる。成形方法は、貼付および固定プロセスに比べて技術プロセスの十分な接続安定性および可制御性を有する。さらに、成形部分１０１１Ｅと主回路基板との間のＡＡ調整用に確保される接着空間は必要なく、従来のカメラモジュールのＡＡ調整用の前方の余分な空間が低減され、その結果、カメラモジュールの厚さが低減され得る。一方、成形部分１０１１Ｅは、従来のカメラモジュールのように回路部品の周囲の安全距離を確保するのではなく、従来のフレーム機能と回路要素とが空間的に重なって設置されるように、回路要素１０１２２Ｅを包み込む。したがって、フレーム機能を有する成形部分１０１１Ｅの高さは、さらにカメラモジュールの厚さを低減することができるように、より小さな範囲に設定され得る。さらに、成形部分１０１１Ｅは、従来のフレームの代わりに使用され、その結果、フレームの固定および組み立てで生じる傾斜誤差が防止され、カメラモジュールの組み立ての累積公差が低減される。
【０１９９】
上記の好適な実施形態とは異なり、カメラモジュールはフィルタ１０４０Ｅを含み、フィルタ１０４０Ｅは、主回路基板１０１２１Ｅ上かつ感光チップ１０３０Ｅの上に設置され、すなわち、主回路基板１０１２１Ｅの通路１０１２１２Ｅの上部開口部に位置するので、レンズ１０５０Ｅから入射した光は、最初に、通路１０１２１２Ｅを通るときにフィルタ１０４０Ｅによって処理されることになることに留意されたい。上記の実施形態とは異なり、成形部分１０１１Ｅは、フィルタ１０４０Ｅ用の設置場所を設ける必要がなく、サセプタ１０１１１を有する必要がない。むしろ、主回路基板１１Ｅがフィルタ１０４０Ｅ用の設置場所を形成し、このことにより、フィルタ１０４０Ｅと感光チップ１０３０Ｅとの間の距離が低減されるので、成形部分１０１１Ｅの高さはさらに低減され得る。
【０２００】
フィルタ１０４０Ｅは、例えば、ＩＲカットフィルタ（ＩＲＣＦ）として実施され得るが、これに限定されない。
【０２０１】
本発明のこの実施形態では、通路１０１２１２Ｅ内に設置するＦＣ（フリップチップ）方法によって、フィルタ１０４０Ｅが主回路基板１０１２１Ｅ上に設置され得るので、回路ユニット１０Ｅおよび回路ユニット１０Ｅで組み立てられたカメラモジュールでは、ＦＣ方法およびフィルタ１０４０Ｅの設置方法によって、組み立ての便利さおよび厚さ低減を含む利点が得られることに留意されたい。しかしながら、当業者は、フィルタ１０４０Ｅの設置位置は本発明を制限するものではなく、本発明の他の実施形態では、フィルタ１０４０Ｅは、例えば、これらに限定されないが、成形部分１０１１、フレーム、およびモータのような異なる位置にも設置され得ることを理解すべきである。
【０２０２】
成形部分１０１１Ｅ、フィルタ１０４０Ｅ、および回路要素１０１２２Ｅを合理的に配置するために、成形部分１０１１Ｅは、モータ１０６０Ｅを回路基板１０１２Ｅに接続し、フィルタ１０４０Ｅ用の設置場所を形成するための従来のフレームの代わりに使用され、このことにより感光チップ１０３０Ｅの感光領域の外側の自由空間が十分に活用されてカメラモジュールが最小化されることに留意されたい。その一方で、成形技術の利点により、成形部分１０１１Ｅは水平で滑らかな形で固定位置を形成することができるので、モータ１０６０Ｅを平坦に設置することができ、このことにより光の方向の一貫性が保証される。
【０２０３】
本発明のこの実施形態では、感光チップ１０３０Ｅは主回路基板１０１２１Ｅの下面に設置され、成形部分１０１１Ｅは主回路基板１０１２１Ｅの外側リムを取り囲むことも理解されたい。成形回路ユニット１０１０Ｅを製造する際に、様々な可能な製造順序がある。例えば、これに限定されないが、一実施例では、最初に、感光チップ１０３０Ｅが背面側から主回路基板１０１２１の通路１０１２１２Ｅに設置され得るように通路１０１２１２Ｅが主回路基板１０１２１Ｅ上に形成され得、その後、成形部分１０１１Ｅが感光チップ１０３０Ｅの外側面および主回路基板１０１２１Ｅの辺縁部に形成されて、主回路基板１０１２１Ｅの内部で主回路基板１０１２１Ｅから突出した回路要素１０１２２Ｅを包み込む。さらに、本発明の別の実施形態では、最初に、通路１０１２１２Ｅが主回路基板１０１２１Ｅ上に形成され得、その後、成形部分１０１１Ｅを形成して主回路基板１０１２１Ｅの内部で主回路基板１０１２１Ｅから突出した回路要素１０１２２Ｅを包み込むように、主回路基板１０１２１Ｅの辺縁部が成形され得る。次に、感光チップ１０３０Ｅが、成形部分１０１２１Ｅの外側リング溝１０１２１３Ｅに配置されるように、主回路基板１０１２１Ｅ上に設置され得る。本発明の別の実施例では、最初に、成形部分１０１１Ｅを形成して主回路基板１０１２１Ｅの内部で主回路基板１０１２１Ｅから突出した回路要素１０１２２Ｅを包み込むように、主回路基板１０１２１Ｅの辺縁部が成形され得る。次に、感光チップ１０３０Ｅが背面側から主回路基板１０１２１Ｅの通路１０１２１２Ｅ上設置され得るように、通路１０１２１２Ｅが主回路基板１０１２１Ｅ上に形成され得る。
【０２０４】
成形回路ユニット１０１０Ｅおよびフィルタ１０４０Ｅの設置方法はさらに、固定焦点カメラモジュールにも適用可能であることに留意されたい。
【０２０５】
図１４および図１５は、本発明の第４の好適な実施形態に従うカメラモジュールを示す。上記の第１の好適な実施形態とは異なり、カメラモジュールはさらにフレーム１０７０を含み、フレーム１０７０は、成形回路ユニット１０１０上に設置され、モータ１０６０は、成形回路ユニット１０１０上に設置され、レンズ１０５０は、レンズ１０５０が成形回路ユニット１０１０の上で支持および固定されるように、モータ１０６０上に設置される。すなわち、成形回路ユニット１０１０、１０１０Ａ、１０１０Ｂ、１０１０Ｃは、ズームレンズカメラモジュールおよび固定焦点カメラモジュールのような様々なタイプのカメラモジュールを形成するために、従来のフレームと組み立てられ得る。フィルタ１０４０は、任意で、フレーム１０７０、成形部分１０１１、またはモータ１０６０上に設置され得る。
【０２０６】
上記の好適な実施形態から、カメラモジュールに成形技術を適用することで、市場における製品競争力、特に、高性能製品の製品競争力を高めることがわかる。カメラモジュールは、主に、以下の利点を有する。
【０２０７】
（１）モジュールの長さおよび幅に関してサイズを低減することができる。成形部と抵抗器ーコンデンサ部は、空間的に重なり得る。
【０２０８】
従来の解決法のフレームはコンデンサの外側に配置されなければならず、一定の安全距離を残さなければならないが、本発明の成形製造方法は、コンデンサ用の空間を直接使用して、コンデンサの周囲にフレームを形成するためにプラスチックを直接充填することができる。
【０２０９】
（２）モジュールの傾斜を低減する。累積公差を低減するために、成形部分が現在のプラスチックフレームの設計の代わりに使用され得る。
【０２１０】
（３）成形は、回路基板の構造的強度を高める。成形部分は、支持する機能を果たし、そのため強度を高めることができるので、同じ最終構造的強度を達成しなければならない場合、モジュールの高さを低くするために、回路基板をより薄くすることができる。
【０２１１】
（４）高さ空間に関して、従来の解決法は、コンデンサおよびフレーム用の組み立ての安全空間を確保する必要があるが、成形技術はその必要がなく、その結果、モジュールの高さを低減することができる。
【０２１２】
従来の解決法は、干渉を避けるために、コンデンサの頂部からフレームまでの安全隙間を確保する必要がある。しかしながら、本発明は、コンデンサのような回路要素の周囲に直接プラスチックを充填することができ、空間隙間を確保する必要がない。
【０２１３】
（５）抵抗器およびコンデンサのような部品は、成形によって包み込まれ、このことにより、これらの抵抗器ーコンデンサ部品の領域がソルダレジスト、塵埃などの影響を受けて損傷されるのが回避され、歩留まり率を高めることができる。
【０２１４】
（６）高効率かつ大規模の大量生産に適している。図１４〜図１８Ｃは、本発明の第５の好適な実施形態に従うカメラジュールを示す。カメラモジュールは、回路ユニット２０１０と、感光チップ２０３０と、レンズ２０５０とを含む。
【０２１５】
感光チップ２０３０は、回路ユニット２０１０上に取り付けられる。レンズ２０５０は、回路ユニット２０１０の上に設けられ、レンズ２０５０は、感光チップ２０３０の受光路に位置決めされる。回路ユニット２０１０は、電子デバイスと共に利用されるように、電子デバイスと結合され得る。当業者は、レンズ２０５０およびチップは、撮像するために互いに協働し得ることを理解すべきである。具体的には、物体または人のような撮影対象から反射された光は、レンズ２０５０を通過した後、光電変換のために感光チップ２０３０によって受光される。すなわち、感光チップ２０３０は、光信号を電気信号に変換することができ、電気信号は、回路ユニット２０１０を介して電子デバイス上で撮影対象に対応する画像を生成するために、電子デバイスに伝送され得る。
【０２１６】
回路ユニット２０１０は、パッケージング部２０１１と回路基板部２０１２とを含み、パッケージング部２０１１は、成形によって回路基板部２０１２と接続されるように、回路基板部２０１２と一体的パッケージングによって接続される。より具体的には、パッケージング部２０１１は、オンボード成形（ＭＯＢ）技術を使用して、成形によって回路基板部と接続され、成形技術は、射出成形、プレス成形などであり得る。
【０２１７】
回路基板部２０１２は、主回路基板２０１２１を備え、パッケージング部２０１１は、主回路基板２０１２１と一体的に接続される。パッケージング部２０１１は、パッケージング部２０１１で感光チップ２０３０の外側面を取り囲んで、レンズ２０５０および感光チップ２０３０用の光路を形成するために、貫通孔２０１１００を形成する。感光チップ２０３０は、主回路基板２０１２１上の貫通孔２０１１００に対応する位置に配置される。
【０２１８】
回路基板部２０１２は、接続回路２０３１と少なくとも１つの回路要素２０１２２とを備え、接続回路２０３１は、主回路基板２０１２１内に事前に設置され、回路要素２０１２２は、感光チップ２０３０の感光動作のプロセスのために接続回路に電気的に接続される。回路要素２０１２２は、例えば、抵抗器、コンデンサ、ダイオード、三極管、ポテンショメータ、継電器、ドライバ、プロセッサ、メモリなどであり得るが、これらに限定されない。
【０２１９】
パッケージング部２０１１は回路要素２０１２２を内部に包覆することができるので、回路要素２０１２２は空間内で直接露出しておらず、特に、感光チップ２０３０と連通する閉鎖環境において露出していないことも理解しておきたい。それは、抵抗器ーコンデンサ部品を回路基板から突出させるような従来のカメラモジュール内の回路要素の配置とは異なるので、塵埃および雑物が回路要素２０１２２に付着する、または感光チップ２０３０を汚染するのを防止することができる。本発明のこの実施形態では、回路要素２０１２２は、この例では主回路基板２０１２１から突出しているが、本発明の他の実施形態では、回路要素２０１２２は、主回路基板２０１２１から突出せずに主回路基板２０１２１内に組み込まれる。したがって、当業者は、回路要素２０１２２の構造、タイプ、および取り付け位置が本発明を制限すべきでないことを理解すべきである。従来のカメラモジュールでは、回路部品は回路基板から突出し、ベースは回路要素２０１２２の外側面にのみ設置され得るので、回路部品およびベースは共に一定の空間が必要であることが理解できる。その結果、回路基板の横寸法をもっと大きくする必要が生じる。本発明の成形プロセスベースのカメラモジュールでは、パッケージング部２０１１は、主回路基板２０１２１上に一体的にパッケージングされ、回路要素２０１２２を包覆するので、パッケージング部２０１１の空間と回路要素２０１２２の空間とが重なり、このことにより、パッケージング部２０１１を内側に配置するための追加の空間が形成され、主回路基板２０１２１を外側に延長する必要性が低減される。したがって、より小型のデバイスを実現するために、カメラモジュールの横寸法は低減され得る。
【０２２０】
パッケージング部２０１１が回路要素２０１２２を包覆する形は、回路要素２０１２２が汚染される、または偶然ぶつけられることから保護する利点を有し、これは対応するカメラモジュールにとっても有利であることを理解されたい。しかしながら、当業者は、パッケージング部２０１１は、回路要素２０１２２を包覆する形に制限されるべきでないことを理解すべきである。すなわち、本発明の他の実施形態では、パッケージング部２０１１は、回路要素１１２が突出していない主回路基板２０１２１上に直接成形され得る、または回路要素２０１２２の外側面および外周を含む様々な位置で成形され得る。
【０２２１】
本発明のこの実施形態によれば、パッケージング部２０１１は感光チップ２０３０の外側面の周囲を突出する形で取り囲む。特に、パッケージング部２０１１は、十分な封止品質を有するように一体的に閉鎖する形で接続されるので、レンズ２０５０が感光チップ２０３０の受光路に沿って設置されたときに、感光チップ２０３０は内部で封止され、その結果、対応する封止内部空間が形成される。
【０２２２】
具体的には、回路ユニット２０１０を製造するときに、従来の回路基板が主回路基板２０１２１となるように利用され、その後、主回路基板２０１２１の表面で成形が行われてよい。例えば、一実施形態によれば、射出成形機を利用して、インサート成形技術によって、ＳＭＴによって処理された回路基板を一体的にパッケージング（成形によってパッケージング）して、パッケージング部２０１１を形成することができる。代替形態として、一般に半導体パッケージングに使用されるプレス成形技術を利用して、パッケージング部２０１１を形成する場合がある。さらに、感光チップ２０３０は、主回路基板２０１２１上にそれぞれ取り付けられる。さらに、感光チップ２０３０は、例えば、ワイヤボンディングによって、それぞれ主回路基板２０１２１と電気的に接続される。主回路基板２０１２１は、代替形態として、例えば、リジッドフレキシブル基板、セラミック基板（フレキシブル基板を含まない）、またはリジッドＰＣＢ（フレキシブル基板を含まない）であり得るが、これらに限定されない。パッケージング部２０１１を形成する方法は、場合により、例えば、射出成形技術またはプレス成形技術であり得るが、これらに限定されない。パッケージング部２０１１の可能な材料は、例えば、射出成形用のナイロン、ＬＣＰ（液晶ポリマー）、またはＰＰ（ポリプロピレン）、およびプレス成形用のエポキシ樹脂であるが、これらに限定されない。当業者は、上記の可能な製造方法および任意の材料は、本発明の実施例を説明するための例に過ぎず、本発明を制限するものではないことを理解すべきである。
【０２２３】
本発明のいくつかの実施形態では、回路ユニット２０１０を製造するプロセスはさらに、主回路基板２０１２１にＳＭＴを施すステップと、主回路基板２０１２１上に感光チップ２０３０を取り付けるステップと、例えば、ワイヤボンディングによって、感光チップ２０３０を主回路基板２０１２１に電気的に接続するステップと、例えば、インサート成形もしくは半導体パッケージングにおいて一般的な技術であるプレス成形を用いてパッケージング部２０１１を形成する成形パッケージングによって、主回路基板２０１２１を一体的にパッケージングするステップとを含み得る。したがって、当業者は、回路ユニット２０１０の特定の製造順序が本発明を制限すべきでないことを理解すべきである。
【０２２４】
カメラモジュールはさらに、フィルタ２０４０を備え、フィルタ２０４０は、フィルタ２０４０用の安定的で平滑な設置条件を実現するために、パッケージング部２０１１上に配置される。
【０２２５】
より具体的には、本発明の一実施形態によれば、フィルタ２０４０は、赤外線カットフィルタ（ＩＲカットフィルタ、ＩＲＣＦ）として具現化され、ＩＲカットフィルタは、精密な光学コーティング技術を用いて光学基板上に高屈折率光学フィルムを交互に積層することによって作製された光学フィルタであり、可視光（４００ｎｍ〜６３０ｎｍ）に対して高い透過性を有し、近赤外線（７００ｎｍ〜１１００ｎｍ）は遮断する。ＩＲカットフィルタは、赤外光が、ＣＣＤ、ＣＭＯＳなどの感光チップ２０３０の撮像に影響を及ぼすのを防止することができるＩＲカットフィルタをカメラモジュールの撮像システムに組み入れて、撮像システムの画質に影響を及ぼす赤外光の一部を遮断することによって、カメラモジュールによって形成された画像は、人の目にとってより満足できる感覚を実現し得る。
【０２２６】
ＣＣＤ、ＣＭＯＳなどの感光チップ２０３０は、人の目とは異なる形で光を検知することに留意されたい。人の目は、３８０ｍｍ〜７８０ｎｍの波長帯域内の可視光のみを見ることができるが、感光チップ２０３０は、赤外光および紫外光を含む、より広い波長帯域を検知することができる。特に、感光チップ２０３０は赤外光に対して非常に敏感である。したがって、カメラモジュールにおいて、感光チップ２０３０の感知を人の目により近づけて、カメラモジュールの撮影画像を人の目の感知に適合させるために、可視光に対する高い透過性を維持しながら赤外光を制御する必要がある。したがって、ＩＲカットフィルタは、カメラモジュールにとって不可欠である。
【０２２７】
特に、本発明のこの実施形態によれば、フィルタ２０４０は、ウェハーレベルのＩＲカットフィルタ、狭帯域フィルタ、ブルーガラスＩＲＣＦから成る群から選択され得る。当業者は、フィルタ２０４０のタイプが本発明を制限すべきでないことを理解すべきである。
【０２２８】
従来のＣＯＢ技術を使用して組み立てられるカメラモジュールでは、フィルタは、通常、一般に回路基板上に接着されたプラスチックベース上に取り付けられる。プラスチックベースおよびその対応する設置形態は、ずれまたは傾斜を引き起こしそうにないが、プラスチックフレームの表面の平坦性および平滑性は悪く、そのためフィルタ２０４０の理想的な設置条件を実現することができない。本発明のこの好適な実施形態によれば、フィルタ２０４０は、成形プロセスによってパッケージング部２０１１上に取り付けられるので、フィルタ２０４０の理想的な設置条件を提供するための表面の高い平坦性および平滑性が実現される。さらに、一体成形形態は、パッケージング部２０１１のずれまたは傾斜を防止することができ、そのことによりフィルタ２０４０の設置の累積公差が低減される。
【０２２９】
本発明のこの実施形態によれば、パッケージング部２０１１の上面２０１１２は、一体的に平坦に延長される。フィルタ２０４０は、パッケージング部２０１１の上面２０１１２上に取り付けられる。特に、フィルタ２０４０は、接着によってパッケージング部２０１１の上面２０１１２と接続され得る。
【０２３０】
本発明のこの実施形態によれば、カメラモジュールは、ボイス・コイル・モータ、圧電モータなどとして具現化され得るモータ２０６０を備える。レンズ２０５０は、モータ２０６０上に取り付けられるので、レンズ２０５０は、カメラモジュールの焦点距離を調整するために、モータ２０６０によって移動するように駆動され得る。すなわち、カメラモジュールは、ズームレンズモジュールまたは自動焦点モジュール（ＡＦＭ）である。当然、カメラモジュールは、固定焦点カメラモジュールとするために、ドライバを備えない、すなわち、モータ２０６０を備えない場合もある。
【０２３１】
モータ２０６０は、回路ユニット２０１０のパッケージング部２０１１上に取り付けられる。さらに、モータ２０６０は、パッケージング部２０１１の上面２０１１２上に取り付けられる。すなわち、フィルタ２０４０およびモータ２０６０は、協働する形でパッケージング部２０１１の上面２０１１２に配置される。モータ２０６０は、少なくとも１つのモータピン２０６１によって、主回路基板２０１２１と電気的に接続される。
【０２３２】
レンズ２０５０は、モータ２０６０内に取り付けられる。モータ２０６０およびフィルタ２０４０は、パッケージング部２０１１内に取り付けられる。したがって、パッケージング部２０１１は、従来のＣＯＢ技術とは異なる製造および組み立て方法によってモータ２０６０およびフィルタ２０４０を支持して固定するための従来のカメラモジュールのベースの機能を果たす。従来のＣＯＢ技術のカメラモジュールのベースは、接着によって回路基板上に取り付けられる。しかしながら、パッケージング部２０１１は、貼付および固定のプロセスの必要がない成形によって、主回路基板２０１２１上に取り付けられる。成形方法は、貼付および固定プロセスに比べて技術プロセスの十分な接続安定性および可制御性、さらに高い平坦性を有し、このことがモータ２０６０およびフィルタ２０４０用のより良好な設置条件を作り出す。さらに、パッケージング部２０１１と主回路基板２０１２１との間のＡＡ調整用に確保される接着空間はなくなり、そのため、従来のカメラモジュールのＡＡ調整用の前方の余分な空間が省かれ、その結果、カメラモジュールの厚さが低減され得る。さらに、パッケージング部２０１１は、従来のカメラモジュールのように回路部品の周囲の安全距離を確保するのではなく、従来のベースの空間と回路要素２０１２２の設置空間とが空間的に重なるように、回路要素２０１２２を包覆する。したがって、ベースとしての機能も果たすパッケージング部２０１１は、より小さいサイズで設けられ得るので、カメラモジュールの厚さをさらに低減することができる。さらに、パッケージング部２０１１は、従来のベースの代わりに使用され、その結果、ベースの固定および組み立てで生じる傾斜誤差が防止され、カメラモジュールの組み立ての累積公差が低減される。
【０２３３】
さらに、パッケージング部２０１１の形状は、要求に基づいて決定され得ることも理解されたい。例えば、パッケージング部２０１１は、パッケージング部２０１１の対応する幅を大きくするために突出部分を形成するように、回路要素２０１２２の位置で内側へ延長され、この場合、パッケージング部２０１１は、回路要素２０１２２が無い状態では、幅がより狭い規則的な形状を形成するように一貫して延在する。当業者は、パッケージング部２０１１の形状が本発明を制限すべきでないことを理解すべきである。
【０２３４】
本発明のこの実施形態によれば、感光チップ２０３０は、少なくとも１つの接続線２０３１を介して主回路基板２０１２１に電気的に接続され、接続回路に電気的に接続される。接続線２０３１は、例えば、金線、銅線、アルミニウム線、または銀線として実施され得るが、これに限定されない。特に、感光チップ２０３０および接続線２０３１は、従来のＣＯＢ方法（例えば、これに限定されないが、溶接）によって、主回路基板２０１２１に接続され得る。すなわち、感光チップ２０３０と主回路基板２０１２１との間の接続は、完全に既存の熟練した接続技術を使用することで、技術改良のコストを低減し、従来の技術および設備を十分に活用して、資源の浪費を回避することができる。当然、当業者は、感光チップ２０３０と主回路基板２０１２１との間の接続は、本発明の目的を達成することができる任意の他の接続方法を使用して実施されてもよく、本発明はこの点に関して制限されないことを理解できるはずである。
【０２３５】
本発明のこの実施形態では、感光チップ２０３０は主回路基板２０１２１Ｄの上面に設置され、パッケージング部２０１１は感光チップ２０３０の外側面を取り囲むことも理解されたい。回路ユニット２０１０を製造する際に、様々な可能な製造順序がある。例えば、これに限定されないが、一実施例では、最初に、感光チップ２０３０が主回路基板２０１２１上に取り付けられ得、その後、パッケージング部２０１１が主回路基板２０１２１上の感光チップ２０３０の外側面に成形されて形成され、主回路基板１２１Ａの内部で主回路基板１２１Ａから突出した回路要素２０１２２を包覆する。さらに、本発明の別の実施例では、最初に、パッケージング部２０１１を形成して主回路基板２０１２１の内部で主回路基板２０１２１から突出した回路要素２０１２２を包覆するように、主回路基板２０１２１が成形され得る。次に、感光チップ２０３０が、パッケージング部２０１１の内側面に配置されるように、主回路基板２０１２１上に設置される。
【０２３６】
図１８Ａは、本発明の上記の第５の好適な実施形態の別の実施例に従うカメラモジュールを示しており、カメラモジュールは、固定焦点モジュール（ＦＦＭ）であり得る。レンズ２０５０は、パッケージング部２０１１の上面２０１１２上に取り付けられ、これは、カメラモジュールの焦点距離が自由に調整可能であることを示している。レンズ２０５０およびフィルタ２０４０は、協働する形でパッケージング部２０１１の上面２０１１２上に配置される。当業者は、カメラモジュールのタイプが本発明を制限すべきでないことを理解すべきである。
【０２３７】
本発明のこの好適な実施形態によれば、パッケージング部２０１１は、フィルタ２０４０およびレンズ２０５０を支持して取り付けるのに利用され得、従来のベースの機能を果たし得ることに留意されたい。しかしながら、成形の利点に基づいて、パッケージング部２０１１はさらに、成形によって調整された平坦性および整合性を有し得るので、カメラモジュールのフィルタおよびレンズ２０５０の平滑で整合性のある取付環境が提供され、このことにより、従来のカメラモジュールよりもさらに容易にレンズ２０５０の光軸、フィルタ２０４０、および感光チップ２０３０間の整合性が保証され得る。
【０２３８】
図１８Ｂは、本発明の上記の第５の好適な実施形態の別の実施例に従うカメラモジュールを示しており、カメラモジュールは、固定焦点モジュール（ＦＦＭ）であり得る。このカメラモジュールでは、レンズ２０５０は、レンズフレーム２０８０上に取り付けられ、レンズフレーム２０８０は、パッケージング部２０１１の上面２０１１２上に取り付けられ、これは、カメラモジュールの焦点距離が自由に調整できないことを示している。レンズフレーム２０８０は、当然、内壁にねじ山のあるフレーム、またはねじ山の無いフレームであり得る。
【０２３９】
図１８Ｃは、本発明の上記の第５の好適な実施形態の別の実施例に従うカメラモジュールを示しており、カメラモジュールは、固定焦点モジュール（ＦＦＭ）であり得る。このカメラモジュールでは、レンズ２０５０は、レンズフレーム２０８０上に取り付けられ、レンズフレーム２０８０は、支持体２０７０上に取り付けられ、支持体２０７０は、パッケージング部２０１１の上面に取り付けられる。
【０２４０】
図１９は、本発明の第６の好適な実施形態に従うカメラモジュールを示す。上記の好適な実施形態とは異なり、パッケージング部２０１１には、取付溝２０１１３Ａが配置され、取付溝２０１１３Ａは、フィルタ２０４０用の十分な設置空間を提供するために、貫通孔２０１１００と連通される。すなわち、パッケージング部２０１１の上面２０１１２は、一体的に延在する構造ではなく、段差形状の構造である。上面２０１１２の段差部は、フィルタ２０４０、レンズ２０５０、およびモータ２０６０を設置するのに利用され得る。
【０２４１】
さらに、取付溝２０１１３Ａの高さはフィルタ２０４０の厚さより大きいので、フィルタ２０４０が取付溝２０１１３Ａに取り付けられたときに、フィルタ２０４０はパッケージング部２０１１の頂部から突出しない。
【０２４２】
特に、本発明のこの実施形態によれば、フィルタ２０４０は、正方形であり、取付溝２０１１３Ａの形状は、フィルタ２０４０の形状と一致する。すなわち、取付溝２０１１３Ａは、正方形のリング形状であり、貫通孔２０１１００と連通される。
【０２４３】
本発明のこの実施形態によれば、取付溝２０１１３Ａは、フィルタ２０４０を取り付けるのに利用され得るが、本発明の他の実施形態によれば、取付溝２０１１３Ａは、カメラモジュールのモータ２０６０またはレンズ２０５０のような他の部品を取り付けるのに利用され得ることに留意されたい。当業者は、取付溝２０１１３の使用が本発明を制限すべきでないことを理解すべきである。
【０２４４】
本発明のこの実施形態によれば、ズームレンズモジュールは、説明のために図面内に一例として挙げられているが、他の実施形態によれば、カメラモジュールは固定焦点モジュールであり得ることに留意されたい。当業者は、カメラモジュールのタイプが本発明を制限すべきでないことを理解すべきである。
【０２４５】
図２０は、本発明の第７の好適な実施形態に従う成形プロセスベースのカメラモジュールの断面斜視図である。上記の好適な実施形態とは異なり、カメラモジュールは、支持体２０７０Ｂを備え、支持体２０７０Ｂは、フィルタ２０４０を取り付けるように適合される。支持体２０７０Ｂは、パッケージング部２０１１上に取り付けられ、フィルタ２０４０は、パッケージング部２０１１上に取り付けられ、モータ２０６０またはレンズ２０５０は、支持体２０７０Ｂ上に取り付けられる。
【０２４６】
本発明のこの実施形態によれば、支持体２０７０Ｂは、第１の支持溝２０７１Ｂと第２の支持溝２０７２Ｂとを有し、第１の支持溝２０７１Ｂは、フィルタ２０４０の表面が支持体２０７０Ｂの頂部から突出しないようにフィルタ２０４０を取り付けるための溝である。第２の支持溝２０７２Ｂは、カメラモジュールの背面焦点距離を短くするために、パッケージング部２０１１が支持体２０７０から上方に延長され得、フィルタ２０４０の位置が比較的低くなるように、パッケージング部２０１１上に支持体２０７０が取り付けられるために使用されるものである。
【０２４７】
すなわち、支持体２０７０Ｂは、フィルタ２０４０が感光チップ２０３０の上で支持された状態で維持されるように、貫通孔２０１１００まで延長され、下方に延長される。貫通孔２０１１００内の空間を利用することによって、フィルタ２０４０は安定的に取り付けられ得、フィルタ２０４０は外部空間に位置しなくなる。
【０２４８】
支持体２０７０Ｂが内側に延在する距離は、感光チップ２０３０の感光領域の範囲外にあることに留意されたい。すなわち、支持体２０７０Ｂは、感光チップ２０３０の感光プロセスに影響を及ぼさないように、感光チップ２０３０の感光領域を覆わない。支持体２０７０Ｂの寸法は、実際の要求に基づいて設計され得る。
【０２４９】
本発明のこの実施形態および対応する図面によれば、ズームレンズモジュールが説明のための一例として使用されており、レンズ２０５０は、モータ２０６０上に取り付けられ、モータ２０６０は、支持体２０７０Ｂ上に取り付けられる。すなわち、支持体２０７０は、フィルタ２０４０およびモータ２０６０用の設置場所を形成する。本発明のいくつかの他の実施形態によれば、カメラモジュールは固定焦点モジュールでもあり得る。レンズ２０５０は、支持体２０７０Ｂ上に取り付けられる。すなわち、支持体２０７０Ｂは、フィルタ２０４０およびレンズ２０５０用の設置場所を形成する。当業者は、支持体２０７０Ｂの特定の構造およびカメラモジュールのタイプが本発明を制限すべきでないことを理解すべきである。
【０２５０】
図２１は、本発明の第８の好適な実施形態に従う成形プロセスベースのカメラモジュールの断面斜視図である。上記の好適な実施形態とは異なり、パッケージング部２０１１には、取付溝２０１１３Ｃが配置され、取付溝２０１１３Ｃは、貫通孔２０１１００と連通される。すなわち、パッケージング部２０１１の上面２０１１２は、一体的に延在する構造ではなく、段差形状の構造である。
【０２５１】
カメラモジュールは、支持体２０７０Ｃを備え、支持体２０７０Ｃは、フィルタ２０４０を設置するように適合可能である。支持体２０７０Ｃは、パッケージング部２０１１上に取り付けられ、フィルタ２０４０は、パッケージング部２０１１上に取り付けられ、モータ２０６０またはレンズ２０５０は、パッケージング部２０１１上に取り付けられる。
【０２５２】
さらに、支持体２０７０Ｃは、パッケージング部２０１１の取付溝２０１１３Ｃに取り付けられ、取付溝２０１１３Ｃの高さは支持体２０７０Ｃの取付高さより高いので、支持体２０７０Ｃは、パッケージング部２０１１の端部から突出しない。すなわち、支持体２０７０Ｃは、パッケージング部２０１１の内側に設けられ得る。
【０２５３】
本発明のこの実施形態によれば、支持体２０７０Ｃは、第１の支持溝２０７１Ｃと第２の支持溝２０７２Ｃとを有し、第１の支持溝２０７１Ｃは、フィルタ２０４０の表面が支持体２０７０Ｃの頂部から突出しないようにフィルタ２０４０を取り付けるための溝である。第２の支持溝２０７２Ｃは、カメラモジュールの背面焦点距離を短くするために、パッケージング部２０１１が支持体２０７０Ｃから上方に延長され得、フィルタ２０４０の位置が比較的低くなるように、パッケージング部２０１１上に支持体２０７０Ｃが取り付けられるために使用されるものである。他の代替形態によれば、支持体２０７０Ｃは、支持体７２Ｃの平滑かつ平坦な底面がパッケージング２０１１上に直接取り付けられるような上記の第２の支持溝２０７２Ｃを有さない場合もあることは理解できる。
【０２５４】
すなわち、支持体２０７０Ｃは、フィルタ２０４０が感光チップ２０３０の上で支持された状態で維持されるように、貫通孔２０１１００まで延長され、下方に延長される。貫通孔２０１１００内の空間を利用することによって、フィルタ２０４０は安定的に取り付けられ得、フィルタ２０４０は外部空間に位置しなくなる。さらに、支持体２０７０は、感光チップ２０３０の受光経路を遮断しないように、感光チップ２０３０の感光領域の外側に位置する。
【０２５５】
支持体２０７０Ｃが内側に延在する距離は、感光チップ２０３０の感光領域の範囲外にあることに留意されたい。すなわち、支持体２０７０Ｃは、感光チップ２０３０の感光プロセスに影響を及ぼさないように、感光チップ２０３０を覆わない。支持体２０７０Ｃの寸法は、実際の要求に基づいて設計され得る。
【０２５６】
上記の第３の好適な実施形態とは異なり、第２の支持溝２０７２Ｃは、合致したバックル構造を形成するためにパッケージング部の取付溝２０１１３Ｃと合致するので、支持体２０７０Ｃは、取付溝２０１１３Ｃ上に安定的に取り付けられ得る。第３の好適な実施形態と比較して、この実施形態では、背面焦点距離のより短いカメラモジュールを提供するために、フィルタ２０４０と感光チップ２０３０との間の距離はより短くなる。
【０２５７】
本発明のこの実施形態および対応する図面によれば、ズームレンズモジュールが説明のための一例として使用されており、レンズ２０５０は、モータ２０６０上に取り付けられ、モータ２０６０は、支持体２０７０Ｃ上に取り付けられる。すなわち、支持体２０７０Ｃは、フィルタ２０４０およびモータ２０６０用の設置場所を形成する。本発明のいくつかの他の実施形態によれば、カメラモジュールは固定焦点モジュールでもあり得る。レンズ２０５０は、支持体２０７０Ｃ上に取り付けられる。すなわち、支持体２０７０Ｃは、フィルタ２０４０およびレンズ２０５０用の設置場所を形成する。当業者は、支持体２０７０の特定の構造およびカメラモジュールのタイプが本発明を制限すべきでないことを理解すべきである。
【０２５８】
図２２は、本発明の第９の好適な実施形態に従う成形プロセスベースのカメラモジュールの断面斜視図である。上記の好適な実施形態とは異なり、フィルタ２０４０は、モータ２０６０Ｄ上に取り付けられ、モータ２０６０Ｄは、パッケージング部２０１１上に取り付けられるので、フィルタ２０４０を取り付けるのに追加の部品は必要でない。
【０２５９】
モータ２０６０Ｄは、下端部２０６２Ｄを備え、下端部２０６２Ｄは、モータ２０６０Ｄがフィルタ２０４０上に取り付けられるように適合される。すなわち、レンズ２０５０は、モータ２０６０Ｄの上端部に取り付けられるが、フィルタ２０４０は、モータ２０６０Ｄの下端部２０６２Ｄのレンズの２０５０の下に取り付けられる。
【０２６０】
本発明のこの実施形態によれば、フィルタ２０４０は、モータ２０６０Ｄ上に取り付けられるので、フィルタ２０４０を取り付けるのに追加の部品は必要でない。さらに、モータ２０６０Ｄは、パッケージング部２０１１上に直接取り付けられる。モータ２０６０Ｄ用の平滑かつ平坦な設置条件が実現される。
【０２６１】
図２３は、本発明の第１０の好適な実施形態に従う成形プロセスベースのカメラモジュールの断面斜視図である。上記の好適な実施形態とは異なり、レンズ２０５０Ｅは、レンズコーン２０５１Ｅと、レンズコーン２０５１Ｅ内に配置された少なくとも１つの光学系２０５２Ｅとを備える。
【０２６２】
本発明のこの実施形態によれば、フィルタ２０４０は、レンズコーン２０５１Ｅ内の全ての光学系２０５２Ｅの下に取り付けられるので、フィルタ２０４０を取り付けるのに追加の部品は必要でない。
【０２６３】
より詳細には、レンズコーン２０５１Ｅは、フィルタ２０４０を設置するように適合可能な底部２０５１１Ｅを備える。レンズコーン２０５１Ｅのベースの形状は、フィルタ２０４０の形状と一致する。すなわち、ベースは、フィルタ２０４０がベースの中に収容されて取り付けられるように中空正方形の形状である。レンズコーン２０５１Ｅの上部は、光学系２０５２Ｅを取り付けるのに利用され、レンズコーン２０５１Ｅの形状は光学系２０５２Ｅの形状と一致し、レンズコーン２０５１Ｅの下部は、フィルタ２０４０を取り付けるのに利用され、レンズコーン２０５１Ｅの形状はフィルタ２０４０の形状と一致する。したがって、レンズコーン２０５１Ｅの上部全体は、円管柱形状であるが、レンズコーン２０５１Ｅの下部の内側は、正方形である。さらに、管状部と正方形部は、一体的に接続される。
【０２６４】
モータ２０６０は、パッケージング部２０１１上に取り付けられ、フィルタ２０４０は、レンズコーン２０５１Ｅ上に取り付けられるので、フィルタ２０４０を取り付けるのに追加の部品は必要でない。
【０２６５】
図２４は、本発明の第１１の好適な実施形態に従う成形プロセスベースのカメラモジュールの断面斜視図である。上記の好適な実施形態とは異なり、回路ユニット２０１０は、主回路基板２０１２１Ｆを備え、主回路基板２０１２１Ｆは、通路２０１２１２Ｆを有し、通路２０１２１２Ｆの下部は、感光チップ２０３０を取り付けるように適合可能である。通路は、主回路基板２０１２１Ｆの上側面と下側面とを連通させるので、感光チップ２０３０が主回路基板２０１２１Ｆの裏面から、感光領域が対向する形で主回路基板２０１２１Ｆ上に設置されたときでも、感光チップ２０３０の感光領域はレンズ２０５０からの入射光を受光する状態であり得る。
【０２６６】
さらに、主回路基板２０１２１Ｆは、感光チップ２０３０用の設置場所を形成するために、対応する通路と連通する外側溝２０１２１３Ｆを有する。特に、感光チップ２０３０が外側溝２０１２１３Ｆに設置されているときに、感光チップ２０３０の外面は、主回路基板２０１２１Ｆの外面と一致し、感光チップ２０３０の外面と主回路基板２０１２１Ｆの外面は、回路ユニット２０１０の表面の平坦性を保証するように同一平面上にある。
【０２６７】
本発明のこの実施形態では、通路は段差形状であるため、感光チップ２０３０が設置しやすくなり、感光チップ２０３０用の安定的な設置場所が提供され、その結果、さらに、感光チップ２０３０の感光領域は内側空間に存在するようになる。
【０２６８】
本発明のこの実施形態は、従来の方法とは異なる、ある種のチップ設置方法を提供し、これはフリップチップ（ＦＣ）方法であることに留意されたい。感光チップ２０３０は、主回路基板２０１２１Ｆの背面方向から主回路基板２０１２１Ｆに設置され、これは、主回路基板２０１２１Ｆの前面から、すなわち、感光チップ２０３０の感光領域が上方を向いた状態で主回路基板２０１２１Ｆの上側から主回路基板２０１２１Ｆ上に設置する必要がある上記実施形態とは異なる。この種の構造および設置方法は、感光チップ２０３０とパッケージング部２０１１とを比較的独立した状態にすることができる。感光チップ２０３０の設置は、パッケージング部２０１１によって影響を受けなくなる。さらにパッケージング部２０１１の成形は、感光チップ２０３０にほとんど影響を与えない。また、感光チップ２０３０は、主回路基板２０１２１Ｆの内側により大きな空間を残すように、主回路基板２０１２１Ｆの内側へ突出せずに主回路基板２０１２１Ｆの外側に組み込まれるので、パッケージング部２０１１の高さは感光チップ２０３０の高さによって制限されることはなくなり、その結果、パッケージング部２０１１の高さを低くすることができる。
【０２６９】
本発明のこの実施形態によれば、フィルタ２０４０は、通路の上端部に取り付けられることに留意されたい。すなわち、フィルタ２０４０は、主回路基板２０１２１Ｆの通路上に被せられ、フィルタ２０４０をパッケージング２０１１上に取り付ける必要がないので、カメラモジュールの背面焦点距離を短くすることができ、したがって、カメラモジュールの高さを低減することができる。特に、フィルタ２０４０は、ＩＲカットフィルタ（ＩＲＣＦ）として具現化され得る。すなわち、フィルタ２０４０は、支持体のような任意の追加の部品に依存せずに、主回路基板２０１２１Ｆ上に取り付けられる。
【０２７０】
図２５Ａ〜図２６は、本発明の第１２の好適な実施形態に従う成形プロセスベースのカメラモジュールを示す。上記の好適な実施形態とは異なり、パッケージング部２０１１には、取付溝２０１１３Ｇが配置され、取付溝２０１１３Ｇは、貫通孔２０１１００と連通される。すなわち、パッケージング部２０１１の上面２０１１２Ｇは、一体的に延在する構造ではなく、段差形状の構造である。
【０２７１】
さらに、カメラモジュールは、支持体２０７０Ｇを備え、支持体２０７０Ｇは、フィルタ２０４０を設置するように適合可能である。支持体２０７０Ｇは、パッケージング部２０１１上に取り付けられ、フィルタ２０４０は、支持体２０７０Ｇ上に取り付けられ、モータ２０６０またはレンズ２０５０は、パッケージング部２０１１上に取り付けられる。例えば、支持体２０７０Ｇは、接着によってパッケージング部２０１１上に固定して取り付けられる。
【０２７２】
さらに、パッケージング部２０１１は、取付溝２０１１３Ｇを形成するために、その上面の少なくとも２つの側に突出段差部２０１１５Ｇを備えるが、その少なくとも１つの側には突出段差部２０１１５Ｇが存在しない。すなわち、この実施形態によれば、取付溝２０１１３Ｇの横断面は、閉鎖構造ではなく、少なくとも１つの側に隙間２０１１３１Ｇを有する。安定させるために、少なくとも２つの対称な突出段差部２０１１５Ｇを設けることができ、すなわち、このことにより、２つの対称な取付溝２０１１３が形成される。例えば、設けられる突出段差部２０１１５Ｇの数は、１つ、２つ、３つ、または４つであり得る。２つの突出段差部２０１１５Ｇが設けられる場合、突出段差部２０１１５Ｇは、任意で、対称な両側に配置され、したがって、他方の対称な両側にはそれぞれ隙間２０１１３１Ｇを形成することができる。３つの突出段差部２０１１５Ｇが設けられる場合、突出段差部２０１１５Ｇは、任意で、いずれかの３つの側に配置され、したがって、１つの隙間２０１１３１Ｇを形成することができる。４つの突出段差部２０１１５Ｇが設けられる場合、隙間２０１１３１Ｇは形成されず、すなわち、突出段差部２０１１５Ｇは、閉鎖および封止する形で取付溝２０１１３Ｇを形成する。異なる実施形態によれば、支持体２０７０Ｇは、様々な構造の突出段差部２０１１５および突出段差部２０１１５によって形成された取付溝２０１１３１Ｇと合致し得る。支持体２０７０Ｇが取付溝２０１１３Ｇ上に取り付けられたときに、隙間２０１１３１Ｇは埋められて、感光チップ２０３０用の閉鎖内部環境が形成される。すなわち、支持体２０７０Ｇは、隙間２０１１３１Ｇまで延長され得る。
【０２７３】
突出段差部２０１１５Ｇの形状は、規則的な線形構造または不規則な曲線構造であり得ることに留意されたい。それに応じて、支持体２０７０Ｇの断面構造は、規則的な構造または不規則な曲線構造であり得る。
【０２７４】
さらに、支持体２０７０Ｇは、取付溝２０１１３Ｇの隙間２０１１３１Ｇに対応する少なくとも１つの延長リム２０７３Ｇを備える。特に、延長リム２０７３Ｇの数および位置は、隙間２０１１３１Ｇの数および位置に対応する。当然、４つの突出段差部２０１１５Ｇがある場合には、突出段差部２０１１５Ｇは閉鎖構造を形成することになる。その結果、延長リム２０７３Ｇを設ける必要はなくなる。支持体２０７０のいずれの側も、取付溝２０１１３Ｇに対応する。当然、本発明の別の実施形態によれば、パッケージング部２０１１に、突出段差部２０１１５Ｇが設けられない場合もある。すなわち、パッケージング部２０１１は、プラットフォーム構造を形成し、支持体２０７０は、プラットフォーム構造上に取り付けられる。それに応じて、支持体２０７０Ｇは、パッケージング部２０１１のリムにそれぞれに重なるように適合された４つの延長リム２０７３Ｇを備える。延長リムの幅は、１つの幅に限定されるのではなく、パッケージング部２０１１の幅に基づいて決定され得る。すなわち、支持体は、広い延長リム２０７３Ｇを有する場合もあれば、狭い延長リム２０７３Ｇを有する場合もある。
【０２７５】
さらに、支持体２０７０Ｇは、パッケージング部２０１１の取付溝２０１１３Ｇに取り付けられ、取付溝２０１１３Ｇの高さは支持体２０７０Ｇの取付高さより高いので、支持体２０７０Ｇは、パッケージング部２０１１の頂部から突出しない。例えば、取付溝２０１１３Ｇの高さは支持体２０７０Ｇの高さより０．０５ｍｍ高いので、モータ２０６０がパッケージング部２０１１上に取り付けられたときに、モータ２０６０の底部は、支持体２０７０Ｇに直接接触せず、モータ２０６０内に取り付けられているレンズも支持体２０７０Ｇに接触しない。本発明のこの実施形態によれば、ズームレンズカメラモジュールの例では、モータはパッケージング部２０１１上に取り付けられることに留意されたい。しかし、本発明の別の実施形態によれば、カメラモジュールは、レンズ２０５０がパッケージング部２０１１上に取り付けられる固定焦点モジュールでもあり得る。特に、支持体２０７０Ｇと光学系とレンズ２０５０のレンズコーンとは、互いに直接接触しない。
【０２７６】
感光チップ２０３０のサイズが大きく、パッケージング部２０１１の壁厚が薄い場合には、上記の配置および設計により、パッケージング部２０１１は、フィルタを取り付けるために、支持体２０７０Ｇを取り付けるための空間を形成することができることが理解できる。図１１Ａ〜図１２を参照すると、パッケージング部２０１１は、その頂部の３つの側に形成された突出段差部２０１１５を有し得るが、突出段差部２０１１５がない側は、支持体２０７０Ｇを支持するのに直接利用され得る。図２５Ａの断面図を参照すると、突出段差部２０１１５が左右両側にあり、その内側面に支持体２０７０Ｇが取り付けられることがわかる。図２５Ｂの別の断面図を参照すると、左側のパッケージング部２０１１の上面は、支持体２０７０Ｇを直接支持しているが、右側の突出段差部２０１１５は、支持体２０７０Ｇを停止および制限するためのものである。
【０２７７】
さらに、この実施形態では、パッケージング部２０１１は一体的に形成され、モータ２０６０はパッケージング２０１１の突出段差部２０１１５とだけ接触するので、モータ２０６０が突出段差部２０１１５上に取り付けられたときに、モータ２０６０の傾斜が低減され得るように、突出段差部２０１１５の上面は、支持体２０７０Ｇの上面より高くなり得る。
【０２７８】
回路要素２０１２２は、主回路基板２０１２１上に平坦に配置されない場合があることに留意されたい。したがって、主回路基板２０１２１上のパッケージング部２０１１用に確保された位置は、規則的かつ対称的でない場合がある。例えば、回路要素２０１２２がある側に広い空間が残され、回路要素２０１２２が無い側に狭い空間が残される場合がある。この場合、パッケージング部の狭い側に取付溝を形成するのが難しくなるのが問題である。しかしながら、本発明のこの実施形態では、取付溝２０１１３ＧはＵ字形であるので、取付溝２０１１３Ｇは、パッケージング部２０１１の広い側の外側ではなく、パッケージング部２０１１の狭い側の外側に連通され、取付溝２０１１３Ｇは、貫通孔２０１１００のみに連通され、最終的に、Ｕ字形の取付溝２０１１３Ｇとなる。支持体２０７０Ｇは、取付溝２０１１３Ｇに取り付けられ、パッケージング部２０１１の広い領域または狭い領域から安定的に支持され、その結果、フィルタ２０４０が安定的に取り付けられ得る。すなわち、支持体２０７０Ｇの延長リム２０７３Ｇは、取付溝２０１１３Ｇを閉鎖するように、Ｕ字形構造の開口部を埋める。さらに、モータ６０またはレンズ５０が取り付けられるように、パッケージング部２０１１の上面の高さは一致する。
【０２７９】
本発明の一実施形態によれば、取付溝２０１１３Ｇの高さは支持体２０７０Ｇの高さより高いので、支持体２０７０Ｇが取付溝２０１１３Ｇに取り付けられたときに、取付溝２０１１３ＧのＵ字形構造の開口部の領域で支持体２０７０Ｇとモータ２０６０の面との間に隙間が生じることに留意されたい。したがって、この実施形態は、カメラモジュールの隙間を封止するためにシーラーを利用して、感光チップ２０３０を外部から隔離する。特に、一実施形態によれば、シーラーはコロイドである。すなわち、カメラモジュールが組み立てられた後に、パッケージング部２０１１上に取り付けられた支持体２０７０Ｇは、コロイドで封止される。
【０２８０】
本発明のこの実施形態によれば、支持体２０７０Ｇは、第１の支持溝２０７１Ｇと第２の支持溝２０７２Ｇとを有し、第１の支持溝２０７１Ｇは、フィルタ２０４０の表面が支持体２０７０Ｇの頂部から突出しないようにフィルタ２０４０を取り付けるための溝である。第２の支持溝２０７２Ｇは、カメラモジュールの背面焦点距離を短くするために、パッケージング部２０１１が支持体２０７０Ｇから上方に延長され得、フィルタ２０４０の位置が比較的低くなるように、パッケージング部２０１１上に支持体２０７０Ｇが取り付けられるために使用されるものである。
【０２８１】
第１の支持溝２０７１Ｇの形状とフィルタ２０４０の形状とは互いに一致し、第２の支持溝２０７２の形状とパッケージング部２０１１の取付溝２０１１３の形状とは互いに一致する。
【０２８２】
すなわち、支持体２０７０Ｇは、フィルタ２０４０が感光チップ２０３０の上で支持された状態で維持されるように、貫通孔２０１１００まで延長され、下方に延長される。貫通孔２０１１００内の空間を利用することによって、フィルタ２０４０は安定的に取り付けられ得、フィルタ２０４０は外部空間に位置しなくなる。
【０２８３】
支持体２０７０Ｇが内側に延在する距離は、感光チップ２０３０の感光領域の範囲外にあることに留意されたい。すなわち、支持体２０７０Ｇは、感光チップ２０３０の感光プロセスに影響を及ぼさないように、感光チップ２０３０を覆わない。支持体２０７０Ｇの寸法は、実際の要求に基づいて設計され得る。
【０２８４】
上記の第７の好適な実施形態とは異なり、第２の支持溝２０７２Ｇは、合致したバックル構造を形成するためにパッケージング部２０１１の取付溝２０１１３Ｇと合致するので、支持体２０７０Ｇは、取付溝２０１１３Ｃ上に安定的に取り付けられ得る。第３の好適な実施形態と比較して、この実施形態では、背面焦点距離のより短いカメラモジュールを提供するために、フィルタ２０４０と感光チップ２０３０との間の距離はより短くなる。
【０２８５】
本発明のこの実施形態および対応する図面によれば、ズームレンズモジュールが説明のための一例として使用されており、レンズ２０５０は、モータ２０６０上に取り付けられ、モータ２０６０は、支持体２０７０Ｇ上に取り付けられる。すなわち、支持体２０７０Ｃは、フィルタ２０４０およびモータ２０６０用の設置場所を形成する。本発明のいくつかの他の実施形態によれば、カメラモジュールは固定焦点モジュールでもあり得る。レンズ２０５０は、支持体２０７０Ｇ上に取り付けられる。すなわち、支持体２０７０Ｇは、フィルタ２０４０およびレンズ２０５０用の設置場所を形成する。当業者は、支持体２０７０Ｇの特定の構造およびカメラモジュールのタイプが本発明を制限すべきでないことを理解すべきである。
【０２８６】
様々な要求に基づいて、支持体２０７０Ｇは、フィルタ２０４０、モータ２０６０、レンズ２０５０などの様々な部品を取り付けるために、上記の実施形態に従う、支持体１０７０、支持体２０７０、支持体３０７０Ｇ、および支持体３０７０Ｈのような異なる構造を有し得ることに留意されたい。本発明のこの実施形態によれば、フィルタ２０４０は、支持体２０７０Ｇ上に取り付けられ、支持体２０７０Ｇは、パッケージング部２０１１上に取り付けられ、レンズ２０５０は、モータ２０６０上に取り付けられる。モータ２０６０の底部の一部は、パッケージング部２０１１によって支持されるが、モータ２０６０の別の部分は、支持体２０７０Ｇの上に位置決めされ、例えば、ズームレンズモジュールを形成するために支持体２０７０Ｇの上に重なり得る。本発明の別の実施形態によれば、レンズ２０５０の底部は、パッケージング部２０１１上で支持されるが、レンズ２０５０の別の部分は、固定焦点モジュールを形成するために、支持体２０７０Ｇの上部によって支持される。本発明の別の実施形態によれば、フィルタ２０４０は、支持体２０７０上に取り付けられ、支持体２０７０は、パッケージング部２０１１上に取り付けられ、レンズは、モータ２０６０上に取り付けられる。モータ２０６０は、支持体２０７０からの支持に依存せずに、パッケージング部２０１１内で完全に支持され設置される。すなわち、支持体は、パッケージング部２０１１の内側に完全に配置される。本発明の別の実施形態によれば、レンズ２０５０は、固定焦点モジュールを形成するために、パッケージング部２０１１によって完全に支持される。本発明の別の実施形態によれば、モータ２０６０またはレンズ２０５０は、支持体２０７０上で完全に支持される。すなわち、支持体２０７０は、パッケージング部２０１１とモータ２０６０またはレンズ２０５０との間に配置される。本発明の別の実施形態によれば、フィルタ２０４０は、支持体上に取り付けられず、感光チップ２０３０上、または主回路基板２０１２１上に取り付けられる。
【０２８７】
当業者は、本発明のこの実施形態に示されているパッケージング部２０１１および支持体２０７０Ｇの構造的特徴は、本発明の他の実施形態で自由に使用されてもよく、本発明はこの実施形態の構造的特徴に制限されるべきでないことを理解すべきである。
【０２８８】
上記の実施形態および図面によれば、ズームレンズモジュールは、本発明の概念を示すために一例として挙げられているが、他の実施形態によれば、カメラモジュールは固定焦点モジュールでもあり得る。当業者は、カメラモジュールのタイプが本発明を制限すべきでないことを理解すべきである。図２７〜図２９は、本発明の第１３の好適な実施形態に従う一体パッケージングプロセスベースのカメラモジュールを示す。カメラモジュールは、電子デバイスの写真撮影の作業を支援するために、様々な電子デバイスで利用され得る。例えば、カメラモジュールは、物体または人物の写真またはビデオを撮影するのに利用され得る。好ましくは、カメラモジュールは、例えば、これらに限定されないが、携帯電話またはタブレットコンピュータなどの様々な電子デバイスで利用され得る。
【０２８９】
図２７〜図２９を参照すると、カメラモジュールは、一体ベース部品３０１０と、感光チップ３０３０と、レンズ３０５０とを含む。
【０２９０】
さらに、感光チップ３０３０は、一体ベース部品３０１０上に取り付けられる。レンズ３０５０は、一体ベース部品３０１０の上に設けられ、レンズ３０５０は、感光チップ３０３０の受光路に位置決めされる。一体ベース部品３０１０は、電子デバイスと共に利用されるように、電子デバイスと結合され得る。当業者は、レンズ３０５０および感光チップ３０３０は、撮像するために互いに協働し得ることを理解すべきである。具体的には、物体または人のような撮影対象から反射された光は、レンズ３０５０を通過した後、光電変換のために感光チップ３０３０によって受光される。すなわち、感光チップ３０３０は、光信号を電気信号に変換することができ、電気信号は、一体ベース部品３０１０を介して電子デバイス上で撮影対象に対応する画像を生成するために、電子デバイスに伝送され得る。
【０２９１】
一体ベース部品３０１０は、ベース部３０１１と回路基板部３０１２とを含み、ベース部３０１１は、成形によって回路基板部３０１２と接続されるように、回路基板部３０１２と一体的パッケージングによって接続される。より具体的には、ベース部３０１１は、オンボード成形（ＭＯＢ）技術を使用して、成形によって回路基板部３０１２と接続される。すなわち、ベース部３０１１は、接着剤などの何かを介して接続されるのではく、回路基板部３０１２と直接接続される。したがって、ベース部３０１１と回路基板部３０１２との間の接続は、より信頼性が高くなる。
【０２９２】
回路基板部３０１２は、主回路基板３０１２１を備え、ベース部３０１１は、主回路基板３０１２１と一体的に接続される。ベース部３０１１は、ベース部３０１１で感光チップ３０３０の外側面を取り囲んで、レンズ３０５０および感光チップ３０３０用の光路を提供するために、貫通孔３０１１００を形成する。感光チップ３０３０は、主回路基板３０１２１上の貫通孔３０１１００に対応する位置に配置される。
【０２９３】
回路基板部３０１２は、接続回路と少なくとも１つの回路要素３０１２２とを備え、接続回路は、主回路基板内に事前に設置され、回路要素３０１２２は、感光チップ３０３０の感光動作のプロセスのために接続回路に電気的に接続される。回路要素３０１２２は、例えば、抵抗器、コンデンサ、ダイオード、三極管、ポテンショメータ、継電器、ドライバ、プロセッサ、メモリなどであり得るが、これらに限定されない。
【０２９４】
ベース部３０１１は回路要素３０１２２を内部に包覆することができるので、回路要素３０１２２は空間内で直接露出しておらず、特に、感光チップ３０３０と連通する閉鎖環境において露出していないことも理解しておきたい。それは、抵抗器ーコンデンサ部品を回路基板から突出させるような従来のカメラモジュール内の回路要素の配置とは異なるので、塵埃および雑物が回路要素３０１２２に付着する、または感光チップ３０３０を汚染するのを防止することができる。本発明のこの実施形態では、回路要素３０１２２は、この例では主回路基板３０１２１から突出しているが、本発明の他の実施形態では、回路要素３０１２２は、主回路基板３０１２１から突出せずに主回路基板３０１２１内に組み込まれる。したがって、当業者は、回路要素３０１２２の構造、タイプ、および取り付け位置が本発明を制限すべきでないことを理解すべきである。従来のカメラモジュールでは、回路部品は回路基板から突出し、ベース部は回路要素３０１２２の外側面にのみ設置され得るので、回路部品およびベース部は共に一定の空間が必要であることが理解できる。その結果、回路基板の横寸法をもっと大きくする必要が生じる。本発明の一体パッケージングプロセスベースのカメラモジュールでは、ベース部３０１１は、主回路基板３０１２１上に一体的にパッケージングされ、回路要素３０１２２を包覆するので、ベース部３０１１の空間と回路要素３０１２２の空間とが重なり、このことにより、ベース部３０１１を内側に配置するための追加の空間が形成され、主回路基板３０１２１を外側に延長する必要性が低減される。したがって、より小型のデバイスを実現するために、カメラモジュールの横寸法は低減され得る。
【０２９５】
ベース部３０１１が回路要素３０１２２を包覆する形は、回路要素３０１２２が汚染される、または偶然ぶつけられることから保護する利点を有し、これは対応するカメラモジュールにとっても有利であることを理解されたい。しかしながら、当業者は、ベース部３０１１は、回路要素３０１２２を包覆する形に制限されるべきでないことを理解すべきである。すなわち、本発明の他の実施形態では、ベース部３０１１は、回路要素１２２が突出していない主回路基板３０１２１上に直接成形され得る、または回路要素３０１２２の外側面および外周を含む様々な位置で成形され得る。
【０２９６】
本発明のこの実施形態によれば、ベース部３０１１は感光チップ３０３０の外側面の周囲を突出して取り囲む。特に、ベース部３０１１は、十分な封止品質を有するように一体的に閉鎖する形で接続されるので、レンズ３０５０が感光チップ３０３０の受光路に沿って設置されたときに、感光チップ３０３０は内部に封止され、このことにより、対応する密閉内部空間が形成される。
【０２９７】
具体的には、一体ベース部品３０１０を製造するときに、従来の回路基板が主回路基板３０１２１となるように利用され、その後、主回路基板３０１２１の表面で成形が行われてよい。例えば、一実施形態によれば、射出成形機を利用して、インサート成形技術によって、ＳＭＴによって処理された回路基板を一体的にパッケージング（成形によってパッケージング）して、ベース部３０１１を形成することができる。代替形態として、一般に半導体パッケージングに使用されるプレス成形技術を利用して、ベース部３０１１を形成する場合がある。さらに、感光チップ３０３０は、主回路基板３０１２１上にそれぞれ取り付けられる。さらに、感光チップ３０３０は、例えば、ワイヤボンディングによって、それぞれ主回路基板３０１２１と電気的に接続される。主回路基板３０１２１は、代替形態として、例えば、リジッドフレキシブル基板、セラミック基板（フレキシブル基板を含まない）、またはリジッドＰＣＢ（フレキシブル基板を含まない）であり得るが、これらに限定されない。ベース部３０１１を形成する方法は、場合により、例えば、射出成形技術またはプレス成形技術であり得るが、これらに限定されない。ベース部３０１１の可能な材料は、例えば、射出成形用のナイロン、ＬＣＰ（液晶ポリマー）、またはＰＰ（ポリプロピレン）、およびプレス成形用のエポキシ樹脂であるが、これらに限定されない。当業者は、上記の可能な製造方法および任意の材料は、本発明の実施例を説明するための例に過ぎず、本発明を制限するものではないことを理解すべきである。
【０２９８】
本発明のいくつかの実施形態では、一体ベース部品３０１０を製造するプロセスはさらに、主回路基板３０１２１にＳＭＴを施すステップと、主回路基板３０１２１上に感光チップ３０３０を取り付けるステップと、例えば、ワイヤボンディングによって、感光チップ３０３０を主回路基板３０１２１に電気的に接続するステップと、例えば、インサート成形もしくは半導体パッケージングにおいて一般的な技術であるプレス成形を用いてベース部３０１１を形成する成形パッケージングによって、主回路基板３０１２１を一体的にパッケージングするステップとを含み得る。当業者は、一体ベース部品３０１０の特定の製造順序が本発明を制限すべきでないことを理解すべきである。
【０２９９】
カメラモジュールはさらに、フィルタ３０４０を備え、フィルタ３０４０は、フィルタ３０４０用の安定的で平滑な設置条件を実現するために、ベース部３０１１上に配置される。
【０３００】
より具体的には、本発明の一実施形態によれば、フィルタ３０４０は、赤外線カットフィルタ（ＩＲカットフィルタ、ＩＲＣＦ）として具現化され、ＩＲカットフィルタは、精密な光学コーティング技術を用いて光学基板上に高屈折率光学フィルムを交互に積層することによって作製された光学フィルタであり、可視光（４００ｎｍ〜６３０ｎｍ）に対して高い透過性を有し、近赤外線（７００ｎｍ〜１１００ｎｍ）は遮断する。ＩＲカットフィルタは、赤外光が、ＣＣＤ、ＣＭＯＳなどの感光チップ３０３０の撮像に影響を及ぼすのを防止することができるＩＲカットフィルタ３０４０をカメラモジュールの撮像システムに組み入れて、撮像システムの画質に影響を及ぼす赤外光の一部を遮断することによって、カメラモジュールによって形成された画像は、人の目にとってより満足できる感覚を実現し得る。
【０３０１】
ＣＣＤ、ＣＭＯＳなどの感光チップ３０３０は、人の目とは異なる形で光を検知することに留意されたい。人の目は、３８０ｎｍ〜７８０ｎｍの波長帯域内の可視光のみを見ることができるが、感光チップ３０３０は、赤外光および紫外光を含む、より広い波長帯域を検知することができる。特に、感光チップ２０３０は赤外光に対して非常に敏感である。したがって、カメラモジュールにおいて、感光チップ３０３０の感知を人の目により近づけて、カメラモジュールの撮影画像を人の目の感知に適合させるために、可視光に対する高い透過性を維持しながら赤外光を制御する必要がある。したがって、ＩＲカットフィルタ３０４０は、カメラモジュールにとって不可欠である。
【０３０２】
特に、本発明のこの実施形態によれば、フィルタ３０４０は、ウェハーレベルのＩＲカットフィルタ、狭帯域フィルタ、ブルーガラスＩＲＣＦから成る群から選択され得る。当業者は、フィルタ３０４０のタイプが本発明を制限すべきでないことを理解すべきである。
【０３０３】
従来のＣＯＢ技術を使用して組み立てられるカメラモジュールでは、フィルタは、通常、一般に回路基板上に接着されたプラスチックベース上に取り付けられる。プラスチックベースおよびその対応する設置形態は、ずれまたは傾斜を引き起こしそうにないが、プラスチックフレームの表面の平坦性および平滑性は悪く、そのためフィルタ３０４０の理想的な設置条件を実現することができない。本発明のこの好適な実施形態によれば、フィルタ３０４０は、成形プロセスによってベース部３０１１上に取り付けられるので、フィルタ３０４０の理想的な設置条件を提供するための表面の高い平坦性および平滑性が実現される。さらに、一体成形形態は、ベース部３０１１のずれまたは傾斜を防ぐことができ、そのことによりフィルタ３０４０の設置の累積公差が低減される。
【０３０４】
さらに、ベース部３０１１の形状は、要求に基づいて決定され得ることも理解されたい。例えば、ベース部３０１１は、ベース部３０１１の対応する幅を大きくするために突出部分を形成するように、回路要素３０１２２の位置で内側へ延長され、この場合、ベース部３０１１は、回路要素３０１２２が無い場所では、より狭い幅を有するより規則的な形状を形成するように一貫して延在する。当業者は、ベース部３０１１の特定の形状が本発明を制限すべきでないことを理解すべきである。
【０３０５】
さらに、ベース部３０１１は、被覆セクション３０１１４と、成形によって被覆セクション３０１１４と一体接続されたフィルタ取付セクション３０１１５とを備える。被覆セクション３０１１４は、回路要素３０１２２を包覆するために、成形によって主回路基板３０１２１と接続される。フィルタ取付セクション３０１１５は、フィルタ３０４０を取り付けるためのセクションである。
【０３０６】
すなわち、一体ベース部品３０１０がカメラモジュールの組み立てに使用される場合、カメラモジュールのフィルタ３０４０は、取付セクション３０１１５上に取り付けられるので、フィルタ３０４０は、対応する感光チップ３０３０の受光経路内に存在し、フィルタ３０４０の追加の取付フレームを必要としなくなる。すなわち、ベース部３０１１は、一体パッケージング技術の利点に基づいて、ここでは従来のレンズホルダの機能を果たすことができるが、フィルタ取付セクション３０１１５の頂部はさらに、フィルタ３０４０を平坦に取り付けることができるように、成形技術によって高い平坦性を有することができ、この点が従来のカメラモジュールに勝る利点である。
【０３０７】
さらに、フィルタ取付セクション３０１１５は、取付溝３０１１３を形成し、取付溝３０１１３は、フィルタ３０４０がフィルタ取付セクション３０１１５の上面から突出しないようにフィルタ３０４０用の十分な設置空間を提供するために、貫通孔３０１１００と連通される。すなわち、取付溝３０１１３は、フィルタ３０４０がベース部３０１１の頂部から突出せずにフィルタ３０４０をベース部３０１１上に安定的に取り付けるために、ベース部３０１１の上端部に設けられる。
【０３０８】
本発明のこの実施形態によれば、取付溝３０１１３は、フィルタ３０４０を取り付けるのに利用され得るが、本発明の他の実施形態によれば、取付溝３０１１３は、カメラモジュールのモータまたはレンズのような他の部品を取り付けるのに利用され得ることに留意されたい。当業者は、取付溝３０１１３の使用が本発明を制限すべきでないことを理解すべきである。
【０３０９】
すなわち、ベース部３０１１は、取付溝３０１１３を有し、取付溝３０１１３は、フィルタ３０４０用の十分な設置空間を提供するために、貫通孔３０１１００と連通される。つまり、ベース部３０１１の上面３０１１２は、一体的に延在する構造ではなく、段差形状の構造である。上面３０１１２の段差部は、フィルタ３０４０、レンズ３０５０、およびモータ３０６０を設置するのに利用され得る。
【０３１０】
さらに、取付溝３０１１３の高さはフィルタ３０４０の厚さより大きいので、フィルタ３０４０が取付溝３０１１３に取り付けられたときに、フィルタ３０４０はベース部３０１１の頂部から突出しない。
【０３１１】
特に、本発明のこの実施形態によれば、フィルタ３０４０は、正方形であり、取付溝３０１１３の形状は、フィルタ３０４０の形状と一致する。すなわち、取付溝３０１１３の横断面は、正方形のリング状であり、取付溝３０１１３は、貫通孔３０１１００と連通される。
【０３１２】
本発明のこの実施形態によれば、取付溝３０１１３は、フィルタ３０４０を取り付けるのに利用され得るが、本発明の他の実施形態によれば、取付溝３０１１３は、カメラモジュールのモータ３０６０またはレンズ３０５０のような他の部品を取り付けるのに利用され得ることに留意されたい。当業者は、取付溝３０１１３の使用が本発明を制限すべきでないことを理解すべきである。
【０３１３】
本発明のこの実施形態によれば、カメラモジュールは、ボイス・コイル・モータのようなモータ３０６０を備える。レンズ３０５０は、モータ３０６０上に取り付けられるので、レンズ３０５０は、カメラモジュールの焦点距離を調整するために、モータ３０６０によって移動するように駆動され得る。すなわち、カメラモジュールは、ズームレンズモジュールまたは自動焦点モジュール（ＡＦＭ）である。モータ３０６０は、少なくとも１つのモータピン３０６１によって、主回路基板３０１２１と電気的に接続される。
【０３１４】
本発明のこの実施形態によれば、ズームレンズモジュールは、説明のために図面内に一例として挙げられているが、他の実施形態によれば、カメラモジュールは固定焦点モジュールであり得ることに留意されたい。当業者は、カメラモジュールのタイプが本発明を制限すべきでないことを理解すべきである。
【０３１５】
モータ３０６０は、一体ベース部品３０１０のベース部３０１１上に取り付けられる。さらに、モータ３０６０は、ベース部３０１１の上面３０１１２上に取り付けられる。すなわち、フィルタ３０４０およびモータ３０６０は、協働する形でベース部３０１１の上面３０１１２上に配置される。モータ３０６０は、少なくとも１つのモータピン３０６１によって、主回路基板３０１２１と電気的に接続される。
【０３１６】
レンズ３０５０は、モータ３０６０内に取り付けられる。モータ３０６０およびフィルタ３０４０は、ベース部３０１１内に取り付けられる。したがって、ベース部３０１１は、従来のＣＯＢ技術とは異なる製造および組み立て方法によってモータ３０６０およびフィルタ３０４０を支持して固定するための従来のカメラモジュールのベースの機能を果たす。従来のＣＯＢ技術のカメラモジュールのベースは、接着によって回路基板上に取り付けられる。しかしながら、パッケージング部３０１１は、貼付および固定のプロセスの必要がない成形によって主回路基板３０１２１上に取り付けられる。成形方法は、貼付および固定プロセスに比べて技術プロセスの十分な接続安定性および可制御性、さらに高い平坦性を有し、このことがモータ３０６０およびフィルタ３０４０用のより良好な設置条件を作り出す。さらに、ベース部３０１１と主回路基板３０１２１との間のＡＡ調整用に確保される接着空間はなくなり、そのため、従来のカメラモジュールのＡＡ調整用の前方の余分な空間が省かれ、その結果、カメラモジュールの厚さが低減され得る。さらに、ベース部３０１１は、従来のカメラモジュールのように回路部品の周囲の安全距離を確保するのではなく、従来のベースの空間と回路要素３０１２２の設置空間とが空間的に重なるように、回路要素３０１２２を包覆する。したがって、ベースとしての機能も果たすベース部３０１１は、より小さいサイズで設けられ得るので、カメラモジュールの厚さをさらに低減することができる。さらに、ベース部３０１１は、従来のベースの代わりに使用され、その結果、ベースの固定および組み立てで生じる傾斜誤差が防止され、カメラモジュールの組み立ての累積公差が低減される。
【０３１７】
さらに、ベース部３０１１の形状は、要求に基づいて決定され得ることも理解されたい。例えば、ベース部３０１１は、ベース部３０１１の対応する幅を大きくするために突出部分を形成するように、回路要素３０１２２の位置で内側へ延長され、この場合、接合成形部分は、回路要素３０１２２が無い場所では、より狭い幅を有するより規則的な形状を形成するように一貫して延在する。当業者は、ベース部３０１１の形状が本発明を制限すべきでないことを理解すべきである。
【０３１８】
本発明のこの実施形態によれば、感光チップ３０３０は、少なくとも１つの接続線３０３１によって主回路基板３０１２１に電気的に接続され、接続回路に電気的に接続される。接続線３０３１は、例えば、金線、銅線、アルミニウム線、または銀線として実施され得るが、これに限定されない。特に、感光チップ３０３０および接続線３０３１は、従来のＣＯＢ方法（例えば、これに限定されないが、溶接）によって、主回路基板３０１２１に接続され得る。すなわち、感光チップ３０３０と主回路基板３０１２１との間の接続は、完全に既存の熟練した接続技術を使用することで、技術改良のコストを低減し、従来の技術および設備を十分に活用して、資源の浪費を回避することができる。当然、当業者は、感光チップ３０３０と主回路基板３０１２１との間の接続は、本発明の目的を達成することができる任意の他の接続方法を使用して実施されてもよく、本発明はこの点に関して制限されないことを理解できるはずである。
【０３１９】
本発明のこの実施形態では、感光チップ３０３０は主回路基板３０１２１の上面に設置され、ベース部３０１１は感光チップ３０３０の外側面を取り囲むことも理解されたい。一体ベース部品３０１０を製造する際に、様々な可能な製造順序がある。例えば、これに限定されないが、一実施例では、最初に、感光チップ３０３０が主回路基板３０１２１上に取り付けられ得、その後、ベース部３０１１が主回路基板３０１２１上の感光チップ３０３０の外側面に成形されて形成され、主回路基板３０１２１の内部で主回路基板３０１２１から突出した回路要素３０１２２を包覆する。さらに、本発明の別の実施例では、最初に、ベース部３０１１を形成して主回路基板３０１２１の内部で主回路基板３０１２１から突出した回路要素３０１２２を包覆するように、主回路基板３０１２１が成形され得る。次に、感光チップ３０３０が、ベース部３０１１の内側面に配置されるように、主回路基板３０１２１上に設置される。
【０３２０】
図３０は、本発明の上記の第１３の好適な実施形態の別の実施例に従うカメラモジュールを示しており、カメラモジュールは、固定焦点モジュール（ＦＦＭ）であり得る。このカメラモジュールでは、レンズ３０５０は、ベース部３０１１の上面３０１１２上に取り付けられ、これは、カメラモジュールの焦点距離が自由に調整可能であることを示している。レンズ３０５０およびフィルタ３０４０は、協働する形でベース部３０１１の上面３０１１２上に配置される。フィルタ３０４０は、取付溝３０１１３に取り付けられる。当業者は、カメラモジュールのタイプが本発明を制限すべきでないことを理解すべきである。
【０３２１】
本発明のこの好適な実施形態によれば、ベース部３０１１は、フィルタ３０４０およびレンズ３０５０を支持して取り付けるのに利用され得、従来のベースの機能を果たし得ることに留意されたい。しかしながら、成形の利点に基づいて、ベース部３０１１はさらに、成形によって調整された平坦性および整合性を有し得るので、カメラモジュールのフィルタ３０４０およびレンズ３０５０の平滑で整合性のある取付環境が提供され、このことにより、従来のカメラモジュールよりもさらに容易にレンズ３０５０の光軸、フィルタ３０４０、および感光チップ３０３０間の整合性を保証し得る。
【０３２２】
図３１Ａを参照すると、本発明の第１４の好適な実施形態によれば、カメラモジュールの一体ベース部品３０１０は、カメラモジュールのモータ３０６０を接続するためのモータ接続部材３０１３を備える。モータ３０６０は、少なくとも１つのモータピン３０６１を有する。モータ接続部材３０１３は、モータ３０６０を主回路基板３０１２１に電気的に接続するように適合された、少なくとも１つのリード線３０１３１を備える。各々のリード線３０１３１は、主回路基板３０１２１と電気的に接続される。各々のリード線３０１３１は、主回路基板３０１２１と電気的に接続される。リード線３０１３１は、ベース部３０１１上に配置され、ベース部３０１１の頂部まで延長される。リード線３０１３１は、モータ３０６０のモータピン３０６１と電気的に接続されるように、ベース部３０１１の頂部で露出したモータ接続端部３０１３１１１３１１を備える。リード線３０１３１は、ベース部３０１１が形成されるときに、埋め込まれて、設けられ得ることに留意されたい。従来の接続形態では、駆動モータなどのような部品は、独立した線によって回路基板に接続され、その製造プロセスは比較的複雑である。幸いにも、成形の間にリード線３０１３１が埋め込まれ得るような本発明によって提供される方法は、モータ溶接などのような従来の技術およびプロセスの代わりに使用され得、回路接続をより安定的な接続にすることができる。特に、本発明の一実施形態によれば、リード線３０１３１は、ベース部３０１１内に埋め込まれた線である。例えば、モータピン３０６１は、異方導電性フィルムまたは溶接およびはんだ付けによって、モータ接続端部３０１３１１と接続される場合がある。
【０３２３】
リード線３０１３１の埋め込み位置およびベース部３０１１上でのリード線３０１３１のモータ接続端部３０１３１１の露出位置は共に、要求に基づいて決定され得ることも理解されたい。例えば、本発明の一実施形態によれば、リード線３０１３１のモータ接続端部３０１３１１は、ベース部３０１１の外側に配置され得、その位置は、ベース部３０１１の上面またはフィルタ取付セクション３０１１５の上面であり得る。本発明の別の実施形態によれば、モータ接続端部３０１３１１は、ベース部３０１１の内側面に配置され得、その位置は、ベース部３０１１の取付溝３０１１３の底部側であり得る。したがって、モータ接続端部３０１３１１は、モータ３０６０の様々な設置場所を提供し得る。すなわち、モータ３０６０がベース部の頂部に取り付けられる必要がある場合、モータ接続端部３０１３１１は、ベース部の外側周囲の上面に設けられ得るが、モータ３０６０は、取付溝３０１１３に取り付けられる必要がある場合、モータ接続端部３０１３１１は、ベース部３０１１の内側周囲に設けられ得、それは、取付溝３０１１３の底部である。
【０３２４】
すなわち、一体ベース部品３０１０の製造プロセスにおいて、最初に、感光チップ３０３０が、主回路基板３０１２１上に取り付けられ得る。次に、ベース部３０１１が、ＭＯＢ技術を用いて、主回路基板３０１２１上に成形される。さらに、リード線３０１３１が成形の間に埋め込まれて配設され、リード線３０１３１が主回路基板３０１２１と電気的に接続される。リード線３０１３１のモータ接続端部３０１３１１は、モータ３０６０のモータピン３０６１と電気的に接続されるように、ベース部の頂部で露出している。例えば、一体ベース部品３０１０がカメラモジュールの組み立てに使用されるときに、モータ３０６０のモータピン３０６１は、はんだ付けおよび溶接によって、リード線３０１３１のモータ接続端部３０１３１１と接続され、このことにより、モータ３０６０は主回路基板３０１２１と電気的に接続され得る。それには、独立した線を介してモータ３０６０を主回路基板３０１２１と接続する必要がある。したがって、モータ３０６０のモータピン３０６１の長さを短くすることができる。
【０３２５】
図３１Ｂは、本発明の上記の好適な実施形態に従うモータ接続部材の同等の形態を示す。モータ接続部材３０１３は、カメラモジュールのモータ３０６０のモータピン３０６１を収容するためのピンスロット３０１３３を備える。ピンスロット３０１３３は、ベース部３０１１の上端部に配置される。モータ接続部材３０１３は、モータ３０６０を主回路基板３０１２１に電気的に接続するように適合された、少なくとも１つのリード線３０１３４を備える。リード線３０１３４は、ベース部３０１１上に配置され、ベース部３０１１のピンスロット３０１３３の溝底壁まで上方に延長される。リード線３０１３４は、モータ３０６０のモータピン３０６１と電気的に接続されるようにベース部３０１１のピンスロット３０１３３の溝底壁に露出したモータ接続端部３０１３４１を備える。特に、一実施形態によれば、モータ接続端部３０１３４１は、ボンディングパッドとして具現化され得る。リード線３０１３４は、ベース部３０１１内に埋め込まれた線として具現化され得る。
【０３２６】
すなわち、一体ベース部品３０１０の製造プロセスにおいて、最初に、感光チップ３０３０が取り付けられる。次に、ベース部３０１１が、ＭＯＢ技術を用いて主回路基板３０１２１上に成形され、所定の長さを有するピンスロット３０１３３も予めベース部３０１１に配置される。さらに、リード線３０１３４が成形の間に埋め込まれて配設され、リード線３０１３４は主回路基板３０１２１と電気的に接続される。リード線３０１３４のモータ接続端部３０１３１１１３４１は、モータ３０６０のモータピン３０６１と電気的に接続されるように、ベース部３０１１のピンスロット３０１３３の溝底壁上に露出している。例えば、一体ベース部品３０１０がカメラモジュールの組み立てに使用されるときに、モータ３０６０のモータピン３０６１は、ピンスロット３０１３３に挿入されて、はんだ付けおよび溶接によってリード線３０１３４のモータ接続端部３０１３１１１３４１と接続され、このことにより、モータ３０６０は主回路基板３０１２１と電気的に接続され得る。それには、独立した線を介してモータ３０６０を主回路基板３０１２１と接続する必要がある。したがって、モータ３０６０のモータピン３０６１は安定的に接続され得、モータピン３０６１の外部の不必要な接触が防止され得る。特に、リード線３０１３４は、ベース部３０１１内に埋め込まれた線として具現化され得る。
【０３２７】
図３１Ｃは、本発明の上記の好適な実施形態に従うモータ接続部材の同等の形態を示す。モータ接続部材３０１３は、カメラモジュールのモータ３０６０のモータピン３０６１を収容するためのピンスロット３０１３５を備える。ピンスロット３０１３５は、ベース部３０１１上に配置される。モータ接続部材３０１３は、主回路基板３０１２１上に予め設置され、主回路基板１２２内の接続回路と電気的に接続された少なくとも１つの回路接合部３０１３２を備える。さらに、ピンスロット３０１３５は、ベース部３０１１の頂部から主回路基板３０１２１まで延長され、露出した回路接合部３０１３２を有する。一実施形態によれば、モータピン３０６１は、ピンスロット３０１３５に挿入されるように適合され、溶接およびはんだ付けによって回路接合部３０１３２に接続され得る。
【０３２８】
すなわち、一体ベース部品３０１０の製造プロセスにおいて、回路接合部３０１３２は、主回路基板３０１２１上に予め設置される。その後、感光チップ１２３が取り付けられる。次に、ベース部３０１１が、ＭＯＢ技術を用いて主回路基板３０１２１上に成形され、所定の長さを有するピンスロット３０１３５も予めベース部３０１１に設置される。回路接合部３０１３２は、モータ３０６０のモータピン３０６１と電気的に接続されるように、ピンスロット３０１３５内で露出する。例えば、一体ベース部品３０１０がカメラモジュールの組み立てに使用されるときに、モータ３０６０のモータピン３０６１は、ピンスロット３０１３５に挿入されて、はんだ付けおよび溶接によって主回路基板３０１２１の回路接合部３０１３２と接続され、このことにより、モータ３０６０は主回路基板３０１２１と電気的に接続され得、モータ３０６０のモータピン３０６１は安定的に接続され得る。このことにより、モータピン３０６１の外部の不必要な接触が避けられる。
【０３２９】
図３１Ｄは、本発明の上記の好適な実施形態に従うモータ接続部材の同等の形態を示す。モータ接続部材３０１３は、主回路基板３０１２１上の接続回路、感光チップ３０３０、モータなどの部品を電気的に接続するためのエッチング回路３０１３６を備える。例えば、エッチング回路３０１３６は、ベース部３０１１が形成されるときに、レーザ・ダイレクト・ストラクチャリング（ＬＤＳ）を用いて配置され得るが、この形に限定されない。従来の接続形態では、駆動モータなどのような部品は、独立した線によって回路基板に接続され、その製造プロセスは比較的複雑である。幸いにも、成形の間にエッチング回路３０１３６が設けられ得るような本発明によって提供される方法は、モータ溶接などのような従来の技術およびプロセスの代わりに使用され得、回路接続をより安定的な接続にすることができる。より詳細には、エッチング回路３０１３６を配置するプロセスは、ベース部３０１１上にエッチング溝を形成するステップと、電気めっきを用いてエッチング溝内に回路を配置するステップとを含む。
【０３３０】
本発明の別の実施形態によれば、カメラモジュールのモータ３０６０が一体ベース部品３０１０と接続される方法は、図６Ａ〜図６Ｄの説明に対応する接続形態から選択されて組み合わせられてよい。例えば、ピンスロット３０１３３とリード線３０１３４、ピンスロット３０１３５と回路接合部３０１３２などを利用するように、モータ３０６０の適切な接続形態が決定されてよい。さらに、本発明の一実施形態によれば、図２を参照すると、モータ３０６０はさらに、はんだ付けおよび溶接などの従来の手段によって一体ベース部品３０１０に接続され得る。当業者は、モータ３０６０と一体ベース部品３０１０との特定の接続形態が本発明を制限すべきでないことを理解すべきである。
【０３３１】
図３２は、本発明の第１５の好適な実施形態に従うカメラモジュールおよびその一体ベース部品を示す。上記の好適な実施形態とは異なり、一体ベース部品３０１０は、主回路基板３０１２１Ａを備える。主回路基板３０１２１Ａは、２つの内側溝３０１２１１Ａを含み、感光チップ３０３０は、対応する内側溝３０１２１１Ａの内側にそれぞれ設置される。上記の実施形態に開示されている一体ベース部品３０１０とは異なり、感光チップ３０３０は、内側溝３０１２１１Ａの内側に収容される形で配置されるので、感光チップ３０３０は、主回路基板３０１２１Ａの上面から大きく突出せず、そのことにより感光チップ３０３０の高さがベース部３０１１に対して低くなり、その結果、感光チップ３０３０からのベース部３０１１の高さ限界が低減され、さらに高さを低くする可能性が得られる。さらに、感光チップ３０３０は内側溝３０１２１１Ａに取り付けられるので、感光チップ３０３０、および、特に接続線３０３１は保護され得る。このことにより、偶然、外部部品が感光チップ３０３０にぶつかり、接触することが防止される。
【０３３２】
さらに、感光チップ３０３０は、接続線３０３１を介して主回路基板３０１２１に電気的に接続され、接続回路に電気的に接続される。リード線は、例えば、金線、銅線、アルミニウム線、または銀線として実施され得るが、これに限定されない。すなわち、感光チップ３０３０および接続線３０３１は共に、主回路基板３０１２１Ａの内側溝３０１２１１Ａに配置される。一実施形態によれば、一体ベース部品３０１０を製造するときに、内側溝３０１２１１Ａは、最初に主回路基板３０１２１Ａ上に配置されなければならない。すなわち、内側溝３０１２１１Ａは、感光チップ３０３０を収容および設置するのに適合可能であるように、従来の主回路基板上に形成される。
【０３３３】
図３３は、本発明の第１６の好適な実施形態に従うカメラモジュールおよびその一体ベース部品の断面図である。
【０３３４】
上記の好適な実施形態とは異なり、一体ベース部品３０１０は、主回路基板３０１２１Ｂを備え、主回路基板３０１２１Ｂは、通路３０１２１２Ｂを有し、通路３０１２１２Ｂの下部は、感光チップ３０３０を取り付けるように適合可能である。通路３０１２１２Ｂは、主回路基板３０１２１Ｂの上側面と下側面とを連通させるので、感光チップ３０３０が主回路基板３０１２１Ｂの裏面から、感光領域が対向する形で主回路基板３０１２１Ｂ上に設置されたときでも、感光チップ３０３０の感光領域はレンズ３０５０からの入射光を受光する状態であり得る。
【０３３５】
さらに、主回路基板は、感光チップ３０３０用の設置場所を形成するために、対応する通路３０１２１２Ｂと連通する外側溝３０１２１３Ｂを有する。特に、感光チップ３０３０が外側溝３０１２１３Ｂに設置されているときに、感光チップ３０３０の外面は、主回路基板３０１２１Ｂの表面と一致し、感光チップ３０３０の外面と主回路基板３０１２１Ｂの表面は、一体ベース部品３０１０の表面の平坦性を保証するように同一平面上にある。
【０３３６】
すなわち、本発明のこの実施形態によれば、通路３０１２１２Ｂは段差形状であるため、感光チップ３０３０が設置しやすくなり、感光チップ３０３０用の安定的な設置場所が提供され、その結果、さらに、感光チップ３０３０の感光領域は内側空間に存在するようになる。
【０３３７】
本発明のこの実施形態は、従来の方法とは異なる、ある種のチップ設置方法を提供し、これはフリップチップ（ＦＣ）方法であることに留意されたい。感光チップ３０３０は、主回路基板３０１２１Ｂの背面方向から主回路基板３０１２１Ｂに設置され、これは、主回路基板３０１２１Ｂの前面から、すなわち、感光チップ３０３０の感光領域が上方を向いた状態で主回路基板３０１２１Ｂの上側から主回路基板３０１２１Ｂ上に設置する必要がある上記実施形態とは異なる。この種の構造および設置方法は、感光チップ３０３０とベース部３０１１とを比較的独立した状態にすることができる。感光チップ３０３０の設置は、ベース部３０１１によって影響を受けなくなる。さらにベース部３０１１の成形は、感光チップ３０３０にほとんど影響を与えない。さらに、感光チップ３０３０は、主回路基板３０１２１Ｂの内側により大きな空間を残すように、主回路基板３０１２１Ｂの内側へ突出せずに主回路基板３０１２１Ｂの外側に組み込まれるので、ベース部３０１１Ｂの高さは感光チップ３０３０の高さによって制限されることはなくなり、その結果、ベース部３０１１の高さをより低くすることができる。
【０３３８】
本発明の他の実施形態によれば、フィルタ３０４０は、通路３０１２１２Ｂの上端部に取り付けられることに留意されたい。すなわち、ベース部３０１１上にフィルタ３０４０を取り付ける必要がないので、カメラモジュールの背面焦点距離を短くすることができ、したがって、カメラモジュールの高さを低くすることができる。特に、フィルタ３０４０は、ＩＲカットフィルタ（ＩＲＣＦ）として具現化され得る。
【０３３９】
図３４は、本発明の第１７の好適な実施形態に従うカメラモジュールおよびその一体ベース部品の断面図である。
【０３４０】
一体ベース部品３０１０は、主回路基板３０１２１の構造的強度を補強するために、主回路基板３０１２１の底層と重なる形で接続された補強層３０１２３Ｃを備える。すなわち、補強層３０１２３Ｃは、主回路基板３０１２１がベース部３０１１および感光チップ３０３０を安定的かつ確実に支持することができるように、ベース部３０１１および感光チップ３０３０の領域に対応する領域で主回路基板３０１２１の底面に取り付けられる。
【０３４１】
さらに、補強層３０１２３Ｃは、主回路基板３０１２１の底部に取り付けられた金属板であり、そのため、主回路基板３０１２１の構造的強度を補強し、金属板は感光チップ３０３０によって生成された熱を効果的に放散するので、一体ベース部品の放熱をさらに高める。
【０３４２】
主回路基板３０１２１はＦＰＣ（フレキシブルプリント回路）であり、補強層３０１２３Ｃによって補強されているので、可撓性があり、折り畳み可能なＦＰＣは、一体ベース部品の荷重要件も満たし得ることに留意されたい。すなわち、主回路基板３０１２１について、ＰＣＢ（プリント基板）、ＦＰＣ、ＲＧ（リジッドフレキシブル基板）のように、より多くの選択肢がある。補強層３０１２３Ｂは、主回路基板３０１２１の構造的強度を高め、その放熱性能を高め得るので、主回路基板３０１２１の厚さを低減することができる。したがって、一体ベース部品の高さはさらに低減され得、その結果、カメラモジュールの高さも低減され得る。
【０３４３】
図３５は、本発明の第１８の好適な実施形態に従うカメラモジュールおよびその一体ベース部品の断面図である。
【０３４４】
上記の好適な実施形態とは異なり、主回路基板３０１２１Ｄは、少なくとも１つの補強保持部３０１２１４Ｄを有し、ベース部３０１１は、主回路基板３０１２１Ｄの構造的強度を補強するために、補強保持部３０１２１４Ｄまで延長される。
【０３４５】
補強保持部３０１２１４Ｄの位置は、要求に基づいて、さらに回路基板の構造的強度の必要性に従って、決定され得る。例えば、補強保持部３０１２１４Ｄは、対称構造を形成し得る。主回路基板３０１２１Ｄの構造的強度は、補強保持部３０１２１４Ｄを設けることによって補強され得る。その結果、主回路基板３０１２１Ｄの厚さは低減され得るので、主回路基板３０１２１Ｄを使用して組み立てられたカメラモジュールの厚さは低減され得、したがって、一体ベース部品の放熱を高めることができる。
【０３４６】
補強保持部３０１２１４Ｄは溝形状であるので、一体ベース部品を製造するときに、成形材料が補強保持部３０１２１４Ｄから流れ出る点に留意されたい。
【０３４７】
図３６は、本発明の第１９の好適な実施形態に従うカメラモジュールおよびその一体ベース部品の断面図である。
【０３４８】
上記の好適な実施形態とは異なり、主回路基板３０１２１Ｅは、少なくとも１つの補強保持部３０１２１４Ｅを有し、ベース部３０１１は、主回路基板３０１２１Ｅの構造的強度を補強するために、補強保持部３０１２１４Ｅまで延長される。
【０３４９】
補強保持部３０１２１４Ｅの位置は、要求に基づいて、さらに回路基板の構造的強度の必要性に従って、決定され得る。例えば、補強保持部３０１２１４Ｅは、対称構造を形成し得る。主回路基板３０１２１Ｅの構造的強度は、補強保持部３０１２１４Ｅを設けることによって補強され得る。その結果、主回路基板３０１２１Ｅの厚さは低減され得るので、主回路基板３０１２１Ｅを使用して組み立てられるカメラモジュールの厚さは低減され得、したがって、一体ベース部品の放熱を高めることができる。
【０３５０】
補強保持部３０１２１４Ｅは、主回路基板３０１２１Ｅを貫通し、主回路基板３０１２１Ｅの両側の面を連通させる穿孔である点に留意されたい。したがって、ベース部３０１１の成形材料は、一体ベース部品の製造の間に主回路基板３０１２１Ｅと完全に接着されて、より信頼性の高い複合材料構造を形成することができる。また、溝形状構造とは対照的に、穿孔の処理および形成の方が容易である。
【０３５１】
図３７は、本発明の第２０の好適な実施形態に従うカメラモジュールおよびその一体ベース部品の断面図である。
【０３５２】
上記の好適な実施形態とは異なり、ベース部３０１１Ｆは、被覆セクション３０１１４Ｆと、フィルタ取付セクション３０１１５Ｆと、レンズ取付セクション３０１１６Ｆとを備える。フィルタ取付セクション３０１１５Ｆおよびレンズ取り付けセクション３０１１６Ｆは、連続成形によって一体的に被覆セクション３０１１４Ｆに接続される。被覆セクション３０１１４Ｆは、回路要素３０１２２および接続線３０３１を包覆するために、成形によって主回路基板３０１２１と接続される。フィルタ取付セクション３０１１５Ｆは、フィルタ３０４０を取り付けるためのセクションである。すなわち、一体ベース部品がカメラモジュールの組み立てに使用されるときに、カメラモジュールのフィルタ３０４０は、取付セクション３０１１５Ｆ上に取り付けられるので、フィルタ３０４０は、感光チップ３０３０の受光路内に存在し、フィルタ３０４０の追加の取付フレームを必要としなくなる。すなわち、ベース部３０１１Ｆは、一体パッケージング技術の利点に基づいて、ここでは従来のレンズホルダの機能を果たすことができるが、フィルタ取付セクション３０１１５Ｆの頂部はさらに、フィルタ３０４０を平坦に取り付けることができるように、成形技術によって高い平坦性を有することができ、この点が従来のカメラモジュールに勝る利点である。レンズ取付セクション３０１１６Ｆは、レンズ３０５０を取り付けるためのセクションである。すなわち、一体ベース部品がカメラモジュールの組み立てに使用されるときに、レンズ３０５０は、レンズ３０５０用の安定的な設置場所を提供するためにベース部３０１１Ｆのレンズ取付セクション３０１１６Ｆの内側面に取り付けられる。
【０３５３】
さらに、フィルタ取付セクション３０１１５Ｆは、取付溝３０１１３Ｆを有し、取付溝３０１１３Ｆは、各々の対応するフィルタ３０４０用の十分な設置空間を提供するために貫通孔３０１１００Ｆと連通され、その結果、各々のフィルタ３０４０は、安定的に取り付けられ得る。レンズ取付セクション３０１１６Ｆは、取付溝３０１１３１Ｆを有し、各々のレンズ取付溝３０１１３１Ｆは、各々の対応するレンズ３０５０用の十分な設置空間を提供するために貫通孔３０１１００Ｆと連通される。
【０３５４】
すなわち、フィルタ取付セクション３０１１５Ｆおよびレンズ取り付けセクション３０１１６Ｆは、内部に段差形状構造を形成するように一体的に上方に延長されて、フィルタ３０４０およびレンズ３０５０用の取付位置をそれぞれ形成する。したがって、フィルタ３０４０およびレンズ３０５０を取り付ける際に特別な部品は必要でない。すなわち、ベース部３０１１は、２つの取付溝を有する。一方の取付溝３０１１３Ｆは低い位置にあり、他方の取付溝３０１１３Ｆは高い位置にあるので、２段の段差構造が形成される。低い方の取付溝３０１１３Ｆは、フィルタ３０４０を取り付けるための溝であり、高い方の取付溝３０１１１３Ｆは、レンズ３０５０を取り付けるための溝である。
【０３５５】
レンズ取付セクション３０１１６Ｆは、２つのレンズ内壁３０１１６１Ｆを有する。各々のレンズ内壁３０１１６１Ｆは、閉鎖リング形状であり、レンズ３０５０用の設置空間を提供するように適合される。レンズ取付セクション３０１１６２Ｆの各々のレンズ内壁３０１１６１Ｆの表面は、固定焦点モジュールを形成するためにねじ山の無いレンズ３０５０を取り付けるのに適するように、平坦かつ平滑であることに留意されたい。特に、レンズ３０５０は、接着によって、レンズ取付セクション３０１１６Ｆ上に固定して取り付けられ得る。
【０３５６】
図３８は、本発明の第２１の好適な実施形態に従う一体ベース部品およびカメラモジュールを示す。上記の好適な実施形態とは異なり、一体ベース部品３０１０は、主回路基板３０１２１およびベース部３０１１を包み込む遮蔽層３０１２４を備えることにより、主回路基板３０１２１の構造的強度が補強されるだけでなく、一体ベース部品３０１０の耐電磁妨害能力も高まる。
【０３５７】
図３９は、本発明の第２２の好適な実施形態に従うカメラモジュールおよびその一体ベース部品を示す。上記の好適な実施形態とは異なり、カメラモジュールは、支持体３０７０Ｇを備え、支持体３０７０Ｇは、各々のフィルタ３０４０、各々のレンズ３０５０、および／または各々のモータ３０６０を取り付けるように適合可能である。本発明のこの実施形態によれば、支持体は、ベース部３０１１上に取り付けられ、フィルタ３０４０の各々は、支持体３０７０上に取り付けられ、モータ３０６０の各々は、支持体３０７０上に取り付けられる。支持体３０７０の特定の形状は、要求に基づいて決定され得る。例えば、支持体３０７０Ｇは、フィルタを取り付けるための突出プラットフォームを有し得る。
【０３５８】
本発明のこの実施形態によれば、支持体３０７０Ｇは、第１の支持溝３０７１Ｇと第２の支持溝３０７２Ｇとを有し、第１の支持溝３０７１Ｇは、フィルタ３０４０の表面が支持体３０７０の頂部から突出しないようにフィルタ３０４０を取り付けるための溝である。第２の支持溝３０７２Ｇは、カメラモジュールの背面焦点距離を短くするために、ベース部３０１１が支持体３０７０Ｇから上方に延長され得、フィルタ３０４０の位置が比較的低くなるように、ベース部３０１１上に支持体３０７０Ｇが取り付けられるために使用されるものである。
【０３５９】
すなわち、支持体３０７０Ｇは、フィルタ３０４０が感光チップ３０３０の上で支持された状態で維持されるように、貫通孔３０１１００まで延長され、下方に延長される。貫通孔３０１１００内の空間を利用することによって、フィルタ３０４０は安定的に取り付けられ得、フィルタ３０４０は外部空間に位置しなくなる。
【０３６０】
支持体３０７０Ｇが内側に延在する距離は、感光チップ３０３０の感光領域の範囲外にあることに留意されたい。すなわち、支持体３０７０Ｇは、感光チップ３０３０の感光プロセスに影響を及ぼさないように、感光チップ３０３０の感光領域を覆わない。支持体３０７０Ｇの寸法は、実際の要求に基づいて設計され得る。
【０３６１】
本発明のこの実施形態および対応する図面によれば、ズームレンズモジュールが説明のために一例として使用されており、レンズ３０５０は、モータ３０６０上に取り付けられ、モータ２０６０は、支持体３０７０Ｇ上に取り付けられる。すなわち、支持体３０７０Ｇは、フィルタ３０４０およびモータ３０６０用の設置場所を形成する。本発明のいくつかの他の実施形態によれば、カメラモジュールは固定焦点モジュールでもあり得る。レンズ３０５０は、支持体３０７０Ｇ上に取り付けられる。すなわち、支持体３０７０Ｇは、フィルタ３０４０およびレンズ３０５０用の設置場所を形成する。当業者は、支持体３０７０の特定の構造およびカメラモジュールのタイプが本発明を制限すべきでないことを理解すべきである。
【０３６２】
図４０は、本発明の上記の第２２の好適な実施形態の別の実施例に従うカメラモジュールを示す。上記の好適な実施形態とは異なり、カメラモジュールは、支持体３０７０Ｈを備え、支持体３０７０Ｈは、フィルタ３０４０を取り付けるように適合可能である。支持体３０７０Ｈは、ベース部３０１１上に取り付けられ、フィルタ３０４０は、ベース部３０１１上に取り付けられ、モータ３０６０またはレンズ３０５０は、ベース部３０１１上に取り付けられる。
【０３６３】
さらに、支持体３０７０Ｈは、ベース部３０１１の取付溝３０１１３に取り付けられ、取付溝３０１１３の高さは支持体３０７０Ｈの取付高さより高いので、支持体３０７０Ｈは、ベース部３０１１の頂部から突出しない。
【０３６４】
本発明のこの実施形態によれば、支持体３０７０Ｈは、第１の支持溝３０７１Ｈと第２の支持溝３０７２Ｈとを有し、第１の支持溝３０７１Ｈは、フィルタ３０４０の表面が支持体３０７０Ｈの頂部から突出しないようにフィルタ３０４０を取り付けるための溝である。第２の支持溝３０７２Ｈは、カメラモジュールの背面焦点距離を短くするために、ベース部３０１１が支持体３０７０Ｈから上方に延長され得、フィルタ３０４０の位置が比較的低くなるように、ベース部３０１１上に支持体３０７０Ｈが取り付けられるために使用されるものである。
【０３６５】
すなわち、支持体３０７０Ｈは、フィルタ３０４０が感光チップ３０３０の上で支持された状態で維持されるように、貫通孔３０１１００まで延長され、下方に延長される。貫通孔３０１１００内の空間を利用することによって、フィルタ３０４０は安定的に取り付けられ得、フィルタ３０４０は外部空間に位置しなくなる。
【０３６６】
支持体３０７０Ｈが内側に延在する距離は、感光チップ３０３０の感光領域の範囲外にあることに留意されたい。すなわち、支持体３０７０Ｈは、感光チップ３０３０の感光プロセスに影響を及ぼさないように、感光チップ３０３０を覆わない。支持体３０７０Ｃの寸法は、実際の要求に基づいて設計され得る。
【０３６７】
上記の好適な実施形態とは異なり、第２の支持溝３０７２Ｈは、合致したバックル構造を形成するためにパッケージング部の取付溝３０１１３と合致するので、支持体３０７０Ｈは、取付溝３０１１３上に安定的に取り付けられ得る。第３の好適な実施形態と比較して、この実施形態では、背面焦点距離のより短いカメラモジュールを提供するために、フィルタ３０４０と感光チップ３０３０との間の距離はより短くなる。
【０３６８】
本発明のこの実施形態および対応する図面によれば、ズームレンズモジュールが説明のための一例として使用されており、レンズ３０５０は、モータ３０６０上に取り付けられ、モータ２０６０は、支持体３０７０Ｈ上に取り付けられる。すなわち、支持体３０７０Ｈは、フィルタ３０４０およびモータ３０６０用の設置場所を形成する。本発明のいくつかの他の実施形態によれば、カメラモジュールは固定焦点モジュールでもあり得る。レンズ３０５０は、支持体３０７０Ｈ上に取り付けられる。すなわち、支持体３０７０Ｈは、フィルタ３０４０およびレンズ３０５０用の設置場所を形成する。当業者は、支持体３０７０Ｈの特定の構造およびカメラモジュールのタイプが本発明を制限すべきでないことを理解すべきである。
【０３６９】
図４１は、従来のカメラモジュールの構造的強度と本発明の上記の好適な実施形態に従う一体パッケージングプロセスベースのカメラモジュールの構造的強度との比較を示す斜視図である。図４２を参照すると、左側は、従来のカメラモジュールであり、右側は、本発明に従う一体パッケージングプロセスベースのカメラモジュールである。「ａ１」は、従来のカメラモジュールのフレーム３Ｐの厚さを示し、「ａ２」は、本発明のカメラモジュールのベース部３０１１の厚さを示す。
【０３７０】
従来のカメラモジュールのフレーム３Ｐは、フィルタ４Ｐ、モータ５Ｐ、およびレンズ６Ｐを取り付けるためのものである。さらに、フレーム３Ｐは、通常は、射出成形によって形成されたプラスチック部品である。従来のカメラモジュールのフレーム３Ｐは、通常、回路部品１１Ｐの外側面に取り付けられる。したがって、主回路基板の横寸法を大きくしなければ、フレーム３Ｐ用の限定された設置空間しか確保することができない。さらに、フレーム３Ｐの厚さ「ａ１」は、０．３ｍｍのように、比較的小さい範囲に限定される。その結果、フレーム３Ｐと回路基板１Ｐとを互いに接着すべき領域も比較的小さくなり、接続安定性が比較的悪くなる。すなわち、フレーム３Ｐは、長期の使用またはより強い外部衝撃の条件下において、回路基板１Ｐから分離されやすい、または亀裂が生じる可能性がある。
【０３７１】
しかし、本発明の好適な実施形態に従う一体パッケージングプロセスベースのカメラモジュールのベース部３０１１は、回路要素３０１２２を覆うために、例えば、成形などによって、主回路基板３０１２１上に一体的にパッケージングされる。したがって、ベース部３０１１は、フレーム３Ｐより大きな取り付けおよび設置の空間を有し得る。さらに、ベース部３０１１は、主回路基板の外周寸法を大きくしないように、主回路基板３０１２１に対して内側に延在する。本発明のこの実施形態によれば、ベース部３０１１の厚さ「ａ２」は、０．６ｍｍのように、より厚くなり得る。ベース部３０１１は、より高い支持安定性を有することになる。さらに、ベース部３０１１は、一体的パッケージングによって、しっかりと確実に主回路基板３０１２１と接続され得、このことにより、カメラモジュールは、使用時に、より安定的かつ信頼性の高いものとなる。また、ベース部３０１１が主回路基板３０１２１上に一体的にパッケージングされる方法は、主回路基板３０１２１の接続領域の構造的強度を補強する。この場合、ベース部３０１１は、主回路基板３０１２１を保護する機能を果たす。
【０３７２】
図４２は、従来のカメラモジュールの横寸法と本発明の上記の好適な実施形態に従う一体パッケージングプロセスベースのカメラモジュールの横寸法との比較を示す斜視図である。図４３を参照すると、左側は、従来のカメラモジュールであり、右側は、本発明に従う一体パッケージングプロセスベースのカメラモジュールである。「ｂ１」は、従来のカメラモジュールの断面の横寸法を示し、「ｂ２」は、本発明に従う一体パッケージングプロセスベースのカメラモジュールの断面の横寸法を示す。
【０３７３】
従来のＣＯＢ技術に基づくカメラモジュールのフレーム３Ｐは、回路部品１１Ｐの外側面に取り付けられる。フレーム３Ｐおよび回路部品１１Ｐは、互いに空間的に独立した形で取り付けられる。すなわち、フレーム３Ｐおよび回路部品１１Ｐは共に、一定の空間に位置しなければならない。さらに、回路部品１１Ｐを保護するために、回路部品１１Ｐの周囲に、０．３５ｍｍのような一定の安全距離確保する必要もある。これらの要因の全てにより、カメラモジュールの横寸法「ｂ１」が大きくなり、横寸法低減の可能性を阻み、より小さいカメラモジュールにするための要求を満たすことができない。
【０３７４】
一方、本発明に従う一体パッケージングプロセスベースのカメラモジュールのベース部３０１１は、回路要素３０１２２を包覆するために、主回路基板３０１２１上に一体的にパッケージングされる。したがって、ベース部３０１１は、基礎強度の要件を満たすことを前提として、回路要素３０１２２を包覆するには、０．１５ｍｍのように、より小さいサイズにすればよい。ベース部３０１１および回路要素３０１２２は重なり、設置空間が十分に使用される。したがって、カメラモジュールの横寸法「ｂ２」は低減され得る。特に、本発明の一実施形態によれば、一体パッケージングプロセスベースのカメラモジュールの横寸法ｂ２は、従来のカメラモジュールの横寸法ｂ１に対して、両側でそれぞれ０．２ｍｍ短くなり得る。
【０３７５】
図４３は、従来のカメラモジュールの高さと本発明の上記の好適な実施形態に従う一体パッケージングプロセスベースのカメラモジュールの高さとの比較を示す斜視図である。図４４を参照すると、左側は、従来のカメラモジュールであり、右側は、本発明に従う一体パッケージングプロセスベースのカメラモジュールである。「ｃ１」は、従来のカメラモジュールの高さを示し、「ｃ２」は、本発明に従う一体パッケージングプロセスベースのカメラモジュールの高さを示す。「ｄ１」は、従来のカメラモジュールの回路基板１Ｐの厚さを示し、「ｄ２」は、本発明の一体パッケージングプロセスベースのカメラモジュールの主回路基板３０１２１の厚さを示す。従来のカメラモジュールのフレーム３Ｐは、通常、回路基板１Ｐ上に接着される。さらに、従来のカメラモジュールのフレーム３Ｐは、ＡＡ調整の要求を満たすために、より多くの接着剤を使用する必要があるので、接着剤層はより厚くなる。また、従来のカメラモジュールのフレーム３Ｐは、回路部品１１Ｐの上の設置距離を保つ必要がある。その結果、カメラモジュールの全高「ｃ１」は、より高くなる。さらに、フレーム３Ｐは、回路部品１１Ｐの外側面に位置し、その結果、横方向のスパン長がより長くなる。したがって、回路基板１Ｐは、カメラモジュールの形状を維持するためにより高い強度を有さなければならず、そのため回路基板１Ｐの厚さ「ｄ１」は厚くなり、その結果、カメラモジュールの全高「ｄ１」も高くなる。
【０３７６】
しかしながら、本発明の一体パッケージングプロセスベースのカメラモジュールでは、ベース部３０１１は、主回路基板３０１２１上に一体的にパッケージングされ、そのため、接着空間、ＡＡ調整空間、および回路要素３０１２２用の安全距離は必要でないので、成形プロセスベースのカメラモジュールの高さ「ｃ２」は低減され得る。さらに、ベース部３０１１は、回路要素３０１２２を包覆するので、ベース部３０１１は、ベース部３０１１の横方向スパン長を低減するように内側に延在し得、したがって、回路基板の変形範囲を低減することにつながり、主回路基板３０１２１に対する強度要件を低減することができる。また、ベース部３０１１は、主回路基板３０１２１の構造的強度を補強することができ、そのため主回路基板３０１２１の厚さ「ｄ２」を低減することができる。したがって、一体パッケージングベースのカメラモジュールの全高「ｃ１」は、さらに低減され得る。
【０３７７】
図４４は、本発明の上記の好適な実施形態に従う一体パッケージングプロセスベースのカメラモジュールの平滑性を示す図である。
【０３７８】
従来のカメラモジュールのフレーム３Ｐは、射出成形によって作製され、接着によってカメラモジュールと組み立てられる。その結果、従来のカメラモジュールでは、傾斜、バイアスなどのような問題が生じやすい。フレーム３Ｐの表面の平滑性および平坦性は比較的悪く、そのため、フィルタ、モータ、レンズなどの部品のための平滑で平坦な設置条件を実現することはできない。
【０３７９】
本発明に従う一体パッケージングプロセスベースのカメラモジュールでは、ベース部３０１１は、成形によって主回路基板３０１２１と接続されるように、一体パッケージングによって主回路基板３０１２１と接続される。さらに、一体ベース部品の製造において、ベース部を形成するために、成形型１が使用される。成形型１を使用することで、ベース部３０１１の表面の平坦性および平滑性が保証され、ベース部３０１１の上面３０１１２の表面および感光チップの取付領域３０１２１６が一致した状態で維持されるので、フィルタ３０４０、レンズ３０５０、またはモータ３０６０の平滑かつ平坦な設置条件が作り出され、確実に感光チップ３０３０、フィルタ３０４０、レンズ３０５０、およびモータ３０６０の光軸が一致するようになる。
【０３８０】
図４５は、従来のカメラモジュールの撮像と本発明の上記の好適な実施形態に従う一体パッケージングプロセスベースのカメラモジュールの撮像との比較を示す斜視図である。図４６を参照すると、左側は、従来のカメラモジュールであり、右側は、本発明に従う一体パッケージングプロセスベースのカメラモジュールである。従来のカメラモジュールの回路部品１１Ｐは、感光チップ２Ｐと相互に連通された閉鎖環境内で露出している。回路部品１１Ｐは、組み立てプロセスの間に、回路部品１１Ｐに何らかの塵埃が付着する場合がある。塵埃は、モータをはんだ付けおよび溶接するときに落ちたソルダレジストを含み、それが回路部品１１Ｐの表面に残存して、除去しにくい可能性がある。カメラモジュールがパッケージングされた後、塵埃が感光チップ上、特に感光領域内に落ちた場合に、塵埃はランダムに動く可能性があり、カメラモジュールに黒い点が生じ、カメラモジュールの画質が悪くなってしまう。
【０３８１】
一方、本発明のパッケージングプロセスベースのカメラモジュールによれば、回路要素３０１２２は、同じ環境内で感光チップ３０３０に露出しておらず、ベース部によって包覆される。したがって、回路要素１１Ｐに、ソルダレジストなどの残留塵埃が付着していてる場合でも、塵埃はカメラモジュールのパッケージングの後に感光チップ上に落ちないので、カメラモジュールの画質の安定性が保証され得、パッケージング後に黒い点が生じない。
【０３８２】
図４６Ａおよび図４６Ｂは、従来のカメラモジュールの製造プロセスと本発明の上記の好適な実施形態に従う一体パッケージングプロセスベースのカメラモジュールの製造プロセスとの比較を示す斜視図である。
【０３８３】
従来のカメラモジュールの組み立ておよび製造プロセスは、通常は、射出成形によってフレーム３Ｐを作製するステップと、回路基板全体を切断し、単一ピースの回路基板１Ｐ上にフレーム３Ｐを接着するステップと、回路基板１Ｐ上にチップのような部品を取り付けるステップと、フィルタ４Ｐ、レンズ６Ｐまたはモータ５Ｐをフレーム３Ｐ上に取り付けて固定焦点モジュールまたはズームレンズモジュールの組み立てを完成させるステップとを含むようなプロセスである。このタイプの組み立て製造プロセスでは、フレーム３Ｐは射出成形によって作製されるので、一度に、４個〜８個の少ないピースしか作製することができない。フレーム３Ｐの各々のピースは、単一ピースの回路基板１Ｐ上にそれぞれ接着される。そのため、カメラモジュールの生産効率は悪くなり、モジュール間の整合性を調整することが難しくなる。
【０３８４】
一方、本発明に従う一体パッケージングベースのカメラモジュールの組み立ておよび製造プロセスは、通常、成形によって複数のベース部３０１１を実装回路基板２上に一度に一体的に形成するステップと、実装回路基板を複数の一体ベース部品に分割するステップと、感光チップ３０３０を一体ベース部品上に取り付けるステップと、フィルタ３０４０、レンズ３０５０またはモータ３０６０をベース部上に取り付けて固定焦点モジュールまたはズームレンズモジュールの組み立てを完成させるステップとを含む。このプロセスは、従来の組み立てプロセスとは異なる。実装プロセスは、カメラモジュールの生産効率を大幅に高める。さらに、複数のモジュール間の整合性を保証するのがはるかに容易になる。例えば、９０個の一体ベース部品を１回の実装プロセスで形成することができる。本発明のモジュールは、パッケージング技術を用いて一体パッケージングによって形成されるので、本発明の実施形態は、説明するための例として、成形技術およびパッケージング技術のプロセスを使用している。したがって、本発明の内容をより明確に開示するために、成形技術およびプロセスについて、最初に概要を説明する。さらに、設備の差に基づいて、成形技術は、通常、射出成形およびプレス成形を含む。射出成形はさらに、ダイキャストおよびプレス成形の射出成形を含む。射出成形機は、プラスチック成形型を使用して熱可塑性または熱硬化性材料で様々な形状のプラスチック製品を作製する主要な成形機である。射出成形は、射出成形機と金型を使用して行われる。「プレス成形」は、圧縮成形の短縮した言い方である。プラスチック材料またはゴムのようなプレス成形材料は、製品を形成するために閉鎖成形チャンバ内で加熱されてプレスされ得る。本発明は、本明細書では、一例として成形技術のプレス成形を使用しているが、当業者は、本発明はプレス成形技術のみに限定されるべきではなく、他の成形技術およびプロセスも含むことを理解することができるはずである。したがって、本発明は、ここで述べる形態に制限されるべきではない。
【０３８５】
図４７は、本発明の第２３の好適な実施形態に従う一体パッケージングプロセスベースのカメラモジュールを示しており、ここでは、ＭＯＢ技術が使用されている。一体パッケージングプロセスベースのカメラモジュールは、パッケージング感光ユニット４０１０と、フィルタ４０４０と、レンズ４０５０と、モータ４０６０とを備える。当業者は、固定焦点（ＦＦ）モジュールのような別の実施形態では、モータ４０６０は、必要でない、または任意であることを理解すべきである。したがって、本発明は、ここで述べる形態に制限されるべきではない。すなわち、本発明のこの好適な実施形態は、一例として、自動焦点（ＡＦ）モジュールを使用している。パッケージング感光ユニット４０１０は、パッケージング部４０１１と感光ユニット４０１２とを備える。感光ユニット４０１２はさらに、感光チップ４０３０と、１組の電子部品４０１２２（例えば、抵抗器、コンデンサ、アクチュエータなど、以降ではＩＣと呼ぶ）およびそこに配置された１組のリード線４０３１とを備える回路基板４０１２１とを備える。リード線４０３１は、感光チップ４０３０と回路基板４０１２１とを接続して通信させる。実際に、感光チップ４０３０と回路基板４０１２１は、他の手段を使用して接続され、通信される場合もある。本発明のこの実施形態によれば、リード線４０３１は、金線として具現化され得る。パッケージング部４０１１は、フィルタ４０４０を支承するフレームとしての機能を果たす。パッケージング部４０１１さらに、モータ４０６０と感光ユニット４０１２とを電気的に接続するためにエッチング回路を形成するように、電気的特性を有し得、従来のモータボンディングワイヤの代わりに使用されて従来の技術プロセスを低減することができる。当然、モータ４０６０および回路基板４０１２１は、従来のモータ溶接脚を使用して接続されてもよい。パッケージングプロセスの間に、パッケージング部４０１１は、回路基板４０１２１を封止してパッケージングする。本発明のこの実施形態によれば、パッケージング部４０１１は、回路基板４０１２１上の感光チップ４０３０およびリード線４０３１の接触領域を除く全ての領域を封止してパッケージングする。パッケージング部４０１１は、回路基板４０１２１の上面４０１２１５を封止してパッケージングするだけでなく、さらに回路基板４０１２１の少なくとも１つの側面４０１２１６を封止してパッケージングすることによって包覆する。パッケージング部４０１１はさらに、パッケージングプロセスにおいて、電子部品４０１２２を一体的にパッケージングし得ることが理解できる。モータ４０６０は、少なくとも１つのモータピンを介して回路基板４０１２１と電気的に接続される。
【０３８６】
図４９Ａ〜図４９Ｅは、先行技術に従う成形モジュールを示す。図５０Ａを参照すると、パッケージング部４０１１Ｐの左側は回路基板４０１２１Ｐと整列される。このような設計は、先行技術にも共通である。したがって、上記の設計要件を満たすために、図４９Ｂを参照すると、モジュールは、組み立て前に図面に示されている構造を有する必要がある。成形のときに、回路基板４０１２１Ｐは、図４９Ｂに示されているように処理される必要がある。すなわち、成形プロセスでは、回路基板４０１２１Ｐの２つ以上のピースを接続するということである。最後に、図４９Ｂに示されているような中央部分が機械によって切断される。したがって、追加の切断装置が必要になる。図４９Ｂに示されている方法が使用されない場合、回路基板４０１２１Ｐと金型との位置合わせに一定のずれが存在するはずであり、回路基板４０１２１Ｐの辺縁部はパッケージング部４０１１Ｐと整列しない可能性があることを考慮すると、この設計は、通常、図４９Ｃが示すような形になる。図４９Ｃを参照すると、回路基板４０１２１Ｐは、成形圧入のために、わずかに突出しなければならない。回路基板４０１２１Ｐの突出長さは、通常、０．１ｍｍ〜１ｍｍである。
【０３８７】
したがって、先行技術とは対照的に、本発明の一体パッケージングプロセスベースのカメラモジュールの回路基板４０１２１の収縮設計により、パッケージング部４０１１の側面が回路基板４０１２１の側面４０１２１６を包覆するので、回路基板４０１２１とパッケージング部４０１１の側面との一定のずれ空間を確保することができる。そのため、回路基板４０１２１は、成形プロセスの後、側面から突出せず、このことにより、切断プロセスが省略され、製品の品質が向上する。
【０３８８】
パッケージング部４０１１は、回路基板４０１２１の両側を封止してパッケージングすることにより包覆することができることに留意されたい。本発明のこの好適な実施形態によれば、右側面は、接続されるフレキシブルプリント回路のような他の部品を有するので、回路基板４０１２１の左側面（側面４０１２１６）のみを封止してパッケージングする。しかし、当業者は、別の実施形態によれば、パッケージング部４０１１は、回路基板４０１２１の側面４０１２１６を封止してパッケージングするだけでなく、さらに回路基板の両側の領域の一部または全てを横方向に封止してパッケージングすることによって包覆することを理解することができるはずである。したがって、本発明は、ここで述べる形態に制限されるべきではない。
【０３８９】
図４８は、本発明の第２４の好適な実施形態に従う一体パッケージングプロセスベースのカメラモジュールを示す。確実にモジュールを成形プロセス後に容易に設置および位置決めされ得るように、また平滑性および平坦性を高めることができるように、ＭＯＢ技術も利用される。一体パッケージングプロセスベースのカメラモジュールは、パッケージング感光ユニット４０１０Ａと、フィルタ４０４０Ａと、レンズ４０５０Ａと、モータ４０６０Ａとを備える。同様に、ＡＦモジュールの例は、モータ４０６０Ａを開示しているが、ＦＦモジュールの他の例では、モータ４０６０Ａは必要でない。したがって、本発明は、ここで述べる形態に制限されるべきではない。
【０３９０】
具体的には、パッケージング感光ユニット４０１０Ａは、パッケージング部４０１１Ａと感光ユニット４０１２Ａとを備える。感光ユニット４０１２はさらに、感光チップ４０３０Ａと、１組の電子部品４０１２２Ａおよびそこに配置された１組のリード線４０３１Ａを備える回路基板４０１２１Ａとを備える。パッケージング部４０１１Ａは、フィルタ４０４０Ａを支承するフレームとしての機能を果たす。成形部分１１Ａのエッチング回路は、モータ４０６０Ａおよび感光ユニット４０１２Ａと電気的に接続される。本発明の上記の好適な実施形態と比較して、パッケージング部４０１１Ａは、電子部品４０１２２Ａおよび回路基板４０１２１Ａを封止してパッケージングし、回路基板４０１２１Ａの少なくとも１つの側面４０１２１６Ａおよび上面１２２１Ａを封止してパッケージングすることによって包覆するだけでなく、さらに回路基板４０１２１Ａの底部４０１２１７Ａを封止してパッケージングする。その結果、成形プロセス後の一体パッケージングプロセスベースのカメラモジュール全体の平坦性および平滑性が保証され、他のツール上の設置および位置決めがさらに容易になり得る。
【０３９１】
パッケージング部４０１１Ａは、回路基板４０１２１Ａの底部４０１２１７Ａの全てを封止してパッケージングすることによって包覆することができることに留意されたい。しかし、別の実施形態によれば、様々な要求に基づいて、パッケージング部４０１１Ａは、回路基板４０１２１Ａの底部４０１２１７Ａの一部のみを封止してパッケージングすることによって包覆することができる。したがって、本発明は、ここで述べる形態に制限されるべきではない。
【０３９２】
本発明のこの好適な実施形態によれば、図示されているように、カメラモジュールの右側面は他の要素と接続された状態であり、他の技術によって加工され得るので、回路基板４０１２１Ａの右側面は、封止してパッケージングされないことに留意されたい。しかし、別の実施形態によれば、パッケージング部４０１１Ａは、回路基板４０１２１Ａの２つ以上の側面を一度に封止してパッケージングすることによって包覆し、同時に、回路基板４０１２１Ａの底部４０１２１７Ａの領域の全てまたは一部を封止してパッケージングすることによって包覆することができることに留意されたい。したがって、本発明は、ここで述べる形態に制限されるべきではない。
【０３９３】
図５０〜図５５および図５８は、本発明の第２５の好適な実施形態に従うカメラモジュールを示す。カメラモジュール１００は、例えば、これらに限定されないが、スマートフォン、ウェアラブルデバイス、コンピュータ、ＴＶ、車両、カメラ、監視装置などの様々な電子デバイス３００で利用され得る。カメラモジュールは、対象物体の画像を取り込んで再現するために、電子デバイスと協働し得る。
【０３９４】
カメラモジュール１００の成形回路ユニット１０１０Ｆは、製造設備２００によって製造され、形成され得る。
【０３９５】
上記の第１の好適な実施形態とは異なり、成形部分１０１１Ｆは、第１の内側面１０１１７Ｆと、第２の内側面１０１１８Ｆと、外側面１０１１９Ｆとを有し、第１の内側面１０１１７Ｆおよび第２の内側面１０１１８Ｆはそれぞれ、貫通孔１０１１００Ｆを形成するように閉鎖され、そのことにより感光チップ用の光路が形成される。すなわち、成形部分１０１１Ｆは、感光チップ用に光が入射する窓を提供するために、第１の内側面１０１１７Ｆおよび第２の内側面１０１１８Ｆを利用して光学窓を形成する。光学窓の下方の開口部の形状は、第１の内側面１０１１７Ｆの囲み形状によって決まる。第１の内側面１０１１７Ｆは、光学窓または貫通孔１０１１００Ｆの下端部を形成するように取り囲み、第２の内側面１０１１８Ｆは、光学窓または貫通孔１０１１００Ｆの上端部を形成するように取り囲む。
【０３９６】
第１の内側面１０１１７Ｆは、その断面が下から上に向かって次第に大きくなる台形になるように傾斜して上方に延在する。すなわち、貫通孔１０１１００Ｆまたは光学窓の下端部の断面は、下から上に向かって次第に大きくなる台形である。第１の内側面１０１１７Ｆの傾斜角は、第１の傾斜角αとして定義される。つまり、第１の内側面１０１１７Ｆと成形カメラモジュールの中心光軸のＹ方向との間の傾斜角は、第１の傾斜角αである。
【０３９７】
一実施形態によれば、第１の内側面１０１１７Ｆが取り囲み、その内径は下から上に向かって次第に大きくなる。すなわち、光学窓の下端部の内径は、下から上に向かって次第に大きくなる。当然、本発明の別の実施形態によれば、第１の内側面１０１１７Ｆはさらに、断面が台形の構造を形成するように取り囲むことができる。当業者は、第１の内側面１０１１７Ｆの囲み形状が本発明を制限すべきでないことを理解すべきである。第１の内側面１０１１７Ｆの囲み形状は、レンズ５０、感光チップ３０、および／またはフィルタ４０の形状に応じて決定され得る。断面の角錐形状がちょうど近い構造であることに留意されたい。実際の製造プロセスでは、角錐の縁部および角部は、直線的に接続された鋭角ではなく、丸みのある角度になる。
【０３９８】
本発明の一実施形態によれば、第１の傾斜角αは０°より大きく、つまり、第１の内側面１０１１７Ｆと中心光軸Ｙの方向は平行ではない。中心光軸Ｙは主回路基板１０１２１に対して垂直であるので、本発明のこの実施形態では、第１の内側面１０１１７Ｆと主回路基板１０１２１とは互いに垂直ではない。第１の傾斜角αでの配置は、成形部分１０１１Ｆの形成および製造に役立つ。より明確に説明するために、この点は、次の製造プロセスにおいて、組み合わされ、説明されている。
【０３９９】
第１の内側面１０１１７Ｆの傾斜配置である第１の傾斜角αでの配置により、第１の内側面１０１１７Ｆに到達する光の入射角が小さくなり、その一方で、優角が小さくなることに留意されたい。したがって、反射光は感光チップ３０から離れるので、成形部分１０１１Ｆの反射迷光がカメラモジュールの画質に及ぼす影響が低減される。さらに、貫通孔１０１１００Ｆまたは光学窓は、次第に大きくなる台形断面を有する構造で形成され、その結果、光束が大きくなり、したがって、カメラモジュールの画質が向上する。
【０４００】
さらに、第２の内側面１０１１８Ｆは、光学窓または貫通孔１０１１００Ｆの上端部を取り囲む形で形成する。すなわち、光学窓の上端部の形状は、第２の内側面１０１１８Ｆの囲み形状によって決まる。第２の内側面１０１１８Ｆは、その断面が下から上に向かって次第に大きくなる台形になるように傾斜して上方に延在する。すなわち、貫通孔１０１１００Ｆまたは光学窓の下端部の断面は、下から上に向かって次第に大きくなる台形である。第２の内側面１０１１８Ｆの傾斜角は、第２の傾斜角βとして定義される。つまり、第２の内側面１０１１８Ｆと成形カメラモジュールの中心光軸のＹ方向との間の傾斜角は、第２の傾斜角βである。
【０４０１】
一実施形態によれば、第２の内側面１０１１８Ｆは、その直径は下から上に向かって次第に大きくなる切頭角錐構造を形成するように取り囲む。すなわち、光学窓の下端部は、直径が下から上に向かって次第に大きくなる切頭角錐構造である。当然、本発明の別の実施形態によれば、第２の内側面１０１１８Ｆはさらに、切頭円錐、四角錐などのように断面が台形の構造を形成するように取り囲むことができる。当業者は、第２の内側面１０１１８Ｆの囲み形状が本発明を制限すべきでないことを理解すべきである。第２の内側面１０１１８Ｆの囲み形状は、レンズ、感光チップ、および／またはフィルタの形状に応じて決定され得る。
【０４０２】
本発明の一実施形態によれば、第２の傾斜角βは０°より大きく、つまり、第２の内側面１０１１８Ｆと中心光軸の方向は平行ではない。光軸は主回路基板１０１２１に対して垂直であるので、本発明のこの実施形態では、第２の内側面１０１１８Ｆと主回路基板１０１２１とは互いに垂直ではない。第２の傾斜角βでの配置は、成形体の形成および製造に役立つ。より明確に説明するために、この点は、次の製造プロセスにおいて、組み合わされ、説明されている。
【０４０３】
さらに、成形体は、光学窓の外側面の周囲を取り囲む外側面１０１１９Ｆを備える。外側面１０１１９Ｆは、その断面が下から上に向かって次第に大きくなる台形になるように主回路基板１０１２１から傾斜して上方に延在する。外側面１０１１９Ｆの傾斜角は、第３の傾斜角γとして定義される。つまり、外側面１０１１９Ｆと成形カメラモジュールの中心光軸のＹ方向との間の傾斜角は、第３の傾斜角γである。
【０４０４】
本発明の一実施形態によれば、第３の傾斜角γは０°より大きく、つまり、外側面１０１１９Ｆと中心光軸の方向は平行ではない。光軸は主回路基板１０１２１に対して垂直であるので、本発明のこの実施形態では、外側面１０１１９Ｆと主回路基板１０１２１とは互いに垂直ではない。第３の傾斜角γでの配置は、成形体の形成および製造に役立つ。より明確に説明するために、この点は、次の製造プロセスにおいて、組み合わされ、説明されている。
【０４０５】
例えば、これに限定されないが、第１の傾斜角αの好適な範囲は、３°〜８５°である。第２の傾斜角βの好適な範囲は、３°〜４５°である。第３の傾斜角γの好適な範囲は、３°〜４５°である。
【０４０６】
本発明のこの実施形態では、第１の傾斜角αの範囲は、３°〜４５°であり、いくつかの実施形態では、３°〜１５°、１５°〜２０°、２０°〜３０°、または４５°〜６０°であり得る。第２の傾斜角βの範囲は、３°〜４５°であり、いくつかの実施形態では、３°〜１５°、１５°〜３０°、または３０°〜４５°であり得る。第３の傾斜角γの範囲は、３°〜４５°であり、いくつかの実施形態では、３°〜１５°、１５°〜２０°、または２０°〜３０°であり得る。
【０４０７】
本発明のこの実施形態によれば、第１の内側面１０１１７Ｆ、第１の上面、第２の内側面１０１１８Ｆ、第２の上面、および外側面１０１１９Ｆは、様々な部品をそれぞれ取り付けるために、２段の台形段差構造を形成することに留意されたい。しかし、本発明の他の実施形態によれば、２段より多い、または少ない段差部を有し得る。例えば、１段の段差部を形成するために、第１の内側面１０１１７Ｆと、第２の内側面１０１１８Ｆと、外側面１０１１９Ｆのみを有する場合がある。おそらく、３段の段差部を形成するために、上面およびその頂部の内側面をさらに有する場合もある。したがって、当業者は、内側面、上面、外側面１０１１９Ｆの数および段数は、本発明を制限すべきでないことを理解すべきである。
【０４０８】
さらに、第１の内側面１０１１７Ｆ、第１の上面、第２の内側面１０１１８Ｆ、第２の上面、および外側面１０１１９Ｆは、成形カメラモジュールが封止内部環境を形成するように、それぞれ閉鎖構造であることにも留意されたい。レンズ１０５０またはモータ１０６０およびレンズ５０が成形回路ユニットの上に取り付けられると、外部光の干渉から隔離される感光チップ１０３０用の封止内部環境が作られる。
【０４０９】
図５４Ａおよび図５４Ｂは、本発明の上記の第１の好適な実施形態に従う成形カメラモジュールの成形回路ユニットの製造設備および製造プロセスを示す。製造設備２００は、成形回路ユニット１０１０Ｆを製造するための設備である。さらに、製造設備２００は、成形回路ユニット１０１０Ｆを成形によって製造するための設備である。
【０４１０】
成形回路ユニット１０１０Ｆの製造設備２００は、成形型２１０と、供給機構２２０とを備える。供給機構２２０は、成形型２１０を使用して成形プロセスを行うために、成形型２１０に成形材料４００を供給するための機構である。成形材料４００は、ナイロン、ＬＣＰ（液晶ポリマー）、ＰＰ（ポリプロピレン）、エポキシ樹脂などから選択され得る。
【０４１１】
成形型２１０は、第１の型２１１と第２の型２１２とを備え、第１の型２１１および第２の型２１２は、型開きと型締めとを行うことができる。すなわち、成形型２１０は、開放状態と締め付け状態の２つの状態を有する。
【０４１２】
一実施形態によれば、成形型２１０は、第１の型２１１および第２の型２１２の開放および締め付けを制御するために、取付装置を利用することができる。図５４Ａおよび図５４Ｂを参照すると、成形型２１０が締め付け状態にあるとき、第１の型２１１と第２の型２１２は、成形チャンバ２１３と供給チャネル２１４とを形成し、供給チャネル２１４は、成形チャンバ２１３と連通している。成形チャンバ２１３は、回路基板部１０１２Ｆを収容するためのものである。供給チャネル２１４は、所定の位置かつ回路基板部１０１２Ｆ上の領域で成形プロセスを行うために、成形チャンバ２１３内に成形材料４００を供給および補充するためのものである。すなわち、回路基板部１０１２Ｆは、成形型２１０が開放状態にあるとき、第２の型２１２内に配置される。その後、成形型２１０は、締め付け状態に変わる。次に、成形型２１０は、供給機構を利用して、例えば、高圧などを利用して成形材料４００に作用し、供給チャネル２１４を介して成形材料４００を成形チャンバ２１３に補充および供給する。成形材料４００を成形チャンバ２１３の残りの空間に充填することによって、成形部分１０１１Ｆが形成され得る。
【０４１３】
第１の型２１１は、成形材料４００を分割するための光学窓成形ブロック２１１１を備えるので、成形材料４００は、光学窓成形ブロック２１１１に沿って中空貫通孔１０１１００Ｆまたは光学窓を形成することができる。
【０４１４】
第１の型２１１は、第１の内側面１０１１７Ｆ、第２の内側面１０１１８Ｆ、および外側面１０１１９Ｆをそれぞれ形成するために、成形部分１０１１Ｆの第１の傾斜角α、第２の傾斜角β、および第３の傾斜角γに対応する位置にそれぞれ形成された複数の成形面を備える。
【０４１５】
さらに、光学窓成形ブロック２１１１は、圧入面２１１１１を備える。成形によって形成するプロセスの間、圧入面２１１１１は、回路基板部１０１２Ｆ上で圧入されるので、成形材料４００は、回路基板部１０１２Ｆ上の圧入面２１１１１に対応する領域では充填されなくなり、回路基板部１０１２Ｆと連通する光学窓が形成される。
【０４１６】
さらに、成形チャンバ２１３は、充填部２１３１と収容部２１３２とを備える。充填部２１３１は、成形材料４００を充填するための部分であり、収容部２１３２は、主回路基板１０１２１を収容するための部分である。本発明の一実施形態によれば、充填部２１３１は、第１の型２１１内に設けられ、収容部２１３２は、第２の型２１２内に設けられる。すなわち、成形プロセスの間、主回路基板１０１２１は、第２の型２１２の収容部２１３２内に配置され、成形材料４００は、主回路基板１０１２１と第１の型２１１とによって囲まれ形成された充填部２１３１の空間に充填されて、回路基板部１０１２Ｆの上面に成形部分１０１１Ｆが成形によって形成される。
【０４１７】
回路基板部１０１２Ｆは、回路要素１０１２２Ｆを有することに留意されたい。すなわち、主回路基板１０１２１が成形チャンバ２１３の収容部２１３２内に配置されると、回路要素１０１２２Ｆは、充填部２１３１内に収容される。成形材料４００が成形チャンバ２１３の充填部２１３１に充填されると、回路要素１０１２２Ｆは、成形材料４００によって包覆される。
【０４１８】
第１の傾斜角α、第２の傾斜角β、第３の傾斜角γの設定は、離型の間に第１の型２１１と第２の型２１２が分離されるときに、成形部分１０１１Ｅと第１の型２１１との間の摩擦を低減するので、第１の型２１１を成形部分１０１１Ｆからより簡単に抜き取ることができ、成形部分１０１１Ｆがより良好な成形状態を実現するのに役立つことが理解できる。図５５を参照すると、より詳細には、光学窓成形ブロック２１１１および成形部分１０１１Ｆは、離型の瞬間に相対的に移動し、離型プロセスの間に、即座に、光学窓成形ブロック２１１１と成形部分１０１１Ｆとの間に隙間を形成する。したがって、光学窓成形ブロック２１１１と成形部分１０１１Ｆとは、その後、次の相対移動での接触によってもたらされる摩擦がないので、滑らかに分離され得る。
【０４１９】
図５６を参照すると、本発明の上記の第２５の好適な実施形態によれば、感光チップ１０３０は、成形プロセスの前に、リード線１０３１を介して主回路基板１０１２１Ｆと接続され得る。さらに、主回路基板１０１２１Ｆは、主回路基板１０１２１Ｆに取り付けられ貼り付けられたリング状障壁部品１０１４Ｇを備え得、障壁部品１０１４Ｇは、弾性を有し、リード線１０３１の最も高い位置より高い位置にあるので、成形プロセスの間に、光学窓成形ブロック２１１１が障壁部品１０１４Ｇに圧入されるときに、主回路基板１０１２１Ｆの感光チップ１０３０およびリード線１０３１が光学窓成形ブロック２１４によって損傷されるのを防止する。一実施形態によれば、障壁部品１０１４Ｇは、正方形のリング形状であり、段差部のコロイドとして組み込まれる。すなわち、障壁部品は、成形部分によって少なくとも部分的にパッケージングされて、成形部分１０１１Ｆの少なくとも一部と主回路基板の１０１２１Ｆとを分割する。
【０４２０】
図５７は、本発明の上記の第２５の好適な実施形態に従う別の実施例を示す図である。上記の好適な実施形態とは異なり、回路基板部１０１２Ｆは、主回路基板１０１２１上に配置された少なくとも１つの回路要素１０１２２Ｇを備える。回路要素１０１２２Ｇは、主回路基板１０１２１から突出し、成形部分１０１１Ｆの内側面に設けられる。すなわち、回路要素１０１２２Ｇは、貫通孔１０１１００Ｆ内に配置される。つまり、回路要素１０１２２Ｇは、成形部分１０１１Ｆによって成形されない。成形によって形成するプロセスにおいて、成形型の光学窓成形ブロックは内側溝を有するので、光学窓成形ブロックが回路要素１０１２２Ｇを覆うときに、回路要素１０１２２Ｇを包覆しない成形部分１０１１Ｆを形成することができる。当然、本発明の別の実施形態によれば、回路要素１０１２２Ｆが成形される場合もある。すなわち、回路要素１０１２２Ｆの一部が成形され、回路要素１０１２２Ｇの他の部分は包覆されない。
【０４２１】
図５９は、本発明の上記の第２１の好適な実施形態に従う一体ベース部品およびカメラモジュールの代替形態を示す図である。上記の好適な実施形態とは異なり、一体ベース部品３０１０は、ベース部３０１１の内側面に取り囲む形で配置された遮蔽層３０１２４Ａを備えるので、主回路基板３０１２１の構造的強度が補強されるだけでなく、一体ベース部品３０１０の耐電磁妨害能力も高まる。遮蔽層３０１２４Ａは、金属網または金属板であり得る。
【０４２２】
当業者は、本発明の様々な実施形態に従う、成形部分、ベース部、およびパッケージング部の構造は、再構成されて、本発明の他の実施形態に従うカメラモジュールの様々な構造および特徴と組み合わされ得ることを理解すべきである。上記の好適な実施形態は、本発明を実現し得る様々な実施例を説明するための例であり、様々な実施形態で示されている構造および特徴は、新規の実施例を構成するように、再構成されて組み合わされてもよい。したがって、本発明は、図面に示されている実施例に限定されるべきではなく、また任意の実施形態で制限されるべきでない。
【０４２３】
当業者は、本明細書および図面において上記で説明した本発明の実施形態は、実施例を示すためのものであって、本発明を制限するものではないことを理解すべきである。本発明の目的は、完全かつ効率的に実施される。実施形態の中で本発明の機能および構造の概念が示され、説明されているが、本発明の実施例は、上記の概念に反することなく、任意の形の修正形態または変更形態を有する場合がある。
【０４２４】
当業者は、図示され、上記で説明されている本発明の実施形態は、単なる例に過ぎず、限定的であることを意図するものではないことを理解するであろう。
【０４２５】
したがって、本発明の目的は、完全かつ効率的に達成されることがわかるであろう。実施形態は、本発明の機能的および構造的原理を説明するために、図示され説明されており、この概念から逸脱せずに変更が加えられる。したがって、本発明は、以下の請求項の精神および範囲内に包含される全ての修正形態を含む。
【図１】
2019509512.tif 000003
【図２】
2019509512.tif 000004
【図３】
2019509512.tif 000005
【図４】
2019509512.tif 000006
【図５】
2019509512.tif 000007
【図６Ａ】
2019509512.tif 000008
【図６Ｂ】
2019509512.tif 000009
【図７Ａ】
2019509512.tif 000010
【図７Ｂ】
2019509512.tif 000011
【図８Ａ】
2019509512.tif 000012
【図８Ｂ】
2019509512.tif 000013
【図９】
2019509512.tif 000014
【図１０】
2019509512.tif 000015
【図１１】
2019509512.tif 000016
【図１２】
2019509512.tif 000017
【図１３】
2019509512.tif 000018
【図１４】
2019509512.tif 000019
【図１５】
2019509512.tif 000020
【図１６】
2019509512.tif 000021
【図１７】
2019509512.tif 000022
【図１８Ａ】
2019509512.tif 000023
【図１８Ｂ】
2019509512.tif 000024
【図１８Ｃ】
2019509512.tif 000025
【図１９】
2019509512.tif 000026
【図２０】
2019509512.tif 000027
【図２１】
2019509512.tif 000028
【図２２】
2019509512.tif 000029
【図２３】
2019509512.tif 000030
【図２４】
2019509512.tif 000031
【図２５Ａ】
2019509512.tif 000032
【図２５Ｂ】
2019509512.tif 000033
【図２６】
2019509512.tif 000034
【図２７】
2019509512.tif 000035
【図２８】
2019509512.tif 000036
【図２９】
2019509512.tif 000037
【図３０】
2019509512.tif 000038
【図３１Ａ】
2019509512.tif 000039
【図３１Ｂ】
2019509512.tif 000040
【図３１Ｃ】
2019509512.tif 000041
【図３１Ｄ】
2019509512.tif 000042
【図３２】
2019509512.tif 000043
【図３３】
2019509512.tif 000044
【図３４】
2019509512.tif 000045
【図３５】
2019509512.tif 000046
【図３６】
2019509512.tif 000047
【図３７】
2019509512.tif 000048
【図３８】
2019509512.tif 000049
【図３９】
2019509512.tif 000050
【図４０】
2019509512.tif 000051
【図４１】
2019509512.tif 000052
【図４２】
2019509512.tif 000053
【図４３】
2019509512.tif 000054
【図４４】
2019509512.tif 000055
【図４５】
2019509512.tif 000056
【図４６Ａ】
2019509512.tif 000057
【図４６Ｂ】
2019509512.tif 000058
【図４７】
2019509512.tif 000059
【図４８】
2019509512.tif 000060
【図４９Ａ】
2019509512.tif 000061
【図４９Ｂ】
2019509512.tif 000062
【図４９Ｃ】
2019509512.tif 000063
【図４９Ｄ】
2019509512.tif 000064
【図４９Ｅ】
2019509512.tif 000065
【図５０】
2019509512.tif 000066
【図５１】
2019509512.tif 000067
【図５２】
2019509512.tif 000068
【図５３】
2019509512.tif 000069
【図５４Ａ】
2019509512.tif 000070
【図５４Ｂ】
2019509512.tif 000071
【図５５】
2019509512.tif 000072
【図５６】
2019509512.tif 000073
【図５７】
2019509512.tif 000074
【図５８】
2019509512.tif 000075
【図５９】
2019509512.tif 000076
【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
少なくとも１つのレンズと、
少なくとも１つの感光チップと、
少なくとも１つのフィルタと、
少なくとも１つの一体ベース部品と、
少なくとも１つの支持体と、
を備えるカメラモジュールであって、
前記一体ベース部品は、ベース部および回路基板部を備え、前記ベース部は、前記回路基板部内に一体的にパッケージングされ、前記感光チップは、前記回路基板部上に取り付けられ、前記ベース部は、前記感光チップ用の光路を提供するために前記ベース部上に形成された少なくとも１つの貫通孔を有し、前記レンズは、前記感光チップの光路に沿って配置され、前記支持体は、前記ベース部上に取り付けられ、前記フィルタは、前記支持体上にかつ前記感光チップの光路に沿って取り付けられる、カメラモジュール。
【請求項２】
前記支持体は、前記支持体の上面上に配置された第１の支持溝、および前記ベース部の頂部と結合するために前記支持体の底面上に配置された第２の支持溝を有し、前記第１の支持溝は、前記貫通孔と連通され、前記フィルタは、前記第１の支持溝上に取り付けられる、請求項１に記載のカメラモジュール。
【請求項３】
前記レンズは、少なくとも部分的に、前記支持体上に取り付けられる、請求項１に記載のカメラモジュール。
【請求項４】
少なくとも１つのレンズと、
少なくとも１つの感光チップと、
少なくとも１つの一体ベース部品と、
を備えるカメラモジュールであって、
前記一体ベース部品は、ベース部および回路基板部を備え、前記ベース部は、前記回路基板部上で成形され、前記ベース部は、前記感光チップおよび前記レンズ用の光路を提供するために前記ベース部上に形成された少なくとも１つの貫通孔を備える、カメラモジュール。
【請求項５】
前記カメラモジュールは、少なくとも１つのフィルタをさらに備え、前記ベース部は、前記ベース部上に配置された取付溝を有し、前記取付溝は、前記貫通孔と連通され、前記ベース部は、前記取付溝を形成する少なくとも１つの突出段差部を備え、前記フィルタは、前記取付溝内に配置される、請求項４に記載のカメラモジュール。
【請求項６】
前記回路基板部は、少なくとも１つの側面を備え、前記ベース部は、前記回路基板部の少なくとも１つの側面を包覆する、請求項４に記載のカメラモジュール。
【請求項７】
前記一体ベース部品は、前記ベース部によって包覆された少なくとも１つの回路要素を備える、請求項４に記載のカメラモジュール。
【請求項８】
前記回路基板部は、補強保持部を有し、前記ベース部は、前記補強保持部内に延在する、請求項４に記載のカメラモジュール。
【請求項９】
前記回路基板部は、前記回路基板部の底部上に重なるように配置された補強層を備える、請求項４に記載のカメラモジュール。
【請求項１０】
前記回路基板部は、前記カメラモジュールの外側上を包覆する遮蔽層を備える、請求項４に記載のカメラモジュール。
【請求項１１】
前記回路基板部は、前記ベース部の内側面上に取り囲むように設けられた遮蔽層を備える、請求項４に記載のカメラモジュール。
【請求項１２】
ベース部と、
回路基板部と、
を備える一体ベース部品であって、
前記ベース部は、前記回路基板部内に一体的にパッケージングされ、カメラモジュールの感光チップは、前記回路基板部上に取り付けられるために適合可能であり、前記ベース部は、前記感光チップ用の光路を提供するために前記ベース部上に形成された少なくとも１つの貫通孔を有し、前記レンズは、前記感光チップの光路に沿って配置される、一体ベース部品。
【請求項１３】
前記ベース部は、前記回路基板部の底部をさらに包覆する、請求項１２に記載の一体ベース部品。
【請求項１４】
前記一体ベース部品は、前記ベース部によって包覆された少なくとも１つの回路要素を備える、請求項１２に記載の一体ベース部品。
【請求項１５】
前記ベース部は、前記貫通孔の少なくとも一部を取り囲むように形成するべく前記ベース部上に設けられた少なくとも１つの第１の内側面、および前記第１の内側面から屈曲して延長されるべく前記ベース部上に設けられた第２の内側面を有し、前記第１の内側面は、前記回路基板部から上方に傾斜して延在し、前記第２の内側面は、前記貫通孔の上端部を取り囲むように形成し、前記第２の内側面は、傾斜して上方に延在する、請求項１２に記載の一体ベース部品。
【国際調査報告】
2019509512.tif 000077
2019509512.tif 000078
2019509512.tif 000079
2019509512.tif 000080